(57)【要約】【課題】ハンドルリングの回動操作量を維持しつつ、他の操作が行いやすい遊技機を提供すること。【解決手段】ハンドルベース５３０にはハンドルリング５４０が回動可能に配設され、そのハンドルリング５４０が回動可能に配設されたハンドルベース５３０が、ハンドル取付台５２０に対して変位されることで、所定の動作が行われる。よって、かかる所定の動作を行うための操作（ハンドル取付台５２０に対するハンドルベース５３０の変位）を、ハンドルリング５４０の回動操作量を維持しつつ、容易に行うことができる。【選択図】図１７
2020078717.tif 000002
【特許請求の範囲】
【請求項１】
遊技者によって回動操作されるハンドルリングを備え、そのハンドルリングの回動操作量に応じて遊技球の発射強度が調整される遊技機において、
前記ハンドルリングが回動可能に配設されると共に遊技機本体に対して変位可能とされるハンドルベースと、
前記ハンドルリングの回動位置を初期位置に復帰させる付勢力を前記ハンドルリングに付与するリング付勢部材と、
前記ハンドルベースの変位に伴って、前記ハンドルリングが初期位置へ復帰されることを規制するリング規制部材と、を備えることを特徴とする遊技機。
【請求項２】
前記ハンドルベースが軸支されると共に遊技機本体に固設されるハンドル取付台を備え、
前記リング規制部材は、前記ハンドルリングへ向けてスライド移動可能に前記ハンドルベースに配設され、前記軸支される部分を中心として前記ハンドル取付台に対してハンドルベースが変位されることで、前記ハンドル取付台に押圧された前記リング規制部材が前記ハンドルリングへ向けてスライド移動されると共に、そのスライド移動されたリング規制部材がハンドルリングに当接され、ハンドルリングの初期位置への復帰が規制されることを特徴とする請求項１記載の遊技機。
【発明の詳細な説明】
【技術分野】
【０００１】
本発明は、パチンコ機などの遊技機に関するものである。
【背景技術】
【０００２】
パチンコ機等の遊技機において、ハンドルベースにハンドルリングが回動可能に取り付けられ、そのハンドルリングの回動操作量に応じて、球の発射強度を調整するものがある。また、ハンドルベースに、ハンドルリングとは別の操作子が配設され、その操作子を操作することで、所定の動作（例えば、球の発射の停止）を行うことができるものがある。
【先行技術文献】
【特許文献】
【０００３】
【特許文献１】特開２０１２−００５７５９号公報
【発明の概要】
【発明が解決しようとする課題】
【０００４】
ハンドルリングは、付勢ばねによる付勢力が付与されており、遊技者が手を離すと、ハンドルリングが初期位置へ復帰される。この場合、ハンドルリングの回動操作量を維持しつつ、操作子を操作することが困難である場合があった。
【０００５】
本発明は、上記例示した問題点を解決するためになされたものであり、ハンドルリングの回動操作量を維持しつつ、他の操作が行いやすい遊技機を提供することを目的とする。
【課題を解決するための手段】
【０００６】
この目的を達成するために請求項１記載の遊技機は、遊技者によって回動操作されるハンドルリングを備え、そのハンドルリングの回動操作量に応じて遊技球の発射強度が調整されるものであり、前記ハンドルリングが回動可能に配設されると共に遊技機本体に対して変位可能とされるハンドルベースと、前記ハンドルリングの回動位置を初期位置に復帰させる付勢力を前記ハンドルリングに付与するリング付勢部材と、前記ハンドルベースの変位に伴って、前記ハンドルリングが初期位置へ復帰されることを規制するリング規制部材と、を備える。
【０００７】
請求項２記載の遊技機は、請求項１記載の遊技機において、前記ハンドルベースが軸支されると共に遊技機本体に固設されるハンドル取付台を備え、前記リング規制部材は、前記ハンドルリングへ向けてスライド移動可能に前記ハンドルベースに配設され、前記軸支される部分を中心として前記ハンドル取付台に対してハンドルベースが変位されることで、前記ハンドル取付台に押圧された前記リング規制部材が前記ハンドルリングへ向けてスライド移動されると共に、そのスライド移動されたリング規制部材がハンドルリングに当接され、ハンドルリングの初期位置への復帰が規制される。
【発明の効果】
【０００８】
請求項１記載の遊技機によれば、ハンドルベースにはハンドルリングが回動可能に配設され、そのハンドルリングが回動可能に配設されたハンドルベースが、遊技機本体に対して変位されることで、ハンドルリングが初期位置へ復帰されることをリング規制部材によって規制して、ハンドルリングの回動操作量（回動位置）を固定することができる。これにより、ハンドルリングの回動操作量に応じて調整される遊技球の発射強度の固定を容易に行うことができ、遊技者の操作性の向上を図ることができる。
【０００９】
ここで、例えば、ハンドルリングとは別にハンドルベースに設けられた別部材（ハンドルリングの初期位置への復帰を規制するために遊技者に操作される操作子）を操作することで、ハンドルリングの初期位置への復帰を規制する構造では、ハンドルリングの回動操作と別部材の操作とをそれぞれ別々に行う必要があるところ、ハンドルリングの回動操作量（回動位置）によっては、別部材が必ずしも操作し易い位置にあるとは限らず、ハンドルリングを把持している手指の一部を離して、或いは、無理な姿勢で、別部材を操作する必要が生じる。その結果、操作性が悪いという問題点があった。また、ハンドルリングの回動位置に位置ずれが生じ、遊技球の発射強度を所望の発射強度に精度良く固定することができないという問題があった。
【００１０】
これに対し、ハンドルベース自体の変位を起点として、ハンドルリングの初期位置への復帰をリング規制部材により規制する構造であれば、かかるハンドルベース自体の変位は、ハンドルベースとハンドルリングとを一体的に変位させる動作であるから、ハンドルリングがどのような回動位置にあったとしても、ハンドルリングを把持する手指の一部を離すことなく行うことができる。これにより、操作性の向上を図ることができ、また、ハンドルリングの回動位置に位置ずれが生じることを抑制し、遊技球の発射強度を所望の発射強度に精度良く固定することができる。
【００１１】
請求項２記載の遊技機によれば、請求項１記載の遊技機の奏する効果に加え、リング規制部材がハンドルリングへ向けてスライド移動可能にハンドルベースに配設されるので、ハンドル取付台に対するハンドルベースの変位に伴う両者の相対位置の変化を利用して、ハンドル取付台によりリング規制部材を押圧させ、リング規制部材をハンドルリングへ向けてスライド移動させることができる。その結果、リング規制部材をハンドルリングに当接させて、ハンドルリングの初期位置への復帰を規制することができる。
【００１２】
この場合、ハンドルベースにリング規制部材がスライド移動可能に配設されるので、ハンドルベースにリング規制部材が揺動可能に配設される構造と比較して、構造の簡素化を図ることができる。また、リング規制部材を揺動させる構造では、力点、支点（揺動中心）及び作用点を形成する必要があり、力点および作用点が支点を中心としてそれぞれ異なる方向へ移動するため、リング規制部材の動作（配設）に必要なスペースが嵩む。
【００１３】
これに対し、リング規制部材をスライド移動させる構造では、力点と作用点とが一直線上で同方向へ移動するため、リング規制部材の動作（配設）に必要なスペースを抑制することができる。ハンドルベースには、他の部品を複数配設する必要があるところ、リング規制部材の配設に必要なスペースを抑制できることで、他の部品が配設し易くなり、設計の自由度を高めることができる。
【図面の簡単な説明】
【００１４】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】（ａ）は操作ハンドルの上面図であり、（ｂ）は操作ハンドルの正面図である。
【図６】図５（ａ）の矢印ＶＩ方向視における操作ハンドル５側面図である。
【図７】ハンドル取付台およびハンドルベースの正面斜視図であ。
【図８】（ａ）はハンドルリングの背面斜視図であり、（ｂ）は前カバーの背面斜視図である。
【図９】ハンドルベースの背面斜視図である。
【図１０】ハンドル取付台の分解状態における斜視図である。
【図１１】（ａ）はハンドル取付台の組み立て状態における斜視図であり、（ｂ）は第1本体の内側面図である。
【図１２】ハンドル取付台およびハンドルベースの背面斜視図である。
【図１３】リング規制部材が装着された状態におけるハンドルベースの正面斜視図である。
【図１４】リング規制部材が取り外された状態におけるハンドルベースの正面斜視図である。
【図１５】（ａ）及び（ｂ）は、リング規制部材の斜視図である。
【図１６】変位操作される前の状態における操作ハンドルの部分断面側面図である。
【図１７】変位操作された後の状態における操作ハンドルの部分断面側面図である。
【図１８】（ａ）及び（ｂ）は、第２実施形態における操作ハンドルの部分断面側面図である。
【図１９】（ａ）及び（ｂ）は、第３実施形態における操作ハンドルの部分断面側面図である。
【図２０】（ａ）及び（ｂ）は、第４実施形態における操作ハンドルの部分断面側面図である。
【図２１】（ａ）及び（ｂ）は、第５実施形態における操作ハンドルの部分断面側面図である。
【図２２】第６実施形態におけるハンドルベースの背面斜視図である。
【図２３】変位操作される前の状態における操作ハンドルの部分断面側面図である。
【図２４】変位操作された後の状態における操作ハンドルの部分断面側面図である。
【図２５】（ａ）は第７実施形態におけるハンドル取付台の組み立て状態における斜視図であり、（ｂ）は第1本体の内側面図である。
【図２６】スライド操作される前の状態における操作ハンドルの部分断面側面図である。
【図２７】スライド操作された後の状態における操作ハンドルの部分断面側面図である。
【発明を実施するための形態】
【００１５】
以下、本発明の実施形態について、添付図面を参照して説明する。まず、図１から図１７を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１６】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１７】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１８】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１９】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００２０】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２１】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２２】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２５】
操作ハンドル５１の内部には、球発射ユニット１１２ａの駆動を許可するためのタッチセンサ５１ａと、押下操作している期間中には球の発射を停止する打ち止めスイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび打ち止めスイッチ５１ｂがオフとなっている。
【００２６】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２７】
図２に示すように、遊技盤１３は、正面視略正方形状に切削加工した木製のベース板６０に、球案内用の多数の釘（図示せず）や風車の他、レール６１，６２、一般入賞口６３、第１入球口６４、第２入球口６４０、第１可変入賞装置６５、第２可変入賞装置６５０、第１スルーゲート６７、第２スルーゲート６７０、可変表示装置ユニット８０等を組み付けて構成され、その周縁部が内枠１２（図１参照）の裏面側に取り付けられる。一般入賞口６３、第１入球口６４、第２入球口６４０、第１可変入賞装置６５、第２可変入賞装置６５０、可変表示装置ユニット８０は、ルータ加工によってベース板６０に形成された貫通穴に配設され、遊技盤１３の前面側から木ネジ等により固定されている。
【００２８】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００２９】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００３０】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３１】
遊技領域の正面視右側上部（図２の右側上部）には、２つの第１図柄表示装置３７Ａ，３７Ｂが配設されている。第１図柄表示装置３７Ａには、発光手段である複数のＬＥＤ３７Ａａと７セグメント表示器３７Ａｂとが設けられている。他方の第１図柄表示装置３７Ｂもまた同様に、発光手段である複数のＬＥＤ３７Ｂａと７セグメント表示器３７Ｂｂとが設けられている。
【００３２】
第１図柄表示装置３７Ａ，３７Ｂは、主制御装置１１０で行われる各制御に応じた表示がなされるものであり、主にパチンコ機１０の遊技状態の表示が行われる。本実施形態では、これらの第１図柄表示装置３７Ａ，３７Ｂは、球が、第１入球口６４へ入賞したか、第２入球口６４０へ入賞したかに応じて使い分けられるように構成されている。具体的には、球が、第１入球口６４へ入賞した場合には、第１図柄表示装置３７Ａが作動し、一方で、球が、第２入球口６４０へ入賞した場合には、第１図柄表示装置３７Ｂが作動するように構成されている。
【００３３】
複数のＬＥＤ３７Ａａ，３７Ｂａは、いずれも、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７Ａｂ，３７Ｂｂは、いずれも、大当たり中のラウンド数やエラー表示を行うものである。なお、ＬＥＤ３７Ａａ，３７Ｂａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３４】
尚、本パチンコ機１０では、第１入球口６４及び第２入球口６４０へ入球があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。ＬＥＤ３７Ａａ，３７Ｂａには、変動終了後の停止図柄として抽選の結果が大当たりであるか否かが示されるだけでなく、大当たりである場合はその大当たり種別に応じた図柄が示される。
【００３５】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３６】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入球口６４０へ球が入球し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入球口６４０へ球が入球し易い遊技の状態のことをいう。一方、パチンコ機１０が通常中とは、確変中でも時短中でもない遊技の状態（大当たり確率も第２図柄の当たり確率もアップしていない状態）である。
【００３７】
確変中や時短中は、第２図柄の当たり確率がアップするだけではなく、第２入球口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入球口６４０へ球が入球しやすい状態となる。よって、確変中や時短中は、第２入球口６４０へ球が入球し易い状態となり、大当たり抽選が行われる回数を増やすことができる。
【００３８】
なお、確変中や時短中において、第２入球口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入球口６４０に付随する電動役物６４０ａが開放される時間および１回の当たりで電動役物６４０ａが開放する回数の少なくとも一方を変更するものとしてもよい。また、確変中や時短中において、第２入球口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３９】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入球（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６７及び第２スルーゲート６７０の球の通過をトリガとして第２図柄を変動表示するＬＥＤで構成される第２図柄表示装置８３とが設けられている。また、可変表示装置ユニット８０には、第３図柄表示装置８１の外周を囲むようにして、センターフレーム８６が配設されている。
【００４０】
第３図柄表示装置８１は８インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４１】
第２図柄表示装置８３は、球が第１スルーゲート６７及び第２スルーゲート６７０を通過する毎に表示図柄（第２図柄）としての「○」の図柄と「×」の図柄とを所定時間交互に点灯させる変動表示を行うものである。パチンコ機１０では、球が第１スルーゲート６７又は第２スルーゲート６７０を通過したことが検出されと、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第３図柄の変動表示後に「×」の図柄が停止表示される。
【００４２】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００４３】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入球口６４０の電動役物６４０ａが開放状態となる機会を遊技者に多く与えることができる。よって、確変中および時短中は、第２入球口６４０へ球が入球しやすい状態とすることができる。
【００４４】
なお、確変中または時短中において、当たり確率を高める、１回に当たりに対する電動役物６４０ａの開放時間や開放回数を増やすなど、その他の方法によっても、確変中または時短中に第２入球口６４０へ球が入球しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４５】
第１スルーゲート６７は、可変表示装置ユニット８０の左方において遊技盤に組み付けられ、遊技盤に発射された球のうち、遊技盤の左方を流下する球の一部が通過可能に構成されている。また、第２スルーゲート６７０は、可変表示装置ユニット８０の右方において遊技盤に組み付けられ、遊技盤に発射された球のうち、遊技盤の右方を流下する球の一部が通過可能に構成されている。第１スルーゲート６７又は第２スルーゲート６７０を球が通過すると、第２図柄の当たり抽選が行われる。当たり抽選の後、第２図柄表示装置８３にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４６】
球の第１スルーゲート６７及び第２スルーゲート６７０の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００４７】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、第１スルーゲート６７及び第２スルーゲート６７０の球の通過に対する最大保留球数は４回に限定されるものでなく、３回以下、又は、５回以上の回数（例えば、８回）に設定しても良い。また、第１図柄表示装置３７により保留球数が示されるので、第２図柄保留ランプ８４により点灯表示を行わないものとしてもよい。
【００４８】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７ＡのＬＥＤ３７Ａａで示される。
【００４９】
一方、可変表示装置ユニット８０の正面視右方には、球が入球し得る第２入球口６４０が配設されている。この第２入球口６４０へ球が入球すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７ＢのＬＥＤ３７Ｂａで示される。
【００５０】
また、第１入球口６４および第２入球口６４０は、それぞれ、球が入球すると５個の球が賞球として払い出される入賞口の１つにもなっている。なお、本実施形態においては、第１入球口６４へ球が入球した場合に払い出される賞球数と第２入球口６４０へ球が入球した場合に払い出される賞球数とを同じに構成したが、第１入球口６４へ球が入球した場合に払い出される賞球数と第２入球口６４０へ球が入球した場合に払い出される賞球数とを異なる数、例えば、第１入球口６４へ球が入球した場合に払い出される賞球数を３個とし、第２入球口６４０へ球が入球した場合に払い出される賞球数を５個として構成してもよい。
【００５１】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入球しにくい状態となっている。一方、第１スルーゲート６７及び第２スルーゲート６７０への球の通過を契機として行われる第２図柄の変動表示の結果、「○」の図柄が第２図柄表示装置８３に表示された場合、電動役物６４０ａが開放状態（拡大状態）となり、球が第２入球口６４０へ入球しやすい状態となる。
【００５２】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入球口６４０へ球が入球しやすい状態を作ることができる。
【００５３】
ここで、第１入球口６４に球が入球した場合と第２入球口６４０へ球が入球した場合とで、大当たりとなる確率は、低確率状態であっても高確率状態でも同一である。しかしながら、大当たりとなった場合に選定される大当たりの種別として１５Ｒ確変大当たりとなる確率は、第２入球口６４０へ球が入球した場合のほうが第１入球口６４へ球が入球した場合よりも高く設定されている。一方、第１入球口６４は、第２入球口６４０にあるような電動役物は有しておらず、球が常時入球可能な状態となっている。
【００５４】
よって、通常中においては、第２入球口６４０に付随する電動役物が閉鎖状態にある場合が多く、第２入球口６４０に入球しづらいので、電動役物のない第１入球口６４へ向けて、可変表示装置ユニット８０の左方を球が通過するように球を発射し（所謂「左打ち」）、第１入球口６４への入球によって大当たり抽選の機会を多く得て、大当たりとなることを狙った方が、遊技者にとって有利となる。
【００５５】
一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙った方が、遊技者にとって有利となる。
【００５６】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５７】
第１入球口６４の下方には第１可変入賞装置６５が配設されており、その略中央部分に横長矩形状の特定入賞口（大開放口）６５ａが設けられている。パチンコ機１０においては、第１入球口６４への入球に起因して行われた大当たり抽選が大当たりとなると、所定時間（変動時間）が経過した後に、大当たりの停止図柄となるよう第１図柄表示装置３７ＡのＬＥＤ３７Ａａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５８】
また、第２入球口６４０の下方には第２可変入賞装置６５０が配設されており、その略中央部分に横長矩形状の特定入賞口（大開放口）６５０ａが設けられている。パチンコ機１０においては、第２入球口６４０への入球に起因して行われた大当たり抽選が大当たりとなると、所定時間（変動時間）が経過した後に、大当たりの停止図柄となるよう第１図柄表示装置３７ＢのＬＥＤ３７Ｂａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５０ａが、所定時間（例えば、３０秒経過するまで、或いは、球が１０個入賞するまで）開放される。
【００５９】
この特定入賞口６５ａ，６５０ａは、いずれも所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６０】
第１可変入賞装置６５及び第２可変入賞装置６５０は、具体的には、特定入賞口６５ａ又は特定入賞口６５０ａを覆う横長矩形状の開閉板と、その開閉板の下辺を軸として前方側に開閉駆動するための大開放口ソレノイド（図示せず）とをいずれも備えている。特定入賞口６５ａ，６５０ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６１】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤ３７Ａａ，ＬＥＤ３７Ｂａが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。
【００６２】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００６３】
更に、遊技盤１３には、アウト口６６が設けられている。いずれの入賞口６３，６４，６５ａ，６４０，６５０ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００６４】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６５】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６６】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６７】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６８】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６９】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７０】
次に、図４を参照して、本パチンコ機１０の電気的構成について説明する。図４は、パチンコ機１０の電気的構成を示すブロック図である。
【００７１】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７および第３図柄表示装置８１における表示の設定、第２図柄表示装置８３における表示結果の抽選といったパチンコ機１０の主要な処理を実行する。
【００７２】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７３】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７４】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７５】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８３、第２図柄保留ランプ８４、特定入賞口６５ａ，６５０ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７６】
また、入出力ポート２０５には、図示しないスイッチ群やセンサ群などからなる各種スイッチ２０８や、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７７】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７８】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７９】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８０】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための打ち止めスイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８１】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８２】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、枠ボタン２２などがそれぞれ接続されている。
【００８３】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８４】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８５】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８６】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８７】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８８】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８９】
次いで、図５から図１７を参照して、操作ハンドル５１の詳細構成について説明する。
【００９０】
図５（ａ）は操作ハンドル５１の上面図であり、図５（ｂ）は操作ハンドル５１の正面図である。また、図６は、図５（ａ）の矢印ＶＩ方向視における操作ハンドル５１の側面図である。なお、図５（ａ）及び図６では、下皿ユニット１５の前面が二点鎖線により模式的に図示される。
【００９１】
図５及び図６に示すように、操作ハンドル５１は、ハンドル取付台５２０と、ハンドルベース５３０と、ハンドルリング５４０と、前カバー５５０とを備えて構成され、パチンコ機１０（図１参照）の前面から水平姿勢で突出される。
【００９２】
ハンドル取付台５２０は、その背面（図５（ａ）左側）が下皿ユニット１５の前面に固着され、ハンドルベース５３０は、ハンドル取付台５２０の前面（図５（ａ）右側）に配設される。これら両部材５２０，５３０は、一方が他方に軸支され、その軸支された部分を中心として、ハンドル取付台５２０に対し、ハンドルベース５３０が、上下方向に変位可能に連結される（図１６及び図１７参照）。
【００９３】
ハンドルベース５３０には、発射停止スイッチ操作部４４０が配設される。発射停止スイッチ操作部４４０は、ハンドルベース４６０の内部に設けられた打ち止めスイッチ５１ｂ（図７参照）のオン・オフを切り換えるためのレバーであり、ハンドルベース５３０の左側面（図５（ｂ）左側）から突出した状態で配設される。遊技者は、発射停止スイッチ操作部４４０を押下することにより、ハンドルリング５４０の回動操作量（回動位置）にかかわらず、遊技球の発射を停止することができる。
【００９４】
ハンドルリング５４０は、ハンドルベース５３０の前面（図５（ａ）右側）に回動可能に取り付けられる。遊技者は、ハンドルリング５４０を、操作ハンドル５１の正面視（図５（ｂ）参照）において、右回り（時計回り）方向に回動操作することにより、遊技球の発射強度を増大させることが可能である。
【００９５】
また、ハンドルリング５４０は、遊技者の回動操作が解除されると、リング付勢ばね５３７（図７参照）の付勢力により、その回動位置が初期位置へ復帰される。この場合、第１実施形態では、ハンドル取付台５２０に対してハンドルベース５３０を、軸支された部分を中心として変位させることで（図１７参照）、ハンドルリング５４０の回動位置を任意の回動位置で固定可能に構成される。即ち、球の発射強度を任意の強度で固定できる。かかるハンドルリング５４０の固定構造については、後述する。
【００９６】
なお、ハンドルリング５４０には、遊技者が指を掛けるための３つの指掛け部５４０ａ，５４０ｂ，５４０ｃが形成される。前カバー５５０は、前方（図５（ａ）左方向）へ凸となる半球状に形成され、ハンドルリング５４０の前面に取り付けらる。
【００９７】
次いで、図７を参照して、ハンドルベース５３０について説明する。
【００９８】
図７はハンドル取付台５２０及びハンドルベース５３０の正面斜視図であり、ハンドルリング５４０及び前カバー５５０が取り外された状態における操作ハンドル５１の前面斜視図に対応する。
【００９９】
図７に示すように、ハンドルベース５３０は、正面視が円形の筒状に形成される外周壁５３１と、その外周壁５３１の一方（背面）の開口を塞ぐ底壁５３２とを備え、これら両部材５３１，５３２によって、内部が背面側に窪んだ（即ち、前面側が開放された）容器形状に形成される。底壁５３２には、ガイド支柱５３３ａ〜５３３ｃと、内周壁５３４と、軸受部５３５とが背面から前面へ向けて立設される。
【０１００】
ガイド支柱５３３ａ〜５３３ｃは、前カバー５５０が締結固定される部位であり、締結ねじが挿通可能な（即ち、底壁５３２側および立設先端の両端に開口を有する貫通孔が貫通形成された）中空の筒形状に形成される。ガイド支柱５３３ａ〜５３３ｃの貫通孔に底壁５３２側から挿通された締結ねじが、前カバー５５０のねじ台座５５１ａ〜５５１ｃ（図８（ｂ）参照）にそれぞれ締結されることで、ハンドルベース５３０の前面に前カバー５５０が固着される。
【０１０１】
内周壁５３４は、正面視円形の筒状に形成され、外周壁５３１との間に一定の間隔を隔てつつ、その外周壁５３１の内周側に同心に配設される。内周壁５３４は、周方向の２ヶ所で分断されており、それら２ヶ所の分断された部位（切り欠き部５３４ａ，５３４ｂ）には、一方に発射停止スイッチ操作部４４０が、他方にリング規制部材７００が、それぞれ配設される。
【０１０２】
軸受部５３５は、ハンドルリング５４０を回動可能に保持（軸支）するための部位であり、ハンドルリング５４０の回動軸５４３（図８（ａ）参照）が回動可能に挿入される。軸受部５３５の内周面には、底壁５３２から前面へ向かって軸方向に延びる断面コ字状の溝５３５ａが形成される。溝５３５ａには、ハンドルリング５４０の回動軸５４３に突設される突起部５４３ａが内嵌され、ハンドルリング５４０の挿入時の位相（回動位置）が位置決めされる。
【０１０３】
軸受部５３５の側方には、従動ギヤ５３６が配設される。従動ギヤ５３６は、ハンドルリング５４０の主動ギヤ５４４（図８（ａ）参照）が歯合されるギヤであり、可変抵抗器（図示せず）の抵抗軸ＶＲａに固着される。よって、従動ギヤ５３６が回動されると、その回動量（回動位置）に応じて、可変抵抗器ＶＲの抵抗値が変化される。
【０１０４】
従動ギヤ５３６には、ねじりばねとして形成されるリング付勢ばね５３７から、正面視右回り（時計回り）方向へ付勢力が付与され、その付勢力により初期位置（ストッパ部５３６ａが軸受部５３５の外周突起５３５ｂに当接され回動が規制される位置）に復帰される。なお、可変抵抗器は底壁５３２に固着される。
【０１０５】
軸受部５３５の側方であって、従動ギヤ５３６の反対側には、打ち止めスイッチ５１ｂが固着される。打ち止めスイッチ５１ｂの側方には、揺動可能な揺動片５１ｂ１が突出され、その揺動片５１ｂ１が、発射停止スイッチ操作部４４０により押下されることで、打ち止めスイッチ５１ｂがオン・オフされる。
【０１０６】
次いで、図８（ａ）及び図８（ｂ）を参照して、ハンドルリング５４０及び前カバー５５０について説明する。
【０１０７】
図８（ａ）はハンドルリング５４０の背面斜視図であり、図８（ｂ）は前カバー５５０の背面斜視図である。
【０１０８】
図８（ａ）に示すように、ハンドルリング５４０は、ハンドルベース５３０の前面を覆う正面視円形の円板状に形成される円板部５３１と、その円板部５３１の外周縁部から背面側へ向けて立設され正面視が円形の筒状に形成される外周壁５４２と、円板部５３１の中央に位置し背面へ向けて突設される回動軸５４３と、その回動軸５４３の基部に固着される主動ギヤ５４４と、円板部５３１を板厚方向に貫通して形成されるガイド孔５４５ａ，５４５ｂとを備える。
【０１０９】
ハンドルリング５４０は、回動軸５４３がハンドルベース５３０の軸受部５３５（図７参照）に挿入されることで、ハンドルベース５３０に対して回動可能に保持（軸支）され、この場合、主動ギヤ５４４が、ハンドルベース５３０の従動ギヤ５３６に歯合される。よって、ハンドルリング５４０が回動操作されると、主動ギヤ５４４を介して従動ギヤ５３６が回動され、その従動ギヤ５３６の回動による抵抗軸ＶＲａの回動が可変抵抗器の抵抗を変化させるので、可変抵抗器の抵抗値（即ち、ハンドルリング５４０の回動操作量）に応じて、球の発射強度を調整できる。
【０１１０】
なお、本実施形態では、軸受部５３５と抵抗軸ＶＲａとの軸方向が互いに平行とされると共にその軸方向に対し従動ギヤ５３６の歯（歯溝）が平行に延設される（図７参照）。また、ハンドルリング５４０の回動軸５４３の軸方向に対し主動ギヤ５４４の歯（歯溝）が平行に延設される。
【０１１１】
ガイド孔５４５ａ，５４５ｂは、ガイド支柱５３３ａ〜５３３ｃを挿通させるための孔であり、それぞれハンドルリング５４０の外縁に沿った円弧状（即ち、回動軸５４３を中心とする円環形状を位相が１８０°異なる２ヶ所で分断した形状）に形成される。ガイド孔５４５ａにはガイド支柱５３３ａが挿通され、ガイド孔５４５ｂにはガイド支柱５３３ｂ，５３３ｃが挿通される。
【０１１２】
よって、ガイド支柱５３３ａ及びガイド支柱５３３ｂ，５３３ｃは、ハンドルリング５４０の回動に伴って、ガイド孔５４５ａ及びガイド孔５４５ｂの中をそれぞれ案内される。そのため、ハンドルリング５４０の回動可能な範囲は、ガイド孔５４５ａ，５４５ｂの中をガイド支柱５３３ａ〜５３３ｃが相対的に移動可能な範囲に制限される。図８の例では、ガイド孔５４５ａ，５４５ｂがそれぞれ略半周に渡る円弧状となっているので、ハンドルリング５４０の回動範囲は、略半周となる。
【０１１３】
図８（ｂ）に示すように、前カバー５５０は、内部が前面側に窪んだ（即ち、背面側が開放された）半球の容器形状に形成され、その内壁面には、軸受部５５１と、ねじ台座５５２ａ〜５５２ｃとが前面から背面へ向けて立設される。軸受部５５１は、中空の筒形状に形成され、ハンドルリング５４０の前面側に突出する回動軸５４３の先端部分が回動可能に挿入される。ねじ台座５５２ａ〜５５２ｃは、ガイド支柱５３３ａ〜５３３ｃにそれぞれ締結固定される。
【０１１４】
なお、前カバー５５０とハンドルリング５４０との間には、ねじりばねとして形成されるリング付勢ばね（図示せず）が配設される。このリング付勢ばねは、ハンドルリング５４０を正面視において左回り（反時計回り）へ付勢する。この付勢方向は、上述した従動ギヤ５３６を付勢するリング付勢ばね５３７が（図７参照）、従動ギヤ５３６及び主動ギヤ５４４を介して、ハンドルリング５４０を付勢する付勢方向と一致する。よって、遊技者がハンドルリング５４０から手を離すと、ハンドルリング５４０は、前カバー５５０とハンドルリング５４０との間に配設される図示しないリング付勢ばねと、従動ギヤ５３６を付勢するリング付勢ばね５３６との二つのばねの付勢力によって、初期位置へ復帰される。
【０１１５】
次いで、図９を参照して、ボス部材５６０について説明する。図９は、ハンドルベース５３０の背面斜視図である。なお、図９では、可変抵抗器や発射停止スイッチ操作部４４０などが取り外された状態が図示されると共に、軸５６３と軸受５２３との位置関係が二点鎖線を用いて模式的に図示される。
【０１１６】
図９に示すように、ボス部材５６０は、ハンドル取付台５２０に対してハンドルベース５３０を、軸支された部分を中心として、変位可能に連結するための部材であり、ハンドルベース５３０の背面から突設される。即ち、後述するように、ハンドル取付台５２０には軸受５２３が形成されると共に、ボス部材５６０には軸５６３が形成され、軸受５２３に軸５６３が回動可能に軸支されることで、その軸支された部分を中心（支点）として、ハンドル取付台５２０に対してハンドルベース５３０が変位可能とされる。なお、軸支された部分を中心（支点）とするハンドルベース５３０のハンドル取付台５２０に対する変位を「揺動」または「回動」と表現しても良い。
【０１１７】
ボス部材５６０は、ハンドルベース５３０の背面（底壁５３２）に締結固定される平板状の基部５６１と、その基部５６１から背面へ向けて突出され断面円形の棒状に形成される突出部５６２と、その突出部５６２の外側面から左右へ向けて一対が張り出される軸状の軸５６３と、突出部５６２の突出先端における下面に配設されるハーネスガイド５６４とを主に備えて構成される。
【０１１８】
突出部５６２の上面には、基部５６１（軸５６３）から離間する（即ち、ハーネスガイド５６４側へ向かう）に従って下降傾斜される傾斜面５６２ａが形成される。ここで、ボス部材５６０の突出部５６２は、ハンドル取付台５２０に対するハンドルベース５３０の軸支部分（軸５６３及び軸受５２３）を中心とする変位に伴い、軸５６３よりも突出先端側（ハーネスガイド５６４側）の部位が上方へ向けて変位される部位であるため（図１６及び図１７参照）、上方に位置する他の部材（即ち、ハンドル取付台５２０内に配設されるスイッチ、ＩＣ装置、ハーネス、或いは、ハンドル取付台５２０に一体に形成される補強リブ５２６など）との干渉を避ける必要がある。
【０１１９】
この場合、他の部材の配設位置を上方へ移動させるのでは、その分、ハンドル取付台５２０の大型化を招くところ、突出部５６２の上面に傾斜面５６２ａを形成することで、ハンドル取付台５２０の小型化を図りつつ、他の部材と突出部５６２との干渉を回避できる。特に、傾斜面５６２ａが上述のように軸５６３から離間するに従って下降傾斜する傾斜面として形成されることで、変位量が大きい突出先端側ほど逃げ量を大きくして、他の部材との干渉を効果的に回避しつつ、変位量が小さい軸５６３側では突出部５６２の切除量を最小として、突出部５６２の剛性を確保することができる。
【０１２０】
突出部５６２の突出先端には、ベース付勢ばねＳＰ（図１２参照）を保持するための一対のガイド壁５６２ｂが立設される。このように、一対のガイド壁５６２ａの間でベース付勢ばねＳＰを保持する構造とすることで、構造を簡素化して、部品コストの削減を図ることができると共に、ベース付勢ばねＳＰを組み付ける際の組み付け性の向上を図ることができる。なお、ガイド壁５６２ｂの対向間に位置する突出部５６２の上面は、背面視において円弧状に湾曲して形成され、ベース付勢ばねＳＰをスムーズに弾性変形させることができる。
【０１２１】
ハーネスガイド５６４は、電気的な配線をガイドするための部材であり、背面視において枠状に形成される。ハンドルベース５３０内から底壁５３２の開口を介してハンドル取付台５２０内に入り込む配線（打ち止めスイッチ５１ｂの配線など）やハンドル取付台５２０内に存在する配線（可変抵抗器の配線など）を、ハーネスガイド５６４の枠内に収容する（枠内を通過させる）ことで、ハンドルベース５３０が軸支部分（軸５６３及び軸受５２３）を中心として変位される際に、突出部５６２の上面、或いは、ハーネスガイド５６４の下面と、他の部材やハンドル取付台５２０の内壁面との間に配線を挟み込んで、断線させてしまうことを回避することができる。
【０１２２】
なお、突出部５６２の上面からガイド壁５６２ｂを突出させることは、他の部材やハンドル取付台５２０との間で配線を挟み込む可能性を高める。本実施形態では、ハーネスガイド５６４を設け、このハーネスガイド５６４の枠内を通過させることで、配線の挟み込み（断線）を抑制することが可能となっている。これにより、突出部５６２の上面にガイド壁５６２ｂを突出させることが可能となり、ベース付勢ばねＳＰを保持する構造の簡素化とその組み付け性の向上とを図ることができる。
【０１２３】
ハンドルベース５３０の背面（底壁５３２）には、合わせ面部５３２ａが形成される。合わせ面部５３２ａは、ハンドル取付台５２０の上合わせ面部５２７（及び下合わせ面部５２８）が当接される部位であり、ボス部材５６０の基部５６１の周囲を取り囲む縦長の円環状の領域に、全体が面一の平坦面として形成される。
【０１２４】
次いで、図１０及び図１１を参照して、ハンドル取付台５２０について説明する。図１０はハンドル取付台５２０の分解状態における斜視図である。図１１（ａ）はハンドル取付台５２０の組み立て状態における斜視図であり、図１１（ｂ）は第1本体５２０ａの内側面図である。
【０１２５】
図１０及び図１１に示すように、ハンドル取付台５２０は、縦長の筒状体として形成され、第1本体５２０ａと第２本体５２０ｂとに縦に２分割される。これら第１本体５２０ａ及び第２本体５２０ｂの合わせ面には、位置決め突起５２１ａが一方から突設されると共に、その位置決め突起５２１ａを受け入れて位置決めを行うための位置決め孔５２１ｂが他方の対応する位置に凹設される。同様に、締結ねじを挿通させるための挿通孔５２２ａが一方に貫通形成されると共に、その挿通孔５２２ａを挿通された締結ねじが締結されることで第１本体５２０ａ及び第２本体５２０ｂを締結固定するための締結孔５２２ｂが他方の対応する位置に凹設される。
【０１２６】
第１本体５２０ａ及び第２本体５２０ｂの内壁面には、軸受５２３と、係止爪部５２４と、収容凹部５２５と、補強リブ５２６とがそれぞれ形成される。軸受５２３は、ボス部材５６０の軸５６３を回動可能に軸支するための軸受部（凹部）であり、一対が対向して配設される。係止爪部５２４は、ベース付勢ばねＳＰの端部を係止するための部位であり（図１２参照）、背面へ向けて張り出しつつ下方に折れ曲がるフック状に形成される。
【０１２７】
収納凹部５２５及び補強リブ５２６は、第1本体５２０ａ及び第２本体５２０ｂの一方および他方の対向する位置に配設される部位である。即ち、収納凹部５２５は、ＩＣ装置などの部品を収容して保持するための凹部であり、その収容する部品の外形に対応する形状に形成され、補強リブ５２６は、内壁面から収納凹部５２５へ向けて突設され、その突設先端により、収納凹部５２５に収納された部品を押圧することで、ハンドル取付台５２０全体としての剛性を高める。
【０１２８】
第1本体５２０ａ及び第２本体５２０ｂの前面（図１１（ｂ）右側面）には、ハンドルベース５３０の合わせ面部５３２ａ（図９参照）に当接される上合わせ面部５２７及び下合わせ面部５２８が形成される。これら上合わせ面部５２７及び下合わせ面部５２８は、ハンドル取付台５２０の前面側の端面（正面視において縦長の円環状の面）に形成されると共に、それぞれが面一の平坦面として形成される。なお、下合わせ面部５２８は、上合わせ面部５２７から離間するに従って背面へ向けて傾斜される。これにより、ハンドル取付台５２０に対しハンドルベース５３０が軸支部分（軸５６３及び軸受５２３）を中心として変位可能となる（図１６及び図１７参照）。
【０１２９】
第1本体５２０ａの下合わせ面部５２８は、その一部が拡大されて（即ち、第１本体５２０ａの内壁面から径方向内方へ板状体が張り出され）、その拡大部分（張り出し部分）が、リング規制部材７００の被押圧面部７０２ａを押圧するための押圧面部５２８ａとされる。押圧面部５２８ａの背面側には補強部５２８ｂが連設される。補強部５２８ｂは、板状に形成され、押圧面部５２８ａの上端側のみが、第１本体５２０ａの内壁面および段差面５２０ａ１に連結される。これにより、第１本体５２０ａの内壁面と補強部５２８ｂとの間に空間を形成できる分、樹脂材料を抑制して、部品コストの削減を図りつつ、押圧面部５２８ａの剛性を効果的に高めて、耐久性の向上を図ることができる。
【０１３０】
次いで、図１２を参照して、ベース付勢ばねＳＰについて説明する。図１２は、ハンドル取付台５２０及びハンドルベース５３０の背面斜視図である。なお、図１２では、可変抵抗器などが取り外された状態が図示されると共に、その他の部品の配線の図示が省略される。
【０１３１】
図１２に示すように、ベース付勢ばねＳＰは、コイルスプリングとして形成され、弾性的に引張変形（伸張）された状態で、両端の円環状の部分が係止爪部５２４に係止されると共に、コイルスプリングの略中間部分がボス部材５６０の突出部５６２における突出先端（一対のガイド壁５６２ｂの対向間）に架け渡される。
【０１３２】
これにより、ボス部材５６０は、ベース付勢部材ＳＰの弾性回復力により、軸５６３を中心として、突出部５６２における突出先端が係止爪部５２４へ近接する方向（下方）へ付勢される。その結果、ハンドル取付台５２０に対し、ハンドルベース５３０が上方へ変位される（図１６参照）。
【０１３３】
ハンドル取付台５２０は、背面が開放して形成されるので、かかる背面の開放部分からハンドル取付台５２０の内部空間を露出させることができる。これにより、ベース付勢ばねＳＰの両端を係止爪部５２４に係止させると共に、その中間部分を一対のガイド壁５６２ｂの対向間に架設する作業を、ハンドル取付台５２０の背面の開放部分から行うことができるので、その取付作業の作業性の向上を図ることができる。
【０１３４】
なお、ハンドルベース５３０が上方へ変位された（跳ね上げられた）状態では、ハンドルベース５３０の合わせ面部５３２ａに、ハンドル取付台５２０の上合わせ面部５２７が当接された状態となる。即ち、ハンドル取付台５２０及びハンドルベース５３０の対向面（合わせ面）には、平坦面状に形成された合わせ面部（上合わせ面部５２７及び合わせ面部５３２ａ）が形成され、これら合わせ面部が、ハンドルベース５３０の変位位置が初期位置（第１位置）に配設された状態で、ベース付勢ばねＳＰの付勢力により密着される。この密着により、初期位置において、ハンドル取付台５２０に対しハンドルベース５３０をがたつかせることなく、安定した状態に維持することができる。その結果、例えば、ハンドルリング５４０を回動操作する際の操作性の向上を図ることができる。
【０１３５】
また、ハンドルベース５３０の変位位置が初期位置に配設された状態では、互いに密着される合わせ面（上合わせ面部５２７及び合わせ面部５３２ａ）がハンドル取付台５２０及びハンドルベース５３０の上方（上面）に位置するので、合わせ面が開放された場合に（図１７参照）、遊技者が不用意に落下させた異物や埃、ゴミなどの異物がハンドル取付台５２０の内部に入り込むことを抑制できる。特に、ハンドルベース５３０は、ベース付勢ばねＳＰの付勢力によって初期位置（第１位置）に復帰され、その初期位置にある期間が長いため、合わせ面（上合わせ面部５２７及び合わせ面部５３２ａ）を上方に配設する構成が有効となる。
【０１３６】
次いで、図１３から図１５を参照して、リング規制部材７００について説明する。図１３はリング規制部材７００が装着された状態におけるハンドルベース５３０の正面斜視図であり、図１４は、リング規制部材７００が取り外された状態におけるハンドルベース５３０の正面斜視図である。なお、図１３及び図１４では、可変抵抗器や発射停止スイッチ操作部４４０などが取り外された状態が図示される。
【０１３７】
図１３及び図１４に示すように、ハンドルベース５３０には、内周壁５３４に形成された切り欠き部５３４ｂにリング規制部材７００が装着される。なお、ハンドルベース５３０の底壁５３２には、前面から背面（詳細には合わせ面部５３２ａ）に貫通する正面視円形の貫通孔５３２ｂが形成される。なお、貫通孔５３２ｂ及び切り欠き部５３４ｂは、ハンドルリング５４０の回動軸と平行とされる。
【０１３８】
リング規制部材７００は、ハンドルリング５４０が初期位置へ復帰することを規制する（即ち、ハンドルリング５４０の回動操作量（回動位置）を固定する）ための樹脂材料製の部材であり、ハンドル取付台５２０に対しハンドルベース５３０が軸支部分（軸５６３及び軸受５２３）を中心として変位された場合に、ハンドル取付台５２０（押圧面部５２８ａ）により前面へ向けて押し出され、ハンドルリング５４０の円板部５４１を押圧することで、ハンドルリングの回動を規制するように構成される（図１７参照）。ここで、図１５を参照して、リング規制部材７００について説明する。
【０１３９】
図１５（ａ）及び図１５（ｂ）は、リング規制部材７００の斜視図である。リング規制部材７００は、本体部７０１と、その本体部７０１の背面から突出されるロッド部７０２と、本体部７０１の両側から突出される一対の腕部７０３とを主に備えて構成される。
【０１４０】
本体部７０１は、板状に形成される部位であり、少なくとも上面（図１５（ｂ）上側面）が凹状に湾曲して形成される。これにより、ハンドルベース５３０に装着された場合には、ハンドルベース５３０の内部空間を確保して、他の部品の取り付けの自由度を高めることができると共に、取り付け作業時の作業性の向上を図ることができる。
【０１４１】
本体部７０１の左右両側の側面には、スライド案内溝７０１ａが凹設される。スライド案内溝７０１ａは、断面コ字状の直線状の凹溝であり、ロッド部７０２の突設方向に平行に延設される。このスライド案内溝７０１ａには、リング規制部材７００がハンドルベース５３０に装着された状態において、ハンドルベース５３０の内周壁５３４（切り欠き部５３４ｂの両側部分）が内嵌される。即ち、本体部７０１の底面側から突出する部分と腕部７０３の基部との対向間に、ハンドルベース５３０の内周壁５３４が挟み込まれる。これにより、本体部７０１（リング規制部材７００）は、ロッド部７０２の延設方向への移動（スライド）のみが許容され、ハンドルベース５３０における周方向への移動が規制される。
【０１４２】
本体部７０１の前面には、平坦面状の当接面部７０１ｂが形成される。当接面部７０１ｂは、ハンドルリング５４０の円板部５４１の背面に当接される部位であり（図１７参照）、ハンドルリング５４０の回動軸に垂直（即ち、本体部７０１の移動（スライド）方向に平行）に形成される。
【０１４３】
ロッド部７０２は、本体部７０１の背面から突設される断面円形の棒状体であり、ハンドルベース５３０の底壁５３２における貫通孔５３２ｂに挿通可能に形成される。ロッド部７０２の突設先端には、半球状の被押圧面部７０２ａが形成される。なお、ロッド部７０２の本体部７０１の背面からの突設長さは、底壁５３２の厚みよりも大きくされ、リング規制部材７００がハンドルベース５３０に装着された状態では、ロッド部７０２の被押圧面部７０２ａが、底壁５３２の背面（合わせ面部５３２ａ）から突出される（図１６参照）。
【０１４４】
なお、ロッド部７０２の被押圧面部７０２ａが半球状に形成されるので、ハンドル取付台５２０に対してハンドルベース５３０が軸支部分（軸５６３及び軸受５２３）を中心として変位され、ハンドル取付台５２０の押圧面部５２８ａにより被押圧面部７０２ａが押圧される場合には（図１６及び図１７参照）、リング規制部材７００を、安定して移動（スライド）させることができる。即ち、本実施形態では、ハンドル取付台５２０の押圧面部５２８ａが軸５６３を中心として移動する一方、リング規制部材７００がスライド（直線移動）する構造であり、両者の相対的な位置関係が不定であるところ、ハンドル取付台５２０の押圧面部５２８ａが平面として形成され、リング規制部材７００の被押圧面部７０２ａが押圧面部５２８ａへ向けて膨出する球面として形成されることで、両者の接触位置を、軸支部分（軸５６３及び軸受５２３）を中心とする変位に伴い移動させ、リング規制部材７００をハンドルリング５４０へ向かう方向へスライドさせるための力成分を連続的に発生させることができる。これにより、リング規制部材７００を詰まらせる（即ち、スライド案内溝７０１ａにハンドルベース５３０の内周壁５３４が噛み込む、或いは、ロッド部７０２が貫通孔５３２ｂに噛み込む)ことを抑制して、安定してスライドさせることができる。
【０１４５】
腕部７０３は、本体部７０１の両側の側面から突設される断面略矩形の棒状体であり、その腕部７０３の底面は、ハンドルベース５３０の内周壁５３４の内周面に対応する曲率で湾曲して形成される。これにより、リング規制部材７００がハンドルベース５３０に装着された（本体部７０１のスライド案内溝７０１ａに内周壁５３４が内嵌された）状態では、かかる腕部７０３の底面を内周壁５３４の内周面に沿って湾曲させた状態とでき、腕部７０３が受止突起５３８から脱落することを抑制できる。また、腕部７０３が、ハンドルベース５３０の周方向に沿って延設されることで、他の部品の配設スペースに影響を与えることを抑制しつつ、腕部７０３をより長くすることができると共に腕部７０３の弾性変形に必要なスペースを確保することができる。
【０１４６】
図１３及び図１４に戻って説明する。ハンドルベース５３０の内周壁５３４には、その内周面から径方向内方へ向けて一対の受止突起５３８が突設される。受止突起５３８は、リング規制部材７００の腕部７０２を拘束して、その移動を規制することで、弾性変形させるための部位であり、リング規制部材７００の腕部７０３の先端部分に対応する位置に配設される。
【０１４７】
ハンドルベース５３０の切り欠き部５３４ｂ（リング規制部材７００をハンドルリング５４０へ向けてスライド移動可能に保持するスライド保持部）は、前面（ハンドルリング５４０に対面する側）が開放されて形成される。よって、その開放部分を利用して、リング規制部材７００を切り欠き部５３４ｂに容易に装着することができるので、そのリング規制部材７００を装着する作業に関する組み立てコストの削減を図ることができる。
【０１４８】
なお、切り欠き部５３４ｂの開放部分は、ハンドルリング５４０に対面する側であるから（図１６参照）、ハンドルベース５３０にハンドルリング５４０が配設されることで、リング規制部材７００が切り欠き部５３４ｂの開放部分から脱落することはない。
【０１４９】
また、ハンドルベース５３０の内周壁５３４には、リング規制部材７００の腕部７０３を受け止める受止突起５３８が突設されるので、ハンドルベース５３０の切り欠き部５３４ｂにその開放部分からリング規制部材７００を装着した後、ハンドルベース５３０にハンドルリング５４０が装着されるまでの間に（即ち、図１３に示す状態にある時に）、リング規制部材７００が切り欠き部５３４ｂの開放部分から脱落することを防止することができるる。よって、組み立て工程での作業性の向上を図ることができる。
【０１５０】
一方、リング規制部材７００の腕部７０３は、樹脂材料からなり、弾性変形可能に形成されるので、ハンドル取付台５２０に対してハンドルベース５３０が軸支部分（軸５６３及び軸受５２３）を中心として変位され、リング規制部材７００が前面（ハンドルリング５４０）へ向けて押圧される場合には、先端部分が受止突起５３８に拘束される腕部７０２を弾性変形させることで、リング規制部材７００を移動（スライド）させることができる。これにより、リング規制部材７００の当接面部７０１ｂをハンドルリング５４０の背面（被当接面部）に当接させることができる（図１７参照）。
【０１５１】
また、ハンドル取付台５２０に対するハンドルベース５３０の軸支部分（軸５６３及び軸受５２３）を中心とする変位が解除された場合には、弾性変形された腕部７０２の弾性回復力により、リング規制部材７００を、ハンドルリング５４０から離間する方向へ移動させ、初期位置へ復帰させることができる（図１６参照）。これにより、リング規制部材７００の当接面部７０１ｂとハンドルリング５４０の背面（被当接面部）との間に隙間を形成できる。その結果、両者の当接による抵抗に起因してハンドルリング５４０の回動操作が阻害されることを回避できる。
【０１５２】
ここで、受止突起５３８は、ハンドルベース５３０の内周壁５３４の内周面から径方向内方へ向けて突設されるので、組み立て時における視認性を確保できる。その結果、腕部７０３と受止突起７３８との位置関係（即ち、腕部７０３が受止突起７３８に適正に係合されているか否か）の確認作業を容易として、作業性の向上を図ることができる。
【０１５３】
また、受止突起７３８には、その突設上面に、前面から背面へ向かうに従って（即ち、リング規制部材７００の装着方向に沿って）ハンドルベース５３０の内周壁５３４の内周面から上昇傾斜する傾斜面が形成されるので、切り欠き部５３４ｂにその開放部分からリング規制部材７００を装着する際には、受止突起５３８の突設上面に形成される傾斜面に沿ってリング規制部材７００の腕部７０３が移動することで、かかる受止突起５３８を腕部７０３に容易に乗り越えさせることができる。即ち、切り欠き部７３８の開放部分からリング規制部材７００を押し込むだけでよく、腕部７０３を持ち上げて受止突起７３８を乗り越えさせる作業を別途行う必要がないので、その組み立て作業の作業性の向上を図ることができる。
【０１５４】
次いで、図１６及び図１７を参照して、操作ハンドル５１の動作について説明する。
【０１５５】
図１６は、変位操作される前の状態における操作ハンドル５１の部分断面側面図であり、図１７は、変位操作された後の状態における操作ハンドル５１の部分断面側面図である。なお、図１６及び図１７では、下皿ユニット１５の前面が二点鎖線により模式的に図示されると共に、ハンドル取付台５２０の第２本体５２０ｂが取り外された状態が図示され、また、各部品の配線の図示が省略される。
【０１５６】
図１６に示すように、ハンドル取付台５２０に対しハンドルベース５３０が軸支部分（軸５６３及び軸受５２３）を中心として変位される前の状態（即ち、遊技者によりハンドルベース５３０が下方へ向けて変位操作されていない状態）では、ハンドルベース５３０が水平位置（第１位置）にあり、ハンドル取付台５２０及びハンドルベース５３０の合わせ面は、上合わせ面部５２７が合わせ面部５３２ａに当接される一方、下合わせ面部５２８が合わせ面部５３２ａから離間される。
【０１５７】
図１６に示す状態から、ハンドル取付台５２０に対してハンドルベース５３０が軸支部分（軸５６３及び軸受５２３）を中心として下方へ変位されると、リング規制部材７００のロッド部７０２における被押圧面部７０２ａが、ハンドル取付台５２０の押圧面部５２８ａに押圧され、リング規制部材７００が前面（ハンドルリング５４０）へ向けてスライド移動される。ハンドルベース５３０が軸支部分（軸５６３及び軸受５２３）を中心として下方へ更に変位されると、下合わせ面部５２８が合わせ面部５３２ａに当接され、図１７に示すように、リング規制部材７００の本体部７０１における当接面部７０１ｂがハンドルリング５４０の円板部５４１における背面に当接される。
【０１５８】
その結果、ハンドルリング５４０は、その回動操作量（回動位置）にかかわらず、初期位置への復帰が規制され、回動操作量が固定される。よって、球の発射強度を、現在のハンドルリング５４０の回動操作量に応じた球の発射強度に固定することができる。
【０１５９】
この場合、ハンドルリング５４０の回動操作量を固定する従来技術として、次のものがある。例えば、特開２０１２−５７５９号には、本実施の形態における前カバー５５０に相当する前カバーベースの頂部（遊技者から見て手前側）に、前方（遊技者側）へ向けて凸な半球状となるボタンを設け、このボタンを遊技者が手の平で奥側へ押し込むことで、ハンドルリングの回動操作量を固定する技術が開示される。
【０１６０】
しかし、かかる従来技術では、ハンドルリングの回動操作を行いながら、かつ、ボタンの押し込み操作を行う必要がある。詳細には、手指で握ったハンドルリングを周方向へ動作させる操作（回動操作）と、手の平をボタン表面に回りこませつつ奥側へ向けて押し込む操作とを並行して行う必要がある。そのため、ハンドルリングの回動操作量（回動位置）を維持しつつ、ボタンを押し込むには、遊技者に高度な技術が要求される。また、この状態（ハンドルリングの回動操作量を維持しつつ、ボタンを押し込んだ状態）は、遊技者にとって無理な姿勢となるため、かかる状態を継続する（即ち、球の発射強度を所望の発射強度に固定する）ことが遊技者の負担になる。その結果、ボタンを押し込む際だけでなく、押し込みを維持する際にも、ハンドルリングの回動操作量（回動位置）がずれ易く、所望の回動操作量に維持することが困難となる。
【０１６１】
なお、このような無理な姿勢であるが故に、ハンドルリングの回動操作量（回動位置）を維持しつつ、ボタンの押し込みを解除する操作にも高度な技術が要求される。
【０１６２】
これに対し、本実施形態によれば、ハンドルベース５３０の軸支部分（軸５６３及び軸受５２３）を中心とする変位操作は、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドルリング５４０の回動操作量が所望の回動操作量に固定された状態）を維持することも容易となる。よって、ハンドルベース５３０の操作時およびその操作状態を維持する際に、ハンドルリング５４０の回動位置に位置ずれが生じることを抑制し、球の発射強度を所望の発射強度に精度良く固定することができる。
【０１６３】
また、このように、軸支部分（軸５６３及び軸受５２３）を中心としてハンドルベース５３０を変位させる構造であれば、遊技者は、ハンドルベース５３０（前カバー５５０）に手のひらを添えると共に、そのまま手の重みを作用させる動作のみで、ハンドルベース５３０を軸支部分（軸５６３及び軸受５２３）を中心として下方へ変位させることができる。即ち、遊技者は、手の重みを作用させるという簡易な動作を行うのみで、球の発射強度を所望の発射強度に固定することができる。
【０１６４】
また、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドルリング５４０の回動操作量が所望の回動操作量に固定された状態）を維持することも容易となる。よって、ハンドルベース５３０の操作時およびその操作状態を維持する際に、ハンドルリング５４０の回動位置に位置ずれが生じることを抑制し、球の発射強度を所望の発射強度に精度良く固定することができる。
【０１６５】
また、リング規制部材７００の本体部７０１における当接面部７０１ｂと、ハンドルリング５４０の円板部５４１における背面（被当接面部）とが互いに平滑面として形成されるので、ハンドルリング５４０の回動位置を、任意の回動位置で固定可能とすることができる。
【０１６６】
例えば、リング規制部材７００の本体部７０１における当接面部７０１ｂと、ハンドルリング５４０の円板部５４１における背面（被当接面部）とにそれぞれ鋸歯状の凹凸を設け、それら鋸歯状の凹凸同士を係合させることで、ハンドルリング５４０の回動位置を固定する構造では、ハンドルリング５４０の回動位置の固定を強固に行うことができる一方で、鋸歯状の凹凸のピッチ（間隔）が調整幅の最小値となる。そのため、固定可能な回動位置が断続的となり、所望の回動位置に固定できないおそれがある。
【０１６７】
これに対し、本実施形態のように、リング規制部材７００の本体部７０１における当接面部７０１ｂとハンドルリング５４０の円板部５４１における背面（被当接面部）とが平滑面とされることで、固定可能な回動位置が連続的となるので、任意の回動位置で固定可能として、その調整幅を確保することができる。
【０１６８】
また、当接面部７０１ｂが円板部５４１の背面（被当接面部）に当接された状態とされ、ハンドルリング５４０の回動操作量が固定されたとしても、これら当接面部７０１ｂ及び被当接面部が平滑面とされていることで、互いの当接面を相対的に滑動させることができるので、ハンドルリング５４０の回動操作量の固定後であっても、かかるハンドルリング５４０の回動操作量を微調整することができる。
【０１６９】
ここで、前カバー５５０は、ハンドルリング５４０の前面側（図１６右側）に配設されるので、遊技者は、ハンドルリング５４０を手指で把持する際に、前カバー５５０の外面に手の平を添えることができ、かかる前カバー５５０を、ハンドル取付台５２０に対してハンドルベース５３０を軸支部分（軸５６３及び軸受５２３）を中心として変位させる際に力を加える部分（力点）として利用することができる。
【０１７０】
この場合、図１７に示すように、本実施形態では、ハンドル取付台５２０に対しハンドルベース５３０を変位可能に軸支するボス部材５６０の軸５６３（支点）から押圧面部５２８ａ（被押圧面部７０２ａの突出先端（作用点））までの距離Ａが、少なくとも、ボス部材５６０の軸５６３からハンドルリング５４０の背面までの距離Ｂよりも小さくされる。よって、ボス部材５６０の軸５６３（支点）から前カバー５５０の外面（力点）までの距離は、距離Ａよりも大きくされる。
【０１７１】
即ち、力点から支点までの距離を、支点から作用点までの距離よりも大きくすることができるので、力点となる前カバー５５０の外面に加えられる力が小さくても、その力を増幅させて、作用点となる押圧面部５２８ａによってリング規制部材７００（被押圧面部７０２ａ）をより大きな力で押圧することができる。これにより、リング規制部材７００をハンドルリング５４０に強固に当接させ、ハンドルリング５４０の回動操作量（回動位置）を確実に固定することができる。
【０１７２】
次いで、図１８を参照して、第２実施形態について説明する。図１８（ａ）及び図１８（ｂ）は、第２実施形態における操作ハンドル２０５１の部分断面側面図である。なお、図１８（ａ）では変位操作される前の状態が、図１８（ｂ）では変位操作された後の状態が、それぞれ図示される。また、第１実施形態と同一の部分については同一の符号を付して、その説明を省略する。
【０１７３】
図１８に示すように、第２実施形態におけるリング規制部材２７００は、本体部７０１の前面に平坦面状に形成される当接面部２７０１ｂを備え、この当接面部２７０１ｂが、ハンドルリング２５４０の径方向（リング規制部材２７００のスライド方向に直交する方向、図１８（ａ）上下方向）に対して傾斜される。即ち、当接面部２７０１ｂは、ハンドルリング２５４０の回動軸に対して非垂直に形成され、その傾斜方向は、ハンドルリング５４０の回動軸に近接する側（図１８（ａ）上側）ほど前面側（図１８（ａ）右側）に位置する方向である。一方、ハンドルリング２５４０の円板部２５４１は、その背面（被当接面部）が、平坦面として形成されると共に、リング規制部材２７００の当接面部２７０１ｂと平行に傾斜される。
【０１７４】
ここで、上記第１実施形態の操作ハンドル５１（図１５参照）では、当接面部７０１ｂ及び円板部５４１の背面（被当接面部）とが、ハンドルリング５４０の回動軸に対して垂直に形成されるため、操作ハンドル５１（ハンドルベース５３０）が軸支部分（軸５６３及び軸受５２３）を中心として変位された際（図１６参照）、ハンドルリング５４０の円板部５４１における背面（被当接面部）には、当接面部７０１ｂからハンドルリング５４０の回動軸方向の力成分のみが作用する。この力成分の方向（回動軸方向）には、ハンドルリング５４０（円板部５４１）は拘束されていないため、ハンドルリング５４０（円板部５４１）は、当接面部７０１ｂに押圧される部分が、回動軸方向（図１６右方向）へ反って（逃げて）しまう。そのため、当接面部７０１ｂをハンドルリング５４０の背面（被当接面部）に密着させることができず、ハンドルリング５４０の回動位置を強固に固定することが困難となる。
【０１７５】
これに対し、第２実施形態の操作ハンドル２０５１によれば、ハンドルリング２５４０の円板部２５４１における背面（被当接面部）に対し、リング規制部材２７００の当接面部２７０１ｂから、回動軸方向の力成分だけでなく、径方向外方（図１８（ｂ）下方向）への力成分も発生させることができる。ハンドルリング２５４０は、径方向外方への力成分に対しては拘束されるため、リング規制部材２７００の当接面部２７０１ｂをハンドルリング２５４０の背面（被当接面部）に密着させることでき、その分、ハンドルリング２５４０の回動位置を強固に固定することができる。
【０１７６】
特に、リング規制部材２７００の当接面部２７０１ｂ及びハンドルリング２５４０の円板部２５４１における背面（被当接面部）が平坦面として形成される場合には、ハンドルリング２５４０が任意の回動位置で固定可能となり、その調整幅を確保することができる一方で、それら両面部の間での滑動（スリップ）が発生し易く、これらを互いに密着させることが必要となる。そのため、第２実施形態における構成が有効となる。
【０１７７】
ここで、上記のように径方向外方への力成分も発生させるためには、リング規制部材の移動（スライド）の方向自体をハンドルリング５４０の回動軸の方向に対して傾斜させることも考えられるが、その傾斜の分、リング規制部材の配設に必要なスペースが径方向に嵩むこととなり、ハンドルベース５３０の大型化を招くと共に、ハンドルベース５３０を樹脂材料から金型を用いて射出成形する場合には、ハンドルベース５３０の金型からの脱型性が悪化する。これに対し、リング規制部材２７００のスライド移動の方向をハンドルリング２５４０の回動軸の方向と平行とすることで、リング規制部材２７００の配設に必要なスペースを抑制することができ、その分、ハンドルベース２５３０の小型化を図ることができる。また、リング規制部材２７００がスライド移動可能に配設される部分（切り欠き部５３４ｂ）の形状を、ハンドルベース５３０を射出成形する金型の脱型方向（即ち、回動軸の方向）に沿わせることができ、その分、成形性と金型構造の簡素化とを図ることができる。
【０１７８】
次いで、図１９を参照して、第３実施形態について説明する。図１９（ａ）及び図１９（ｂ）は、第３実施形態における操作ハンドル３０５１の部分断面側面図である。なお、図１９（ａ）では変位操作される前の状態が、図１９（ｂ）では変位操作された後の状態が、それぞれ図示される。また、第１実施形態と同一の部分については同一の符号を付して、その説明を省略する。
【０１７９】
図１９に示すように、第３実施形態におけるリング規制部材３７００は、本体部７０１の底面に当接面部３７０１ｃを備える。当接面部３７０１ｃは、リング規制部材３７００の背面から前面へ向かうに従って上昇傾斜（ハンドルリング３５４０の回動軸に近接）する傾斜面として形成される。即ち、当接面部３７０１ｃは、ハンドルリング３５４０の回動軸方向（図１９（ａ）左右方向）に対して傾斜される。一方、ハンドルリング３５４０は、外周壁３５４２の内周面が、リング規制部材３７００の当接面部３７０１ｂが当接される被当接面部とされ、当接面部３７０１ｂと平行に傾斜される。
【０１８０】
なお、円板部３５４１の背面は、第１実施形態における円板部５４１の背面よりも前面側に位置し、操作ハンドル３０５１（ハンドルベース５３０）が軸支部分（軸５６３及び軸受５２３）を中心として変位された場合に、図１９（ｂ）に示すように、リング規制部材３７００の前面（当接面部７０１ｂ）との間に隙間を有する。
【０１８１】
第３実施形態の操作ハンドル３０５１によれば、ハンドルリング３５４０の外周壁３５４２の内周面（被当接面部）に、リング規制部材３７００の当接面部３７０１ｃが当接されることで、回動軸方向の力成分だけでなく、径方向外方（図１９（ｂ）下方向）への力成分も発生させることができる。ハンドルリング３５４０は、径方向外方への力成分に対しては拘束されるため、リング規制部材３７００の当接面部３７０１ｃをハンドルリング３５４０の外周壁３５４１の内周面（被当接面部）に密着させることでき、その分、ハンドルリング３５４０の回動位置を強固に固定することができる。
【０１８２】
特に、リング規制部材３７００の当接面部３７０１ｃ及びハンドルリング３５４０の外周壁３５４１の内周面（被当接面部）が平坦面として形成される場合には、ハンドルリング３５４０が任意の回動位置で固定可能となり、その調整幅を確保することができる一方で、それら両面部の間での滑動（スリップ）が発生し易く、これらを互いに密着させることが必要となる。そのため、第３実施形態における構成が有効となる。
【０１８３】
次いで、図２０を参照して、第４実施形態について説明する。図２０（ａ）及び図２０（ｂ）は、第４実施形態における操作ハンドル４０５１の部分断面側面図である。なお、図２０（ａ）では変位操作される前の状態が、図２０（ｂ）では変位操作された後の状態が、それぞれ図示される。
【０１８４】
第１実施形態では、操作ハンドル５１のハンドルリング５４０が回動操作されると、その回動操作量に対応して可変抵抗器の抵抗値が変化され、その可変抵抗値に対応した発射強度で球が発射される場合を説明した。第4実施形態では、発射強度変更スイッチ４６４０がオンされた場合には、ハンドルリング５４０の回動操作量（可変抵抗器の抵抗値）の大きさに関わらず、調整可能範囲内における最大の発射強度で球が発射される。なお、第１実施形態と同一の部分については同一の符号を付して、その説明を省略する。
【０１８５】
図２０に示すように、第４実施形態における操作ハンドル４０５１は、発射強度変更スイッチ４６４０を備える。発射強度変更スイッチ４６４０は、ハンドルベース５３０の内周壁５３４を周方向に分断して形成される切り欠き部５３４ｂ（図１４参照）に配設される。即ち、第４実施形態では、第１実施形態に対し、リング規制部材７００に代えて、発射強度変更スイッチ４６４０が配設される。
【０１８６】
発射強度変更スイッチ４６４０は、オンされた場合に球の発射強度を最大とするスイッチであり、スイッチ操作部４６４０ａを備える。スイッチ操作部４６４０ａは、発射強度変更スイッチ４６４０のオン・オフを切り替えるための操作部であり、発射強度変更スイッチ４６４０内に配設される付勢ばね（図示せず）により突出方向へ付勢されている。このスイッチ操作部４６４０ａが、付勢ばねの付勢力に抗して押し込まれることで、発射強度変更スイッチ４６４０をオンさせる一方、押し込み力が解除されると、付勢ばねの付勢力により初期位置へ復帰し、発射強度変更スイッチ４６４０をオフさせる。
【０１８７】
なお、スイッチ操作部４６４０ａは、その先端が半球状に形成されると共に断面円形の棒状に形成され、図２０（ａ）に示すように、半球状の先端部を底壁５３２の背面（合わせ面部５３２ａ）から突出させた状態（即ち、発射強度変更スイッチ４６４０をオフさせた状態）で、ハンドルベース５３０の貫通孔５３２ｂに挿通される。
【０１８８】
図２０（ｂ）に示すように、ハンドル取付台５２０に対し、ハンドルベース５３０が軸支部分（軸５６３及び軸受５２３）を中心として下方へ向けて変位されると、スイッチ操作部４６４０ａの半球状の先端部が、ハンドル取付台５２０の押圧面部５２８ａに押圧され、前面へ向けてスライド移動される（付勢ばねの付勢力に抗して押し込まれる）。これにより、発射強度変更スイッチ４６４０がオンされる。
【０１８９】
発射強度変更スイッチ４６４０がオンされると、主制御装置１１０は、球の発射強度を制御する発射制御処理において、発射制御装置１１２に対して、最大の発射強度での球の発射を指示する（図４参照）。これにより、第２入球口６４０へ向けて、可変表示装置８０の右方を球が通過するように球を発射（所謂「右打ち」）することができる（図２参照）。
【０１９０】
ここで、遊技者は、通常中は、第２入球口６４０に付随する電動役物が閉鎖状態にある場合が多く、第２入球口６４０に入球しづらいので、第１入球口６４への入球によって大当たり抽選の機会を多く得て、大当たりとなることを狙うべく、電動役物のない第１入球口６４へ向けて、可変表示装置ユニット８０の左方を球が通過するように球を発射する（所謂「左打ち」）。一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙う（図２参照）。
【０１９１】
この場合、ハンドルリング５４０の回動操作量を最大として、「右打ち」を行っている時間は、比較的短く、「右打ち」が終了するたびに、ハンドルリング５４０の回動操作量を戻しつつ、球の発射強度を元の発射強度に再調整する必要があり、その再調整が遊技者にとっては煩わしかった。
【０１９２】
これに対し、第４実施形態では、操作ハンドル４０５１（ハンドル取付台５２０に対してハンドルベース５３０）を軸支部分（軸５６３及び軸受５２３）を中心として変位させることで、ハンドルリング５４０の回動操作量を変更しなくても、球の発射強度を最大として、「右打ち」を行うことができる。よって、「右打ち」が終了した際には、操作ハンドル５１の軸支部分（軸５６３及び軸受５２３）を中心とする変位を解除するのみで、元の発射強度での「左打ち」に復帰することができる。
【０１９３】
即ち、操作ハンドル４０５１は、ハンドルベース５３０自体の軸支部分（軸５６３及び軸受５２３）を中心とする変位を起点として、球の発射強度を最大の発射強度に設定する構造であり、かかるハンドルベース５３０自体の軸支部分（軸５６３及び軸受５２３）を中心とする変位は、ハンドルベース５３０とハンドルリング５４０とを一体的に変位させる動作であるから、かかる軸支部分（軸５６３及び軸受５２３）を中心とする変位を、ハンドルリング５４０の回動操作量（回動位置）を維持しつつ、行うことができる。また、ハンドルベース５３０自体の軸支部分（軸５６３及び軸受５２３）を中心とする変位を戻せば、球の発射強度を元の発射強度（ハンドルリング５４０の回動操作量に応じた発射強度）に復帰させることができる。これにより、遊技状態が変化するたびに、ハンドルリング５４０を回動操作して、球の発射強度を再調整する手間を不要とすることができ、遊技者の負担を軽減することができる。
【０１９４】
図２０（ａ）に示すように、操作ハンドル４０５１は、ハンドル取付台５２０に対するハンドルベース５３０の軸支部分（軸５６３及び軸受５２３）を中心とする変位位置がベース付勢ばねＳＰの付勢力（図１５参照）によって初期位置（第１位置）にある状態では、スイッチ操作部４６４０ａの半球状の先端部が、ハンドル取付台５２０の押圧面部５２８ａ、から所定距離だけ離間される（隙間が形成される）。これにより、発射強度変更スイッチ４６４０のオン（球の発射強度の変更）は、ハンドル取付台５２０に対してハンドルベース５３０が軸支部分（軸５６３及び軸受５２３）を中心として初期位置から所定量以上だけ変位されなければ、行われないこととなる。これにより、遊技者の意図しない操作（ハンドルベース５３０の軸支部分（軸５６３及び軸受５２３）を中心とする変位操作）によって、球の発射強度が不用意に変更される（即ち、不用意に「右打ち」となる）ことを抑制することができる。
【０１９５】
図２０（ｂ）に示すように、操作ハンドル４０５１は、ハンドル取付台５２０に対してハンドルベース５３０が軸支部分（軸５６３及び軸受５２３）を中心として下方へ向けて最大に変位された変位位置（第２位置）においても、発射強度変更スイッチ４６４０がオンされた状態に維持される。よって、遊技者は、球の発射強度を最大に維持する場合には、ハンドルベース５３０の軸支部分（軸５６３及び軸受５２３）を中心とする変位をその可動範囲の終端まで操作すれば良く、可動範囲の途中で停めて維持する必要がない。即ち、「右打ち」の状態を遊技者にとって楽な姿勢（ハンドルベース５３０を可動範囲の終端まで操作した姿勢）で形成することができるので、その操作性の向上を図ることができる。
【０１９６】
また、このように、楽な姿勢であるので、「右打ち」を行っている間も、ハンドルリング５４０の回動操作量（回動位置）がずれ難く、所望の回動操作量に維持しやすくすることができる。その結果、「右打ち」を終了し、「左打ち」を再開する際には、元の発射強度（即ち、「右打ち」を行う前の発射強度）での球の発射をより高精度に再現することができる。
【０１９７】
次いで、図２１を参照して、第５実施形態について説明する。図２１（ａ）及び図２１（ｂ）は、第５実施形態における操作ハンドル５０５１の部分断面側面図である。なお、図２１（ａ）では変位操作される前の状態が、図２１（ｂ）では変位操作された後の状態が、それぞれ図示される。
【０１９８】
第５実施形態における操作ハンドル５０５１は、第１実施形態における操作ハンドル５１に対し、発射強度変更スイッチ５６４０が追加された点のみが異なり、他の構成は同一である。かかる第１実施形態と同一の部分については、同一の符号を付して、その説明を省略する。
【０１９９】
発射強度変更スイッチ５６４０は、オンされた場合に球の発射強度を最大とするスイッチであり、揺動片５６４０ａを備える。揺動片５６４０ａは、発射強度変更スイッチ５６４０のオン・オフを切り替えるための操作部であり、付勢ばね（図示せず）により開放方向へ付勢されており、付勢ばねの付勢力に抗して押し込まれた状態では、発射強度変更スイッチ５６４０をオフさせる一方、押し込み力が解除されると、付勢ばねの付勢力により初期位置へ復帰し、発射強度変更スイッチ５６４０をオンさせる。
【０２００】
発射強度変更スイッチ５６４０がオンされると、主制御装置１１０は、球の発射強度を制御する発射制御処理において、発射制御装置１１２に対して、最大の発射強度での球の発射を指示する（図４参照）。これにより、第２入球口６４０へ向けて、可変表示装置８０の右方を球が通過するように球を発射（所謂「右打ち」）することができる（図２参照）。
【０２０１】
図２１（ａ）に示すように、ハンドル取付台５２０に対してハンドルベース５３０が軸支部分（軸５６３及び軸受５２３）を中心として変位される前の状態では、揺動片５６４０ａがハーネスガイド５６４の前面によって押し込まれ、発射強度変更スイッチ５６４０がオフされている。この図２１（ａ）の状態から、ハンドル取付台５２０に対し、ハンドルベース５３０が軸支部分（軸５６３及び軸受５２３）を中心として下方へ向けて変位されると、ハーネスガイド５６４が徐々に後退され、揺動片５６４０ａが初期位置へ向けて開放され、ハーネスガイド５６４の後退量（即ち、ハンドルベース５３０の軸支部分（軸５６３及び軸受５２３）を中心とする下方への変位量）が所定量に達すると、揺動片５６４０ａが初期位置へ復帰され、発射強度変更スイッチ５６４０がオンされる。
【０２０２】
このように、発射強度変更スイッチ５６４０のオン（球の発射強度の変更）は、ハンドル取付台５２０に対するハンドルベース５３０の軸支部分（軸５６３及び軸受５２３）を中心とする変位量が所定量以上となった場合に行われるので、遊技者の意図しない操作（ハンドルベース５３０の軸支部分（軸５６３及び軸受５２３）を中心とする変位操作）によって、球の発射強度が不用意に変更される（即ち、不用意に「右打ち」となる）ことを抑制することができる。
【０２０３】
また、図２１（ｂ）に示すように、ハンドル取付台５２０に対してハンドルベース５３０が軸支部分（軸５６３及び軸受５２３）を中心として下方へ向けて最大に変位された変位位置（第２位置）では、発射強度変更スイッチ５６４０がオンされた状態に維持されるので、「右打ち」の状態を遊技者にとって楽な姿勢（ハンドルベース５３０を可動範囲の終端まで操作した姿勢）で形成することができ、その操作性の向上を図ることができる。
【０２０４】
ここで、上記した第４実施形態の操作ハンドル４０５１においても、ハンドル取付台５２０に対してハンドルベース５３０を軸支部分（軸５６３及び軸受５２３）を中心として変位させる（発射強度変更スイッチ４６４０がオンさせる）ことで、「右打ち」を実行し、ハンドル取付台５２０に対するハンドル部エース５３０の軸支部分（軸５６３及び軸受５２３）を中心とする変位を解除することで、「左打ち」に復帰することができる。しかし、ハンドルベース５３０を軸支部分（軸５６３及び軸受５２３）を中心として変位させて、「右打ち」を実行している最中に、ハンドルリング５４０の回動操作量（回動位置）にずれが発生した場合には、「左打ち」に復帰した際に、元の発射強度での球の発射を再現できないという問題がある。
【０２０５】
これに対し、第５実施形態の操作ハンドル５０５１によれば、ハンドルリング５４０が初期位置へ復帰されることを規制するリング規制部材７００を備えるので、図２１（ｂ）に示すように、ハンドル取付台５２０に対してハンドルベース５３０が軸支部分（軸５６３及び軸受５２３）を中心として変位されると、ハンドルリング５４０が初期位置へ復帰されることをリング規制部材７００によって規制して、ハンドルリング５４０の回動操作量（回動位置）を固定することができる。これにより、「右打ち」を実行している際に、ハンドルリング５４０の回動操作量（回動位置）がずれることを抑制して、所望の回動操作量（即ち、「右打ち」を実行する前の元の発射強度）に維持することができる。その結果、「右打ち」を終了して、「左打ち」に復帰する際には、元の発射強度での球の発射を高精度に再現することができる。
【０２０６】
次いで、図２２から図２４を参照して、第６実施形態について説明する。図２２は、第６実施形態におけるハンドルベース６５３０の背面斜視図である。図２３は、変位操作される前の状態における操作ハンドル６０５１の部分断面側面図であり、図２４は、変位操作された後の状態における操作ハンドル６０５１の部分断面側面図である。
【０２０７】
なお、図２２では、可変抵抗器や発射停止スイッチ操作部４４０などが取り外された状態が図示されると共に、軸５６３と軸受５２３との位置関係が二点鎖線を用いて模式的に図示される。また、図２３及び図２４では、下皿ユニット１５の前面が二点鎖線により模式的に図示されると共に、ハンドル取付台５２０の第２本体５２０ｂが取り外された状態が図示され、また、各部品の配線の図示が省略される。
【０２０８】
第６実施形態における操作ハンドル６０５１は、第１実施形態における操作ハンドル５１に対し、ハンドルベース６５３０に遮蔽壁６５３９が追加された点と、ハンドル取付台６５２０の挿通孔６５２２ａ（及び締結孔５２２ｂ、図１０参照）の配設位置が変更された点のみが異なり、他の構成は同一である。かかる第１実施形態と同一の部分については、同一の符号を付して、その説明を省略する。
【０２０９】
遮蔽壁６５３９は、ハンドルベース６５３０の底壁５３２から背面へ向けて立設される部位であり、合わせ面部５３２ａの内周縁に沿って形成される。但し、合わせ面部５３２ａの内の上半分（具体的には、軸５６３の中心よりも上方、図２３上側）に相当する領域の内周縁のみに立設される。よって、遮蔽壁６５３９は、背面視において、縦長の円環の下半分を切除した形状に形成される。
【０２１０】
図２３に示すように、ハンドル取付台６５２０に対するハンドルベース６５３０の軸支部分（軸５６３及び軸受５２３）を中心とする変位位置が初期位置（第１位置）にある状態では、遮蔽壁６５３９は、ハンドル取付台５２０の前面の開口からそのハンドル取付台５２０の内部に挿入された状態となる。この状態から、ハンドル取付台６５２０に対してハンドルベース６５３０が軸支部分（軸５６３及び軸受５２３）を中心として下方へ向けて変位されると、ハンドル取付台６５２０の第１合わせ面部５２７とハンドルベース６５３０の合わせ面部６５３２ａとの間に開口が形成されるところ、本実施形態における操作ハンドル６０５１によれば、かかる開口を遮蔽壁６５３９によって遮蔽することができる。
【０２１１】
図２４に示すように、ハンドル取付台６５２０に対してハンドルベース６５３０が軸支部分（軸５６３及び軸受５２３）を中心として下方へ向けて最大に変位された変位位置（第２位置）においても、ハンドル取付台６５２０の第１合わせ面部５２７とハンドルベース６５３０の合わせ面部６５３２ａとの間の開口を遮蔽可能な立設高さで、遮蔽壁６５３９が形成される。これにより、開口から異物を差し込む不正行為を抑制できる。また、遊技者が不用意に落下させた異物や埃、ゴミなどの異物がハンドル取付台６５２０の内部に入り込むことを抑制できる。よって、例えば、内部に入り込んだ異物が、ボス部材５６０とハンドル取付台６５２０の内壁面との間に挟まり、ハンドルベース６５３０の軸支部分（軸５６３及び軸受５２３）を中心とする変位が阻害されることで、ハンドルベース６５３０が初期位置（第１位置）へ復帰できなくなる不具合を抑制できる。
【０２１２】
次いで、図２５から図２７を参照して、第７実施形態について説明する。
【０２１３】
第1実施形態では、ハンドル取付台５２０に対してハンドルベース５３０が軸支部分（軸５６３及び軸受５２３）を中心として変位可能に配設される場合を説明したが、第７実施形態のハンドルベース７５３０は、ハンドル取付台７５２０に対して、スライド移動（変位）可能に配設される。なお、第１実施形態と同一の部分については、同一の符号を付して、その説明を省略する。
【０２１４】
図２５（ａ）は第７実施形態におけるハンドル取付台７５２０の組み立て状態における斜視図であり、図２５（ｂ）は第1本体７５２０ａの内側面図である。図２５に示すように、ハンドル取付台７５２０は、縦長の筒状体として形成され、第1本体７５２０ａと第２本体７５２０ｂとに縦に２分割される。第１本体７５２０ａ及び第２本体７５２０ｂの内壁面には、スライド軸受７５２４が形成される。スライド軸受７５２４は、ボス部材５６０の軸５６３を一方向（図２５（ｂ）上下方向）に案内するための凹部であり、一対が対向して配設される。即ち、スライド軸受７５２４は、その溝幅（図２５（ｂ）左右方向寸法）が、軸５６３の直径と同等または若干大きくされ、挿入された軸５６３を延設方向（上下方向）に案内する。
【０２１５】
なお、スライド軸受７５２４内には、そのスライド軸受７５２４に挿入させた軸５６３を上方へ向けて付勢するベース付勢ばねＳＰ７が配設される。ベース付勢ばねＳＰ７は、コイルスプリングであり、弾性的に圧縮変形された状態で、軸５６３とスライド軸受７５２４の下側内壁面との間に配設され、その弾性回復力により軸５６３を上方へ向けて付勢する。
【０２１６】
第1本体７５２０ａ及び第２本体７５２０ｂの前面（図２５（ｂ）右側面）には、ハンドルベース５３０の合わせ面部５３２ａに当接される合わせ面部７５２７が形成される。合わせ面部７５２７は、ハンドル取付台７５２０の前面側の端面（正面視において縦長の円環状の面）であり、スライド軸受７５２４の延設方向（図２５（ｂ）上下方向）に平行な全体が面一の平坦面として形成される。
【０２１７】
第1本体７５２０ａの合わせ面７５２７は、その一部が拡大されて（即ち、第１本体７５２０ａの内壁面から径方向内方へ平行に張り出されて）形成される押圧面部７５２７ａを備える。また、押圧面部７５２７ａの上端には、傾斜面部７５２８ａが連設される。傾斜面部７５２８ａは、押圧面部７５２７ａの上端から背面（図２５（ｂ）左側）へ向けて傾斜される。
【０２１８】
なお、押圧面部７５２７ａ及び傾斜面部７５２８ａの背面側には補強部７５２８ｂが連設される。補強部７５２８ｂは、第１実施形態における補強部５２８ｂと同様の構成であるので、その説明は省略する。
【０２１９】
図２６は、スライド操作される前の状態における操作ハンドル７０５１の部分断面側面図であり、図２７は、スライド操作された後の状態における操作ハンドル７０５１の部分断面側面図である。
【０２２０】
なお、図２６及び図２７では、下皿ユニット１５の前面が二点鎖線により模式的に図示されると共に、ハンドル取付台７５２０の第２本体７５２０ｂが取り外された状態が図示され、また、各部品の配線の図示が省略される。
【０２２１】
図２６に示すように、第7実施形態における操作ハンドル７０５１は、ハンドル取付台７５２０に対しハンドルベース７５３０がスライド移動される前の状態（即ち、遊技者によりハンドルベース７５３０が下方へ向けてスライド移動されていない状態、第１位置）では、ハンドル取付台７５２０の合わせ面部７５２７及びハンドルベース７５３０の合わせ面５３２ａが、全面にわたって当接される。
【０２２２】
図２６に示す状態から、ハンドル取付台７５２０に対してハンドルベース７５３０が下方へ（即ち、スライド軸受７５２４の延設方向に沿って）スライド移動されると、リング規制部材７００のロッド部７０２における被押圧面部７０２ａが、ハンドル取付台５２０の傾斜面部７５２８ａに当接された後、その傾斜面部７５２８ａに沿って被押圧面部７０２ａが移動されることで、リング規制部材７００が前面（ハンドルリング５４０）へ向けてスライド移動される。
【０２２３】
図２７に示すように、ハンドルベース７５３０が下方へ更にスライド移動され、リング規制部材７００のロッド部７０２における被押圧面部７０２ａが、ハンドル取付台５２０の押圧面部７５２７ａに到達されると、リング規制部材７００の本体部７０１における当接面部７０１ｂが、ハンドルリング５４０の円板部５４１における背面に当接される（背面を押圧する）。
【０２２４】
その結果、ハンドルリング５４０の回動操作量（回動位置）にかかわらず、その初期位置への復帰が規制され、ハンドルリング５４０の回動操作量を固定することができるので、ハンドルリング５４０の回動操作量に応じて調整される球の発射強度の固定を行うことができる。
【０２２５】
第７実施形態における操作ハンドル７０５１によれば、ハンドルベース５３０を下方へスライド移動させる操作は、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０をスライド移動させることができる。よって、第１実施形態における軸支部分（軸５６３及び軸受５２３）を中心とする変位操作の場合と同様に、操作性の向上を図ることができると共に、ハンドルリング５４０の回動位置に位置ずれが生じることを抑制し、球の発射強度を所望の発射強度に精度良く固定することができる。
【０２２６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２２７】
上記各実施形態のうちの一の実施形態における一部または全部の構成を、他の実施形態における一部または全部の構成と組み合わせて、或いは、置き換えて、パチンコ機１０を構成しても良い。例えば、第４実施形態における発射強度変更スイッチ４６４０を、第７実施形態におけるリング規制部材７００と置き換えて、パチンコ機１０を構成することが例示される。
【０２２８】
上記各実施形態では、リング規制部材７００〜３７００が５３２ｂ及び切り欠き部５３４ｂに保持（案内）されてスライド移動される場合を説明したが、必ずしもこれに限られるものではなく、リング規制部材をハンドルベースに回動可能に軸支する構成であっても良い。即ち、ハンドル取付台に対するハンドルベースの変位（軸支部分（軸５６３及び軸受５２３）を中心とする変位またはスライド移動）に伴い、リング規制部材を回動させ、回動されたリング規制部材の一部をハンドルリングに当接させる構成であっても良い。
【０２２９】
上記各実施形態では、ハンドル取付台５２０，６５２０，７５２０に対してハンドルベース５３０，６５３０が変位（軸支部分（軸５６３及び軸受５２３）を中心とする変位またはスライド移動）可能に配設される場合を説明したが、必ずしもこれに限られるものではなく、ハンドル取付台５２０，６５２０，７５２０を、ハンドルベース５３０，６５３０に代えて、遊技機本体（下皿本体１５）に変位（軸支部分を中心とする変位またはスライド移動）可能に配設しても良い。
【０２３０】
上記各実施形態では、ハンドル取付台５２０，６５２０，７５２０に対してハンドルベース５３０，６５３０を、下方へ向けて変位（軸支部分（軸５６３及び軸受５２３）を中心とする変位またはスライド移動）させる場合を説明したが、必ずしもこれに限られるものではなく、ハンドル取付台５２０，６５２０，７５２０に対してハンドルベース５３０，６５３０を、上方へ向けて変位（軸支部分を中心とする変位またはスライド移動）させる構成としても良い。即ち、ハンドル取付台５２０，６５２０，７５２０に対してハンドルベース５３０，６５３０を変位（軸支部分を中心とする変位またはスライド移動）させる前の初期位置（第１位置）を、変位（軸支部分を中心とする変位またスライド移動）させた後の位置（第２位置、即ち、ハンドルリング５４０の初期位置への復帰を規制可能な位置、又は、発射強度変更スイッチ４６４０，５６４０をオンさせる位置）よりも下方としても良い。
【０２３１】
上記各実施形態では、ハンドル取付台５２０，６５２０，７５２０に対してハンドルベース５３０，６５３０を軸支部分（軸５６３及び軸受５２３）を中心とする変位またはスライド移動の初期位置へ復帰させるベース付勢ばねＳＰ，ＳＰ７がコイルスプリングとして形成される場合を説明したが、必ずしもこれに限られるものではなく、他の形態の付勢手段を採用することは当然可能である。他の付勢手段としては、例えば、金属性の板材からなる板ばね、金属性の線材を巻回してなるねじりばね、或いは、ウレタン状弾性体やゴム状弾性体からなる弾性体などが例示される。
【０２３２】
上記各実施形態では、ハンドル取付台５２０，６５２０，７５２０に対してハンドルベース５３０，６５３０が軸支部分（軸５６３及び軸受５２３）を中心として変位またはスライド移動する方向が上下方向である場合を説明したが、必ずしもこれに限られるものではなく、パチンコ機１０の正面視において、上下方向と左右方向とを合成した斜め方向であっても良い。
【０２３３】
上記各実施形態では、リング規制部材７００に一対の腕部７０３を設ける場合を説明したが、必ずしもこれに限られるものではなく、かかる一対の腕部７０３を省略しても良い。材料コストを削減することができる。
【０２３４】
上記各実施形態では、リング規制部材７００，２７００の当接面部７０１ｂ，２７０１ｂとハンドルリング５４０，２５４０の円板部５４１，２５４１の背面（被当接面部）とが平滑面として形成される場合を説明したが、必ずしもこれに限られるものではなく、例えば、これら当接面部７０１ｂ，２７０１ｂと円板部５４１，２５４１の背面とに鋸歯状の凹凸を設けても良い。これら鋸歯状の凹凸同士を係合させることで、ハンドルリング５４０，２５４０の回動位置を固定する構造であれば、ハンドルリング５４０，２５４０の回動位置の固定を滑ることなく強固に行うことができる。
【０２３５】
上記第４実施形態または第５実施形態では、発射強度変更スイッチ４６４０，５６４０がオンされた場合、球の発射強度が最大の発射強度に変更（調整）される場合を説明したが、必ずしもこれに限られるものではなく、調整可能な発射強度の範囲内で任意に設定することができる。
【０２３６】
上記第４実施形態または第５実施形態では、発射強度変更スイッチ４６４０，５６４０がオンされている間、球の発射強度が所定の発射強度（上記実施形態では最大の発射強度）に変更（調整）される場合を説明したが、必ずしもこれに限られるものではない。例えば、発射強度変更スイッチ４６４０，５６４０がオンされた場合には、そのオンが検出されてから一定期間の間は、発射強度変更スイッチ４６４０，５６４０がオフされたとしても、球の発射強度を所定の発射強度（例えば、最大の発射強度）に維持する構成としても良い。これにより、遊技者は、「右打ち」の間、ハンドル取付台５２０に対するハンドルベース５３０の変位（軸支部分（軸５６３及び軸受５２３）を中心とする変位）を維持し続ける必要がないので、その負担を軽減することができる。
【０２３７】
上記第４実施形態または第５実施形態では、発射強度変更スイッチ４６４０，５６４０がオンされている間、ハンドルリング５４０の回動操作量（回動位置）に関わらず、球の発射強度が所定の発射強度（上記実施形態では最大の発射強度）に維持される場合を説明したが、必ずしもこれに限られるものではない。例えば、発射強度変更スイッチ４６４０，５６４０がオンされている状態で、ハンドルリング５４０が回動操作された場合には、そのハンドルリング５４０の回動操作の状態に応じて、球の発射強度を変更（調整）しても良い。これにより、遊技者は、「右打ち」の実行中に、球の発射強度を微調整することができる。
【０２３８】
上記第４実施形態では、ハンドルベース５３０の軸支部分（軸５６３及び軸受５２３）を中心とする変位操作に伴いオン・オフされるスイッチを、発射強度変更スイッチ４６４０として構成する場合を説明したが、必ずしもこれに限られるものではなく、ハンドルベース５３０の軸支部分（軸５６３及び軸受５２３）を中心とする変位操作に伴いオン・オフされるスイッチを、打ち止めスイッチとして構成しても良い。即ち、ハンドルベース５３０の軸支部分（軸５６３及び軸受５２３）を中心とする下方（第２位置）への変位に伴い、スイッチ操作部４６４０ａが付勢ばねの付勢力に抗して押し込まれることで（図２０（ｂ）参照）、打ち止めスイッチがオンされ、ハンドルリング５４０の回動操作量（回動位置）にかかわらず、球の発射が停止される一方、ハンドルベース５３０の初期位置（第１位置）への復帰に伴い、付勢ばねの付勢力によりスイッチ操作部４６４０ａが初期位置へ復帰されることで（図２０（ａ）参照）、打ち止めスイッチがオフされ、球の発射が許可されるように構成しても良い。第５実施形態においても同様である。
【０２３９】
ここで、上記実施形態では、発射停止スイッチ操作部４４０の操作により、打ち止めスイッチ５１ｂをオン・オフすることが可能であるが、かかる発射停止スイッチ操作部４４０は、ハンドルリング５４０とは別にハンドルベース５３０に設けられた別部材であるため、かかる発射停止スイッチ４４０の操作と、ハンドルリング５４０の回動操作とをそれぞれ別々に行う必要がある。そのため、ハンドルリング５４０の回動操作量（回動位置）によっては、発射停止スイッチ操作部４４０が遊技者にとって必ずしも操作し易い位置にあるとは限らず、ハンドルリング５４０を把持している手指の一部を離して、或いは、無理な姿勢で、発射停止スイッチ操作部４４０を操作する必要が生じ、その結果、操作性が悪いという問題があった。
【０２４０】
これに対し、上述したように、ハンドルベース５３０の軸支部分（軸５６３及び軸受５２３）を中心とする変位操作に伴いオン・オフされるスイッチを、打ち止めスイッチとして構成する場合のように、ハンドルベース５３０自体の変位（第４実施形態及び第５実施形態における軸支部分（軸５６３及び軸受５２３）を中心とする変位に限らず、例えば、第７実施形態におけるスライド移動を含む）を起点として、打ち止めスイッチをオンさせ、球の発射を停止する構造であれば、かかるハンドルベース５３０自体の変位は、ハンドルベース５３０とハンドルリング５４０とを一体的に変位させる動作であるから、ハンドルリング５４０がどのような回動位置にあったとしても、ハンドルリング５３０を把持する手指の一部を離すことなく、そのハンドルベース５３０を変位させることができる。これにより、操作性の向上を図ることができる。
【０２４１】
なお、ハンドルベース５３０の軸支部分（軸５６３及び軸受５２３）を中心とする変位操作に伴いオン・オフされるスイッチを、打ち止めスイッチとして構成する場合には、上記各実施形態で説明した打ち止めスイッチ５１ｂ及び発射停止スイッチ操作部４４０は省略しても良い。
【０２４２】
上記第５実施形態では、発射強度変更スイッチ５６４０の揺動片５６４０ａが、ハーネスガイド５６４により押下される場合を説明したが、必ずしもこれに限られるものではなく、任意の部位を利用することができる。即ち、ハンドル取付台５２０に対するハンドルベース５３０の相対移動を検出できる部位であれば良く、例えば、揺動片５４６０ａを押下する部位は、ボス部材５６０の基部５６１や突出部５６２、ハンドルベース５３０の底壁５３２であっても良い。或いは、発射強度変更スイッチ５６４０をボス部材５６０に固着し、その揺動片５６４０ａをハンドル取付台５２０の内壁面により押下する構成であっても良い。発射強度変更スイッチ５６４０を、打ち止めスイッチとして構成する場合も同様である。
【０２４３】
上記第６実施形態では、遮蔽壁６５３９がハンドル取付台６５２０の内部に挿入（内壁面側に配設）される場合を説明したが、必ずしもこれに限られるものではなく、遮蔽壁６５３９を、ハンドルベース６５３０の合わせ面部５３２ａの外周縁に沿って立設させ、かかる遮蔽壁６５３９の内壁面をハンド取付台６５２０の外壁面に対向させても良い。即ち、遮蔽壁６５３９の内壁面側にハンドル取付台６５２０の前面側を挿入しても良い。
【０２４４】
これにより、ハンドル取付台６５２０に対するハンドルベース５３０の軸支部分（軸５６３及び軸受５２３）を中心とする変位に伴い、ハンドル取付台６５２０の上合わせ面部５２７とハンドルベース６５３０の合わせ面部５３２ａとの間に形成される開口を、遮蔽壁６５３９により塞ぐ（遮蔽する）ことができる。よって、開口にコイン等が差し込まれ、ハンドル取付台６５２０に対するハンドルベース６５３０の軸支部分（軸５６３及び軸受５２３）を中心とする変位状態が固定されることを抑制できる。例えば、開口にコイン等が差し込まれ、ハンドルベース６５３０の軸支部分（軸５６３及び軸受５２３）を中心とする変位状態が固定された状態（即ち、ハンドルリング５４０の回動操作量に応じた球の発射強度が固定された状態）のままで、次の遊技者に引き継がれると、次の遊技者が同様の遊技を実現することが可能となるところ、開口へのコイン等の差し込みを抑制できれば、次の遊技者が同様の遊技を実現することを困難とできる。
【０２４５】
上記第７実施形態では、ハンドル取付台７５２０に対するハンドルベース５３０のスライド移動により、リング規制部材７００を動作させる場合を説明したが、必ずしもこれに限れられるものではなく、これに代えて、或いは、これに加えて、発射強度変更スイッチ４６４０，５６４０を配設しても良い。発射強度変更スイッチ４６４０の場合は、第４実施形態の場合と同様に、リング規制部材７００に代えて配設すれば良く、発射強度変更スイッチ５６４０の場合は、第５実施形態の場合のように、ボス部材７５６０によって揺動片５６４０ａが押下されるように配設すれば良い。また、これら発射強度変更スイッチ４６４０，５６４０を、打ち止めスイッチとして構成しても良い。
【０２４６】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０２４７】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０２４８】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０２４９】
以下に、本発明の遊技機に加えて上述した実施形態に含まれる各種発明の概念を示す。
【０２５０】
遊技者によって回動操作されるハンドルリングを備え、そのハンドルリングの回動操作量に応じて遊技球の発射強度が調整される遊技機において、前記ハンドルリングが回動可能に配設されると共に遊技機本体に対して変位可能とされるハンドルベースを備え、前記遊技機本体に対してハンドルベースが変位されることで、所定の動作が行われることを特徴とする遊技機Ａ１。
【０２５１】
遊技機Ａ１によれば、ハンドルベースにはハンドルリングが回動可能に配設され、そのハンドルリングが回動可能に配設されたハンドルベースが、遊技機本体に対して変位されることで、所定の動作が行われる。よって、かかる所定の動作を行うための操作（遊技機本体に対するハンドルベースの変位）を、ハンドルリングの回動操作量を維持しつつ、容易に行うことができる。
【０２５２】
なお、所定の動作としては、例えば、遊技球の発射の停止、遊技球の発射強度の変更（増加または減少）、ハンドルリングの初期位置への復帰の規制（ハンドルリングの回動の禁止または回動の抑制）などが例示される。
【０２５３】
遊技機Ａ１において、前記ハンドルベースが変位可能に配設されると共に遊技機本体に固設されるハンドル取付台を備え、前記ハンドル取付台に対してハンドルベースが変位されることで、前記所定の動作が行われることを特徴とする遊技機Ａ２。
【０２５４】
遊技機Ａ２によれば、遊技機Ａ１の奏する効果に加え、ハンドルベースが変位可能に配設されると共に遊技機本体に固設されるハンドル取付台を備えるので、ハンドルリング、ハンドルベース及びハンドル取付台を少なくとも備え、ハンドル取付台に対してハンドルベースが変位可能に構成された操作ハンドルをユニットとして組み立てることができる。よって、かかる操作ハンドルをユニットとして組み立てた上で、そのユニットを遊技機本体に組み付けることができるので、遊技機の製造の効率化を図ることができる。
【０２５５】
遊技機Ａ２において、前記ハンドルベースが前記ハンドル取付台に軸支され、その軸支された部分を中心として前記ハンドル取付台に対してハンドルベースが変位されることで、前記所定の動作が行われることを特徴とする遊技機Ａ３。
【０２５６】
遊技機Ａ３によれば、遊技機Ａ２の奏する効果に加え、ハンドルベースがハンドル取付台に軸支され、その軸支された部分を中心としてハンドル取付台（即ち、遊技機本体）に対してハンドルベースが変位されることで、所定の動作が行われるので、かかる所定の動作を行うための操作を、ハンドルリングの回動操作量を維持しつつ、より容易に行うことができる。
【０２５７】
例えば、所定の動作を行うための操作として、ハンドルベースをハンドル取付台に対して直線方向へスライド移動させる必要がある場合、操作者は、ハンドルリングを把持する手指および腕の全体を直線方向へスライド移動させなければならず、ハンドルリングの回動操作量を維持しつつ、かかるスライド移動を行うことが困難となる。これに対し、軸支された部分を中心としてハンドル取付台に対してハンドルベースを変位させる操作であれば、操作者は、手首を変位（軸支部分（軸５６３及び軸受５２３）を中心とする変位）方向へ曲げる動作のみで行うことができるので、ハンドルリングの回動操作量を維持しつつ、ハンドル取付台に対するハンドルベースの軸支部分（軸５６３及び軸受５２３）を中心とする変位を容易に行うことができる。
【０２５８】
なお、「軸支された部分を中心（支点）として、ハンドル取付台に対してハンドルベースが変位する」ことを「揺動」又は「回動」と表現しても良い。例えば、「揺動」を採用した場合には、遊技機Ａ３の場合には、「ハンドルベースがハンドル取付台に揺動可能（回動可能）に軸支され、前記ハンドル取付台に対してハンドルベースが揺動されることで、所定の動作が行われる」となる。なお、上記変位を揺動または回動と表現しても良いことは、以下の遊技機Ａ４〜Ａ２７，Ｂ１〜Ｂ３においても同様である。
【０２５９】
遊技機Ａ３において、前記軸支された部分を中心とする前記ハンドル取付台に対するハンドルベースの変位方向が少なくとも上下方向を含む方向であることを特徴とする遊技機Ａ４。
【０２６０】
遊技機Ａ４によれば、遊技機Ａ３の奏する効果に加え、軸支された部分を中心とするハンドル取付台に対するハンドルベースの変位方向が少なくとも上下方向を含む方向であるので、ハンドル取付台に対してハンドルベースを軸支された部分を中心として変位させる操作を、ハンドルリングの回動操作量を維持しつつ、手首を曲げる動作によって、より容易に行うことができる。
【０２６１】
なお、上下方向を含む方向とは、遊技機本体を正面視した状態において、軸支された部分を中心とするハンドル取付台に対するハンドルベースの変位方向の成分を、上下方向とその上下方向に直交する左右方向とに分解した場合に、上下方向の成分を少なくとも有することを意味する。即ち、軸支された部分を中心とするハンドル取付台に対するハンドルベースの変位方向は、上下方向に完全に平行である必要はなく、上下方向に対して傾斜する方向であっても良い。
【０２６２】
遊技機Ａ３又はＡ４において、前記ハンドル取付台に対して第１位置と第２位置との間で軸支された部分を中心として変位可能とされる前記ハンドルベースの変位位置を第１位置へ復帰させる付勢力を前記ハンドルベースに付与するベース付勢部材を備え、前記ハンドル取付台に対してハンドルベースが前記ベース付勢部材の付勢力に抗して第１位置から少なくとも第２位置へ向かう方向へ軸支された部分を中心として変位されることで、前記所定の動作が行われると共に、第１位置におけるハンドルベースが第２位置におけるハンドルベースよりも上方に配置されることを特徴とする遊技機Ａ５。
【０２６３】
遊技機Ａ５によれば、遊技機Ａ３又はＡ４の奏する効果に加え、ハンドルベースの変位位置を第１位置に復帰させる付勢力がベース付勢部材によって付与されるので、ハンドルベースを第２位置へ向かう方向へ軸支された部分を中心として変位させ、所定の動作を行った後は、ベース付勢部材の付勢力を利用して、第１位置へ復帰させることができ、その結果、遊技者の操作負担の軽減を図ることができる。
【０２６４】
ここで、第１位置におけるハンドルベースは第２位置におけるハンドルベースよりも上方に配置されるので、ハンドルベースをベース付勢部材の付勢力に抗して軸支された部分を中心として変位させる方向を下向きとすることができる。即ち、遊技者は、ハンドルベースをベース付勢部材の付勢力に抗して変位させる操作を、ハンドルリングを把持する手指や腕の自重を利用して行うことができるので、その操作性の向上を図ることができる。また、ハンドルベースは、遊技機本体の比較的低い位置に配設され、遊技者にとって、操作位置が比較的低いため、下方へ向けて変位させる操作の方が力を作用させ易い。よって、この点からも操作性の向上を図ることができる。
【０２６５】
遊技機Ａ１からＡ５のいずれかにおいて、前記ハンドルリングの回動位置を初期位置に復帰させる付勢力を前記ハンドルリングに付与するリング付勢部材と、前記ハンドルベースの変位に伴って、前記ハンドルリングが初期位置へ復帰されることを規制するリング規制部材とを備えることを特徴とする遊技機Ａ６。
【０２６６】
遊技機Ａ６によれば、遊技機Ａ１からＡ５のいずれかの奏する効果に加え、遊技本体（遊技機Ａ２からＡ５においてはハンドル取付台）に対してハンドルベースを変位（遊技機Ａ３からＡ５においては軸支された部分を中心として変位）させることで、ハンドルリングが初期位置へ復帰されることをリング規制部材によって規制して、ハンドルリングの回動操作量（回動位置）を固定することができる。これにより、ハンドルリングの回動操作量に応じて調整される遊技球の発射強度の固定を容易に行うことができ、遊技者の操作性の向上を図ることができる。
【０２６７】
ここで、例えば、ハンドルリングとは別にハンドルベースに設けられた別部材（ハンドルリングの初期位置への復帰を規制するために遊技者に操作される操作子）を操作することで、ハンドルリングの初期位置への復帰を規制する構造では、ハンドルリングの回動操作と別部材の操作とをそれぞれ別々に行う必要があるところ、ハンドルリングの回動操作量（回動位置）によっては、別部材が必ずしも操作し易い位置にあるとは限らず、ハンドルリングを把持している手指の一部を離して、或いは、無理な姿勢で、別部材を操作する必要が生じる。その結果、操作性が悪いという問題点があった。また、ハンドルリングの回動位置に位置ずれが生じ、遊技球の発射強度を所望の発射強度に精度良く固定することができないという問題があった。
【０２６８】
これに対し、ハンドルベース自体の変位（軸支された部分を中心とする変位）を起点として、ハンドルリングの初期位置への復帰をリング規制部材により規制する構造であれば、かかるハンドルベース自体の変位（軸支された部分を中心とする変位）は、ハンドルベースとハンドルリングとを一体的に変位させる動作であるから、ハンドルリングがどのような回動位置にあったとしても、ハンドルリングを把持する手指の一部を離すことなく行うことができる。これにより、操作性の向上を図ることができ、また、ハンドルリングの回動位置に位置ずれが生じることを抑制し、遊技球の発射強度を所望の発射強度に精度良く固定することができる。
【０２６９】
遊技機Ａ６において、前記ハンドルベースが軸支されると共に遊技機本体に固設されるハンドル取付台を備え、前記リング規制部材は、前記ハンドルリングへ向けてスライド移動可能に前記ハンドルベースに配設され、軸支された部分を中心として前記ハンドル取付台に対してハンドルベースが変位されることで、前記ハンドル取付台に押圧された前記リング規制部材が前記ハンドルリングへ向けてスライド移動されると共に、そのスライド移動されたリング規制部材がハンドルリングに当接され、ハンドルリングの初期位置への復帰が規制されることを特徴とする遊技機Ａ７。
【０２７０】
遊技機Ａ７によれば、遊技機Ａ６の奏する効果に加え、リング規制部材がハンドルリングへ向けてスライド移動可能にハンドルベースに軸支されるので、ハンドル取付台に対するハンドルベースの軸支された部分を中心とする変位に伴う両者の相対位置の変化を利用して、ハンドル取付台によりリング規制部材を押圧させ、リング規制部材をハンドルリングへ向けてスライド移動させることができる。その結果、リング規制部材をハンドルリングに当接させて、ハンドルリングの初期位置への復帰を規制することができる。
【０２７１】
この場合、ハンドルベースにリング規制部材がスライド移動可能に配設されるので、ハンドルベースにリング規制部材が揺動（軸支された部分を中心として変位）可能に配設される構造と比較して、構造の簡素化を図ることができる。また、リング規制部材を揺動させる構造では、力点、支点（揺動中心）及び作用点を形成する必要があり、力点および作用点が支点を中心としてそれぞれ異なる方向へ移動するため、リング規制部材の動作（配設）に必要なスペースが嵩む。
【０２７２】
これに対し、リング規制部材をスライド移動させる構造では、力点と作用点とが一直線上で同方向へ移動するため、リング規制部材の動作（配設）に必要なスペースを抑制することができる。ハンドルベースには、他の部品を複数配設する必要があるところ、リング規制部材の配設に必要なスペースを抑制できることで、他の部品が配設し易くなり、設計の自由度を高めることができる。
【０２７３】
遊技機Ａ７において、前記リング規制部材は、前記ハンドルリングに対面する当接面部を備えると共に、前記ハンドルリングは、前記リング規制部材の当接面部が当接される被当接面部を備え、それらリング規制部材の当接面部およびハンドルリングの被当接面部が平滑面として形成されることを特徴とする遊技機８。
【０２７４】
遊技機８によれば、遊技機Ａ７の奏する効果に加え、リング規制部材の当接面部およびハンドルリングの被当接面部が平滑面として形成されるので、リング規制部材の当接面部をハンドルリングの被当接面部に当接させて、ハンドルリングの回動操作量（回動位置）を固定する（ハンドルリングの初期位置への復帰を規制する）際には、任意の回動位置で固定可能として、その調整幅を確保することができる。
【０２７５】
例えば、リング規制部材の当接面部およびハンドルリングの被当接面部にそれぞれ鋸歯状の凹凸を設け、それら鋸歯状の凹凸同士を係合させることで、ハンドルリングの回動操作量（回動位置）を固定する構造では、ハンドルリングの回動位置の固定を強固に行うことができる一方で、鋸歯状の凹凸のピッチ（間隔）が調整幅の最小値となるため、固定可能な回動位置が断続的となり、所望の回動位置に固定できないおそれがある。これに対し、リング規制部材の当接面部およびハンドルリングの被当接面部が平滑面とされることで、固定可能な回動位置が連続的となるので、任意の回動位置で固定可能として、その調整幅を確保することができる。
【０２７６】
また、当接面部が被当接面部に当接された状態とされ、ハンドルリングの回動操作量が固定されたとしても、これら当接面部および被当接面部が平滑面とされていることで、互いの当接面を相対的に滑動させることができるので、ハンドルリングの回動操作量の固定後であっても、かかるハンドルリングの回動操作量を微調整することができる。
【０２７７】
なお、平滑面とはその面に凹凸が完全に存在しないことを要求するものではなく、互いに係合させるための形状（凹凸）が形成されていなければ足りる趣旨である。よって、通常の製造工程において発生する凹凸（表面粗さ）は許容され、製造工程において平滑処理を施すことが要求されるものではない。また、平滑面は、平面である必要はなく、湾曲面であっても良く、球面であっても良い。
【０２７８】
遊技機Ａ７又はＡ８において、前記リング規制部材は、前記ハンドルリングに対面する当接面部を備え、前記ハンドルリングは、前記リング規制部材の当接面部が当接される被当接面部を備えると共に中心側が軸支された円板状に形成され、前記リング規制部材の当接面部が前記ハンドルリングの被当接面部に当接されると、前記ハンドルリングの被当接面部に、前記ハンドルリングの回動軸方向の力成分と、前記ハンドルリングの回動軸に直交する径方向の力成分とが作用されることを特徴とする遊技機Ａ９。
【０２７９】
遊技機Ａ９によれば、遊技機Ａ７又はＡ８の奏する効果に加え、ハンドルリングの回動操作量（回動位置）の固定を強固として、ハンドルリングの初期位置への復帰を確実に規制することができる。例えば、ハンドルリングの被当接面部に、ハンドルリングの回動軸方向の力成分のみが作用する構造では、その力成分の方向（回動軸方向）にはハンドルリングが拘束されていないため、ハンドルリングが回動軸方向へ反ってしまい、リング規制部材の当接面部をハンドルリングの被当接面部に密着させられないことから、ハンドルリングの回動位置を強固に固定することが困難となる。
【０２８０】
これに対し、ハンドルリングは、中心側が軸支されるので、その軸支により径方向への力成分に対して拘束される。よって、径方向への力成分に対しては、リング規制部材の当接面部をハンドルリングの被当接面部に密着させることできるので、その分、ハンドルリングの回動位置を強固に固定することができる。特に、リング規制部材の当接面部およびハンドルリングの被当接面部が平坦面として形成される場合には、これら当接面部および被当接面部を互いに密着させることが必要となるため、遊技機Ａ９の構成が有効となる。
【０２８１】
遊技機Ａ９において、前記リング規制部材のスライド移動の方向が前記ハンドルリングの回動軸の方向と平行とされ、前記リング規制部材の当接面部およびハンドルリングの被当接面部が前記ハンドルリングの回動軸に直交する径方向に対し傾斜されることを特徴とする遊技機１０。
【０２８２】
遊技機Ａ１０によれば、遊技機Ａ９の奏する効果に加え、ハンドルリングの初期位置への復帰を確実に規制しつつ、ハンドルベースの小型化を図ることができる。
【０２８３】
即ち、リング規制部材の当接面部およびハンドルリングの被当接面部がハンドルリングの回動軸に直交する径方向に対し傾斜されるので、ハンドルリングの被当接面部に、ハンドルリングの回動軸方向の力成分に加え、ハンドルリングの回動軸に直交する径方向の力成分を作用させ、リング規制部材の当接面部をハンドルリングの被当接面部に密着させることができる。よって、ハンドルリングの回動操作量（回動位置）を強固に固定して、ハンドルリングの初期位置への復帰を確実に規制できる。
【０２８４】
この場合、リング規制部材のスライド移動の方向自体をハンドルリングの回動軸の方向に対して傾斜させることも考えられるが、その傾斜の分、リング規制部材の配設に必要なスペースが径方向に嵩むこととなり、ハンドルベースの大型化を招くと共に、ハンドルベースを樹脂材料から金型を用いて射出成形する場合には、ハンドルベースの金型からの脱型性が悪化する。これに対し、リング規制部材のスライド移動の方向がハンドルリングの回動軸の方向と平行とされることで、リング規制部材の配設に必要なスペースを抑制することができ、その分、ハンドルベースの小型化を図ることができる。また、リング規制部材がスライド移動可能に配設されるハンドルベースの部分の形状を、ハンドルベースを射出成形する金型の脱型方向に沿わせることができ、その分、成形性と金型構造の簡素化とを図ることができる。
【０２８５】
遊技機Ａ７からＡ１０のいずれかにおいて、前記ハンドルベースに配設され前記ハンドルリングの前面側に位置する前カバーを備え、前記ハンドル取付台は、そのハンドル取付台に対して前記ハンドルベースが軸支された部分を中心として変位されることで、前記リング規制部材を押圧する押圧面部を備え、前記ハンドル取付台に前記ハンドルベースが変位可能に軸支される軸から前記前カバーまでの距離が、前記軸から前記ハンドル取付台の押圧面部までの距離よりも大きくされることを特徴とする遊技機１１。
【０２８６】
遊技機１１によれば、遊技機Ａ７からＡ１０のいずれかの奏する効果に加え、ハンドルリングの前面側に前カバーが配設されるので、遊技者は、ハンドルリングを手指で把持する際に、前カバーに手の平を添えることができ、かかる前カバーを、ハンドル取付台に対してハンドルベースを軸支された部分を中心として変位させる際に力を加える部分（力点）として利用することができる。
【０２８７】
この場合、ハンドル取付台にハンドルベースを変位可能に軸支する軸（支点）から前カバー（力点）までの距離が、軸（支点）からハンドル取付台の押圧面部（作用点）までの距離よりも大きくされる、即ち、力点から支点までの距離が、支点から作用点までの距離よりも大きくされるので、力点となる前カバーに加えられる力が小さくても、その力を増幅させて、作用点となる押圧面部によりリング規制部材を大きな力で押圧することができる。これにより、リング規制部材をハンドルリングに強固に当接させ、ハンドルリングの回動操作量（回動位置）を確実に固定することができ、ハンドルリングの初期位置への復帰を規制できる。
【０２８８】
なお、前カバーは前面側へ向けて膨出する半球状であることが好ましい。この場合、軸から前カバーまでの距離とは、前カバーの外面（前面）の内で軸までの直線距離（軸に直交する方向での距離）が最大となる位置での距離を意味する。同様に、軸から押圧面部までの距離とは、リング規制部材を押圧する押圧面部の領域の内で軸までの直線距離（軸に直交する方向での距離）が最大となる位置での距離を意味する。
【０２８９】
遊技機Ａ７からＡ１１のいずれかにおいて、前記ハンドル取付台は、そのハンドル取付台に対して前記ハンドルベースが軸支された部分を中心として変位されることで、前記リング規制部材を押圧する押圧面部を備えると共に、前記リング規制部材は、前記ハンドル取付台の押圧面部により押圧される被押圧面部を備え、前記ハンドル取付台の押圧面部が平面として形成され、前記リング規制部材の被押圧面部が前記ハンドル取付台の押圧面部へ向けて膨出する球面として形成されることを特徴とする遊技機Ａ１２。
【０２９０】
遊技機Ａ１２によれば、遊技機Ａ７からＡ１１のいずれかの奏する効果に加え、ハンドル取付台に対してハンドルベースが軸支された部分を中心として変位された場合に、ハンドル取付台の押圧面部に被押圧面部が押圧されたリング規制部材を、安定してスライド移動させることができる。即ち、ハンドル取付台の押圧面部が軸支された部分を中心として移動する一方、リング規制部材がスライド移動（直線移動）する構造であり、両者の相対的な位置関係が不定であるところ、ハンドル取付台の押圧面部が平面として形成され、リング規制部材の被押圧面部がハンドル取付台の押圧面部へ向けて膨出する球面として形成されることで、両者の接触位置を軸支された部分を中心とする変位に伴い移動させ、リング規制部材をハンドルリングへ向かう方向へスライド移動させるための力成分を連続的に発生させることができる。これにより、リング規制部材を詰まらせることなく、安定してスライド移動させることができる。
【０２９１】
遊技機Ａ７からＡ１２のいずれかにおいて、前記ハンドルベースは、前記リング規制部材を前記ハンドルリングへ向けてスライド移動可能に保持するスライド保持部を備え、そのスライド保持部は、前記ハンドルリングに対面する側が開放されて形成される共に、その開放部分からリング規制部材を受け入れ可能に形成されることを特徴とする遊技機Ａ１３。
【０２９２】
遊技機Ａ１３によれば、遊技機Ａ７からＡ１２のいずれかの奏する効果に加え、リング規制部材をスライド可能に保持するハンドルベースのスライド保持部は、ハンドルリングに対面する側が開放されて形成されると共に、その開放部分からリング規制部材を受け入れ可能に形成されるので、かかる開放部分を利用して、リング規制部材をハンドルベースのスライド保持部に容易に装着することができ、組み立てコストの削減を図ることができる。なお、スライド保持部の開放部分は、ハンドルリングに対面する側であるから、ハンドルベースにハンドルリングが配設（装着）されることで、リング規制部材がスライド保持部の開放部分から脱落することがなく、また、リング規制部材の一部（当接面部）をハンドルリングの一部（被当接面部）に対面して配置させることができる。
【０２９３】
遊技機Ａ１３において、前記リング規制部材は、弾性変形可能な腕部を備えると共に、前記ハンドルベースのスライド保持部は、前記リング規制部材が前記ハンドルリングへ向けてスライド移動する際に前記リング規制部材の腕部を受け止める受止突起を備えることを特徴とする遊技機Ａ１４。
【０２９４】
遊技機Ａ１４によれば、遊技機Ａ１３の奏する効果に加え、ハンドルベースのスライド保持部は、リング規制部材がハンドルリングへ向けてスライド移動する際にリング規制部材の腕部を受け止める受止突起を備えるので、ハンドルベースのスライド保持部にその開放部分からリング規制部材を装着した後、ハンドルベースにハンドルリングが装着されるまでの間に、リング規制部材がスライド保持部の開放部分から脱落することを防止することができ、組み立て作業性の向上を図ることができる。
【０２９５】
一方、リング規制部材の腕部は、弾性変形可能に形成されるので、ハンドル取付台に対してハンドルベースが軸支された部分を中心として変位され、リング規制部材がハンドル取付台により押圧された場合には、受止突起に受け止められた腕部が弾性変形することで、リング規制部材をハンドルリングへ向けてスライド移動させることができる。これにより、リング規制部材をハンドルリングに当接させ、ハンドルリングの初期位置への復帰を規制できる。ハンドル取付台に対するハンドルベースの軸支された部分を中心とする変位が解除された場合には、腕部の弾性回復力によって、リング規制部材をハンドルリングから離間する方向へスライド移動させることができる。これにより、リング規制部材を初期位置へ復帰させ、ハンドル取付台（押圧面部）がリング規制部材（被押圧面部）を押圧可能な状態を形成できると共に、リング規制部材（当接面部）とハンドルリング（被当接面部）との間に隙間を形成できる。隙間を形成することで、両者の当接による抵抗に起因してハンドルリングの回動操作が阻害されることを回避できる。
【０２９６】
遊技機Ａ１４において、前記リング規制部材の腕部は、ハンドルベースの周方向に沿って延設されると共に、前記スライド保持部の受止突起は、ハンドルベースの内周面から径方向内方へ向けて突設されることを特徴とする遊技機Ａ１５。
【０２９７】
遊技機Ａ１５によれば、遊技機Ａ１４の奏する効果に加え、リング規制部材の腕部が、ハンドルベースの周方向に沿って延設されるので、他の部品の配設スペースに影響を与えることを抑制しつつ、腕部を長くすることができると共に腕部の弾性変形に必要なスペースを確保することができる。また、スライド保持部の受止突起が、ハンドルベースの内周面から径方向内方へ向けて突設されるので、組み立て時における視認性を確保できる。その結果、腕部と受止突起との位置関係の確認作業を容易として、作業性の向上を図ることができる。
【０２９８】
遊技機Ａ１５において、前記スライド保持部の受止突起には、その突設上面に、ハンドルリングから離間するに従って前記ハンドルベースの内周面から上昇傾斜する傾斜面が形成されることを特徴とする遊技機Ａ１６。
【０２９９】
遊技機Ａ１６によれば、スライド保持部の受止突起には、その突設上面に、ハンドルリングから離間するに従ってハンドルベースの内周面から上昇傾斜する傾斜面が形成されるので、ハンドルベースのスライド保持部にその開放部分からリング規制部材を装着する際には、受止突起の突設上面に形成される傾斜面に沿ってリング規制部材の腕部が移動することで、かかる受止突起を腕部に乗り越えさせることができる。即ち、スライド保持部の開放部分からリング規制部材を押し込むだけでよく、腕部を持ち上げて受止突起を乗り越えさせる作業を行う必要がないので、その組み立て作業の作業性の向上を図ることができる。
【０３００】
遊技機Ａ１からＡ５のいずれかにおいて、前記ハンドルリングの回動操作量を検出する回動操作量検出手段と、その回動操作量検出手段により検出されるハンドルリングの回動操作量に応じた発射強度により遊技球を発射する遊技球発射手段と、前記ハンドルベースの変位に伴って、前記遊技球発射手段による遊技球の発射を停止させる発射停止手段とを備えることを特徴とする遊技機Ａ１７。
【０３０１】
遊技機Ａ１７によれば、遊技機Ａ１からＡ５のいずれかの奏する効果に加え、遊技本体（遊技機Ａ２からＡ５においてはハンドル取付台）に対してハンドルベースを変位（遊技機Ａ３からＡ５においては軸支された部分を中心として変位）させることで、遊技球発射手段による遊技球の発射を発射停止手段により停止することができる。これにより、ハンドルリングの回動操作量（回動位置）を維持しつつ、遊技球の発射の停止を容易に行うことができ、遊技者の操作性の向上を図ることができる。
【０３０２】
ここで、例えば、ハンドルリングとは別にハンドルベースに設けられた別部材（遊技球の発射を停止するために遊技者に操作される操作子）を操作することで、遊技球の発射を停止する構造では、ハンドルリングの回動操作と別部材の操作とをそれぞれ別々に行う必要があるところ、ハンドルリングの回動操作量（回動位置）によっては、別部材が必ずしも操作し易い位置にあるとは限らず、ハンドルリングを把持している手指の一部を離して、或いは、無理な姿勢で、別部材を操作する必要が生じる。その結果、操作性が悪いという問題があった。
【０３０３】
これに対し、ハンドルベース自体の変位（軸支された部分を中心とする変位）を起点として、遊技球の発射を発射停止手段により停止する構造であれば、かかるハンドルベース自体の変位（軸支された部分を中心とする変位）は、ハンドルベースとハンドルリングとを一体的に変位させる動作であるから、ハンドルリングがどのような回動位置にあったとしても、ハンドルリングを把持する手指の一部を離すことなく行うことができる。これにより、操作性の向上を図ることができる。
【０３０４】
遊技機Ａ１からＡ５のいずれかにおいて、前記ハンドルリングの回動操作量を検出する回動操作量検出手段と、その回動操作量検出手段により検出されるハンドルリングの回動操作量に応じた発射強度により遊技球を発射する遊技球発射手段と、前記ハンドルベースの変位に伴って、前記遊技球発射手段により発射される遊技球の発射強度を所定の発射強度に設定する発射強度設定手段とを備えることを特徴とする遊技機Ａ１８。
【０３０５】
遊技機Ａ１８によれば、遊技機Ａ１からＡ５のいずれかの奏する効果に加え、遊技本体（遊技機Ａ２からＡ５においてはハンドル取付台）に対してハンドルベースを変位（遊技機Ａ３からＡ５においては軸支された部分を中心として変位）させることで、遊技球発射手段により発射される遊技球の発射強度を所定の発射強度に設定することができる。これにより、ハンドルリングの回動操作量（回動位置）を維持しつつ、遊技球の発射強度の変更（所定の発射強度の設定）を容易に行うことができ、遊技者の負担の軽減を図ることができる。
【０３０６】
なお、発射強度設定手段により設定される所定の発射強度としては、例えば、設定可能な範囲での最大の発射強度、予め定められている発射強度（よって、回動操作量検出手段により検出されるハンドルリングの回動操作量に応じた発射強度（即ち、現在のハンドルリングの回動操作量に応じた発射強度）よりも弱い発射強度および強い発射強度の両者を含む）、回動操作量検出手段により検出されるハンドルリングの回動操作量に応じた発射強度（即ち、現在のハンドルリングの回動操作量に応じた発射強度）よりも少なくとも強い発射強度などが例示される。
【０３０７】
ここで、遊技者は、遊技状態に応じて、遊技球の発射強度を変更（例えば、発射強度を最大とする所謂「右打ち」）することがある。しかしながら、このような遊技球の発射強度を最大とすることが要求される時間は比較的短く、通常の遊技状態に戻るたびに、遊技球の発射強度を元の発射強度を戻す必要があり、その再調整に遊技者が煩わされるという問題があった。
【０３０８】
これに対し、ハンドルベース自体の変位（軸支された部分を中心とする変位）を起点として、遊技球の発射強度を所定の発射強度に設定する構造であれば、かかるハンドルベース自体の変位（軸支された部分を中心とする変位）は、ハンドルベースとハンドルリングとを一体的に変位させる動作であるから、ハンドルリングを把持する手指の一部を離したり無理な姿勢を取ることなく、即ち、ハンドルリングの回動操作量（回動位置）を維持しつつ、行うことができる。よって、ハンドルベース自体の変位（軸支された部分を中心とする変位）を戻せば、遊技球の発射強度も元の発射強度（ハンドルリングの回動操作量に応じた発射強度）に復帰させることができる。これにより、遊技状態が変化するたびに、遊技球の発射強度を再調整する手間を不要とすることができ、遊技者の負担を軽減することができる。
【０３０９】
遊技機Ａ１７又はＡ１８において、前記発射停止手段による遊技球の発射の停止、又は、前記発射強度設定手段による所定の発射強度の設定は、ハンドルベースの変位が所定量以上となった場合に行われることを特徴とする遊技機Ａ１９。
【０３１０】
遊技機Ａ１９によれば、遊技機Ａ１７又はＡ１８の奏する効果に加え、発射停止手段による遊技球の発射の停止、又は、発射強度設定手段による所定の発射強度の設定は、遊技本体（遊技機Ａ２からＡ５においてはハンドル取付台）に対するハンドルベースの変位（遊技機Ａ３からＡ５においては軸支された部分を中心とする変位）が所定量以上となった場合に行われ、ハンドルベースの変位が所定量に達するまでの間は行われないので、遊技者の意図しない操作（ハンドルベースの変位）によって、遊技球の発射が不用意に停止される、又は、所定の発射強度に不用意に設定されることを抑制することができる。
【０３１１】
遊技機Ａ１７からＡ１９のいずれかにおいて、前記発射停止手段による遊技球の発射の停止、又は、前記発射強度設定手段による所定の発射強度の設定は、ハンドルベースの変位が最大量に達した状態で維持されることを特徴とする遊技機Ａ２０。
【０３１２】
遊技機Ａ２０によれば、遊技機Ａ１７からＡ１９のいずれかの奏する効果に加え、発射停止手段による遊技球の発射の停止、又は、発射強度設定手段による所定の発射強度の設定は、遊技本体（遊技機Ａ２からＡ５においてはハンドル取付台）に対するハンドルベースの変位（遊技機Ａ３からＡ５においては軸支された部分を中心とする変位）が最大量に達した状態で維持されるので、遊技者は、遊技球の発射の停止、又は、所定の発射強度への設定を行う場合には、ハンドルベースの変位（軸支された部分を中心とする変位）を可動範囲の終端まで操作すれば良く、可動範囲の途中で停めて維持する必要がない。即ち、遊技球の発射を停止する状態、又は、所定の発射強度に設定する状態を遊技者にとって楽な姿勢（ハンドルベースを可動範囲の終端まで操作した姿勢）で形成することができるので、その操作性の向上を図ることができる。
【０３１３】
また、楽な姿勢であるので、遊技球の発射を停止している間、又は、所定の発射強度に設定している間も、ハンドルリングの回動操作量（回動位置）がずれ難く、所望の回動操作量に維持しやすくすることができる。その結果、遊技球の発射の停止、又は、所定の発射強度の設定を解除して、ハンドルリングの回動操作量に応じた発射強度での遊技球の発射を再開する場合には、元の発射強度での球の発射をより高精度に再現することができる。
【０３１４】
遊技機Ａ１７からＡ２０のいずれかにおいて、前記ハンドルリングの回動位置を初期位置に復帰させる付勢力を前記ハンドルリングに付与するリング付勢部材と、前記ハンドルベースの変位に伴って、前記ハンドルリングが初期位置へ復帰されることを規制するリング規制部材とを備えることを特徴とする遊技機Ａ２１。
【０３１５】
遊技機Ａ２１によれば、遊技機Ａ１７からＡ２０のいずれかの奏する効果に加え、遊技本体（遊技機Ａ２からＡ５においてはハンドル取付台）に対してハンドルベースが変位（遊技機Ａ３からＡ５においては軸支された部分を中心として変位）されると、ハンドルリングが初期位置へ復帰されることをリング規制部材によって規制して、ハンドルリングの回動操作量（回動位置）を固定することができる。これにより、遊技球の発射を停止する際に、又は、所定の発射強度に設定する際に、ハンドルリングの回動操作量（回動位置）がずれることを抑制して、所望の回動操作量に維持することができる。その結果、遊技球の発射の停止、又は、所定の発射強度の設定を解除して、ハンドルリングの回動操作量に応じた発射強度での遊技球の発射を再開する場合には、遊技球を所望の発射強度で発射することができる。
【０３１６】
遊技機Ａ１からＡ２１において、前記ハンドルベースが変位可能に軸支されると共に遊技機本体に固設されるハンドル取付台と、そのハンドル取付台に対して第１位置と第２位置との間で軸支された部分を中心として変位可能とされる前記ハンドルベースの変位位置を第１位置へ復帰させる付勢力を前記ハンドルベースに付与するベース付勢部材とを備え、前記ハンドルベース及びハンドル取付台の対向面には、平坦面状に形成され前記第１位置において互いに当接される合わせ面部が形成されることを特徴とする遊技機Ａ２２。
【０３１７】
遊技機Ａ２２によれば、遊技機Ａ１からＡ２１の奏する効果に加え、ハンドルベース及びハンドル取付台の対向面には、平坦面状に形成され第１位置において互いに当接される合わせ面部が形成されるので、ハンドルベースの変位位置が第１位置に配設された状態では、平坦面状に形成された互いの合わせ面部をベース付勢部材の付勢力により密着させることができる。これにより、第１位置において、ハンドル取付台に対しハンドルベースをがたつかせることなく、安定した状態に維持することができる。その結果、例えば、ハンドルリングを操作する際の操作性の向上を図ることができる。
【０３１８】
遊技機Ａ２２において、前記合わせ面部が前記ハンドルベース及びハンドル取付台の上方に位置することを特徴とする遊技機Ａ２３。
【０３１９】
遊技機Ａ２３によれば、遊技機Ａ２２の奏する効果に加え、ハンドルベースの変位位置が第１位置に配設された状態では、ハンドルベース及びハンドル取付台の対向面において、互いの合わせ面部が密着されるところ、かかる合わせ面部がハンドルベース及びハンドル取付台の上方に位置するので、第１位置において、遊技者が不用意に落下させた異物や埃、ゴミなどの異物が内部に入り込むことを抑制できる。特に、ハンドルベースは、ベース付勢部材の付勢力によって第１位置に復帰され、第１位置に配設される期間が長いため、合わせ面部を上方に配設する構成が有効となる。
【０３２０】
遊技機Ａ２２又はＡ２３において、前記ハンドル取付台に対してハンドルベースが第１位置から第２位置へ向かう方向へ軸支された部分を中心として変位された場合に前記ハンドル取付台の合わせ面部とハンドルベースの合わせ面部との間に形成される開口を覆う覆設部材を備えることを特徴とする遊技機Ａ２４。
【０３２１】
遊技機Ａ２４によれば、遊技機Ａ２２又はＡ２３の奏する効果に加え、ハンドル取付台に対してハンドルベースが第１位置から第２位置へ向かう方向へ軸支された部分を中心として変位されると、ハンドル取付台の合わせ面部とハンドルベースの合わせ面部との間に開口が形成されるところ、かかる開口を覆う覆設部材を備えるので、開口にコイン等が差し込まれ、ハンドル取付台に対するハンドルベースの軸支された部分を中心とする変位状態が固定されることを抑制できる。例えば、遊技機Ａ６からＡ１６のように、ハンドルベースの軸支された部分を中心とする変位に伴い、ハンドルリングの回動操作量（回動位置）を固定できる構造では、開口にコイン等が差し込まれ、ハンドルベースの軸支された部分を中心とする変位状態が固定された状態（即ち、ハンドルリングの回動操作量に応じた遊技球の発射強度が固定された状態）のままで、次の遊技者に引き継がれると、次の遊技者が同様の遊技を実現することが可能となるところ、開口へのコインの差し込みによる変位状態の固定を抑制できることで、次の遊技者が同様の遊技を実現することを困難とできる。
【０３２２】
遊技機Ａ１からＡ２４において、遊技機本体に固設されると共に前面側が開放して形成されるハンドル取付台と、前記ハンドルベースの背面から突設されると共に前記ハンドル取付台の前面側の開放部分から内部に挿通されるボス部材とを備え、そのボス部材が前記ハンドル取付台の内壁面に軸支されることで、前記ハンドル取付台に対してハンドルベースが変位可能に軸支されることを特徴とする遊技機Ａ２５。
【０３２３】
遊技機Ａ２５によれば、遊技機Ａ１からＡ２４のいずれかの奏する効果に加え、ハンドルベースの背面から突設されるボス部材を備え、そのボス部材が、ハンドル取付台の内部に挿通され、ハンドル取付台の内壁面に軸支されるので、その軸支された部分を中心としてハンドル取付台に対してハンドルベースを変位させるための構造を、ハンドル取付台の内部に収容することができる。これにより、デッドスペースとなるハンドル取付台の内部空間を有効利用できるので、ハンドル取付台に対するハンドルベースの軸支された部分を中心とする変位を可能としつつ、その小型化を図ることができる。
【０３２４】
遊技機Ａ２５において、前記ハンドル取付台に対して第１位置と第２位置との間で軸支された部分を中心として変位可能とされる前記ハンドルベースの変位位置を第１位置へ復帰させる付勢力を前記ハンドルベースのボス部材に付与するベース付勢部材を備え、前記ベース付勢部材は、前記ハンドル取付台に軸支される部位よりも前記ボス部材の突設先端側と、前記ハンドル取付台の内壁面との間に介設されることを特徴とする遊技機Ａ２６。
【０３２５】
遊技機Ａ２６によれば、遊技機Ａ２５の奏する効果に加え、第１位置に復帰させるためにハンドルベースのボス部材に付勢力を付与するベース付勢部材は、ボス部材とハンドル取付台の内壁面との間に介設されるので、かかるベース付勢部材をハンドル取付台の内部に収容することができる。これにより、デッドスペースとなるハンドル取付台の内部空間を有効利用できるので、ハンドル取付台に対するハンドルベースの軸支された部分を中心とする変位を可能としつつ、その小型化を図ることができる。
【０３２６】
この場合、ベース付勢部材がボス部材に接続される位置は、ボス部材がハンドル取付台に軸支される部位（支点）よりもボス部材の突設先端側であるので、ボス部材の支点よりもハンドルベース側となる部位に接続される場合と比較して、支点からの距離を確保し易くすることができる。これにより、ハンドルベースを第１位置に復帰させる付勢力を確保できる。
【０３２７】
遊技機Ａ２６において、前記ハンドル取付台は、背面側が開放して形成されることを特徴とする遊技機Ａ２７。
【０３２８】
遊技機Ａ２７によれば、遊技機Ａ２６の奏する効果に加え、ハンドル取付台は、背面側が開放して形成されるので、かかる背面側の開放部分からハンドル取付台の内部空間を露出させることができる。これにより、ボス部材の突出先端側とハンドル取付台の内壁面との間にベース付勢部材を介設させるための取付作業を、ハンドル取付台の背面側の開放部分から行うことができるので、その取付作業の作業性の向上を図ることができる。
【０３２９】
遊技機Ａ１からＡ２７のいずれかにおいて、前記遊技機はスロットマシンであることを特徴とする遊技機Ｂ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３３０】
遊技機Ａ１からＡ２７のいずれかにおいて、前記遊技機はパチンコ遊技機であることを特徴とする遊技機Ｂ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３３１】
遊技機Ａ１からＡ２７のいずれかにおいて、前記遊技機はパチンコ遊技機とスロットマシンとを融合させたものであることを特徴とする遊技機Ｂ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０３３２】
１０                          パチンコ機（遊技機）
１５                          下皿ユニット（遊技機本体）
５２０，６５２０，７５２０    ハンドル取付台
５２７                        上合わせ面部（合わせ面部）
５２８ａ                      押圧面部
５３０，６５３０              ハンドルベース
５３２ａ                      合わせ面部
５３４ｂ                      切り欠き部（スライド保持部）
５３８                        受止突起
６５３９                      遮蔽壁（覆設部材）
５４０，２５４０，３５４０    ハンドルリング
５４１，２５４１              円板部（被当接面部）
３５４２                      外周壁（被当接面部）
５５０                        前カバー
５６０                        ボス部材
７００，２７００              リング規制部材
７０１b，２７０１ｂ          当接面部
３７０１ｃ                    当接面部
７０２ａ                      被押圧面部
７０３                        腕部
ＳＰ                          ベース付勢ばね（ベース付勢部材）
【図１】
2020078717.tif 000003
【図２】
2020078717.tif 000004
【図３】
2020078717.tif 000005
【図４】
2020078717.tif 000006
【図５】
2020078717.tif 000007
【図６】
2020078717.tif 000008
【図７】
2020078717.tif 000009
【図８】
2020078717.tif 000010
【図９】
2020078717.tif 000011
【図１０】
2020078717.tif 000012
【図１１】
2020078717.tif 000013
【図１２】
2020078717.tif 000014
【図１３】
2020078717.tif 000015
【図１４】
2020078717.tif 000016
【図１５】
2020078717.tif 000017
【図１６】
2020078717.tif 000018
【図１７】
2020078717.tif 000019
【図１８】
2020078717.tif 000020
【図１９】
2020078717.tif 000021
【図２０】
2020078717.tif 000022
【図２１】
2020078717.tif 000023
【図２２】
2020078717.tif 000024
【図２３】
2020078717.tif 000025
【図２４】
2020078717.tif 000026
【図２５】
2020078717.tif 000027
【図２６】
2020078717.tif 000028
【図２７】
2020078717.tif 000029
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
遊技者によって回動操作されるハンドルリングを備え、そのハンドルリングの回動操作量に応じて遊技球の発射強度が調整される遊技機において、
遊技機本体に固設されるハンドル取付台と、
前記ハンドルリングが回動可能に配設されると共に前記ハンドル取付台に対して変位可能とされるハンドルベースと、
前記ハンドルリングの回動位置を初期位置に復帰させる付勢力を前記ハンドルリングに付与するリング付勢部材と、
前記ハンドルベースの変位に伴って、前記ハンドルリングが初期位置へ復帰されることを規制するリング規制部材と、を備え、
前記リング規制部材は、前記ハンドルリングへ向けてスライド移動可能に前記ハンドルベースに配設され、前記ハンドル取付台に対してハンドルベースが変位されることで、前記ハンドル取付台に押圧された前記リング規制部材が前記ハンドルリングへ向けてスライド移動されると共に、そのスライド移動されたリング規制部材がハンドルリングに当接され、ハンドルリングの初期位置への復帰が規制されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、ハンドルベースにハンドルリングが回動可能に取り付けられ、そのハンドルリングの回動操作量に応じて、球の発射強度を調整するものがある。また、ハンドルベースに、ハンドルリングとは別の操作子が配設され、その操作子を操作することで、所定の動作（例えば、球の発射の停止）を行うことができるものがある。
【先行技術文献】
【特許文献】
【０００３】
【特許文献１】特開２０１２−００５７５９号公報
【発明の概要】
【発明が解決しようとする課題】
【０００４】
ハンドルリングは、付勢ばねによる付勢力が付与されており、遊技者が手を離すと、ハンドルリングが初期位置へ復帰される。この場合、ハンドルリングの回動操作量を維持しつつ、操作子を操作することが困難である場合があった。
【０００５】
本発明は、上記例示した問題点を解決するためになされたものであり、ハンドルリングの回動操作量を維持しつつ、他の操作が行いやすい遊技機を提供することを目的とする。
【課題を解決するための手段】
【０００６】
この目的を達成するために請求項１記載の遊技機は、遊技者によって回動操作されるハンドルリングを備え、そのハンドルリングの回動操作量に応じて遊技球の発射強度が調整されるものであり、遊技機本体に固設されるハンドル取付台と、前記ハンドルリングが回動可能に配設されると共に前記ハンドル取付台に対して変位可能とされるハンドルベースと、前記ハンドルリングの回動位置を初期位置に復帰させる付勢力を前記ハンドルリングに付与するリング付勢部材と、前記ハンドルベースの変位に伴って、前記ハンドルリングが初期位置へ復帰されることを規制するリング規制部材と、を備え、前記リング規制部材は、前記ハンドルリングへ向けてスライド移動可能に前記ハンドルベースに配設され、前記ハンドル取付台に対してハンドルベースが変位されることで、前記ハンドル取付台に押圧された前記リング規制部材が前記ハンドルリングへ向けてスライド移動されると共に、そのスライド移動されたリング規制部材がハンドルリングに当接され、ハンドルリングの初期位置への復帰が規制される。
【０００７】
【発明の効果】
【０００８】
請求項１記載の遊技機によれば、遊技者の操作性の向上を図ることができる。
【０００９】
【００１０】
【００１１】
【００１２】
【００１３】
【図面の簡単な説明】
【００１４】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】（ａ）は操作ハンドルの上面図であり、（ｂ）は操作ハンドルの正面図である。
【図６】図５（ａ）の矢印ＶＩ方向視における操作ハンドル５側面図である。
【図７】ハンドル取付台およびハンドルベースの正面斜視図であ。
【図８】（ａ）はハンドルリングの背面斜視図であり、（ｂ）は前カバーの背面斜視図である。
【図９】ハンドルベースの背面斜視図である。
【図１０】ハンドル取付台の分解状態における斜視図である。
【図１１】（ａ）はハンドル取付台の組み立て状態における斜視図であり、（ｂ）は第1本体の内側面図である。
【図１２】ハンドル取付台およびハンドルベースの背面斜視図である。
【図１３】リング規制部材が装着された状態におけるハンドルベースの正面斜視図である。
【図１４】リング規制部材が取り外された状態におけるハンドルベースの正面斜視図である。
【図１５】（ａ）及び（ｂ）は、リング規制部材の斜視図である。
【図１６】変位操作される前の状態における操作ハンドルの部分断面側面図である。
【図１７】変位操作された後の状態における操作ハンドルの部分断面側面図である。
【図１８】（ａ）及び（ｂ）は、第２実施形態における操作ハンドルの部分断面側面図である。
【図１９】（ａ）及び（ｂ）は、第３実施形態における操作ハンドルの部分断面側面図である。
【図２０】（ａ）及び（ｂ）は、第４実施形態における操作ハンドルの部分断面側面図である。
【図２１】（ａ）及び（ｂ）は、第５実施形態における操作ハンドルの部分断面側面図である。
【図２２】第６実施形態におけるハンドルベースの背面斜視図である。
【図２３】変位操作される前の状態における操作ハンドルの部分断面側面図である。
【図２４】変位操作された後の状態における操作ハンドルの部分断面側面図である。
【図２５】（ａ）は第７実施形態におけるハンドル取付台の組み立て状態における斜視図であり、（ｂ）は第1本体の内側面図である。
【図２６】スライド操作される前の状態における操作ハンドルの部分断面側面図である。
【図２７】スライド操作された後の状態における操作ハンドルの部分断面側面図である。
【発明を実施するための形態】
【００１５】
以下、本発明の実施形態について、添付図面を参照して説明する。まず、図１から図１７を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１６】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１７】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１８】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１９】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００２０】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２１】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２２】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２５】
操作ハンドル５１の内部には、球発射ユニット１１２ａの駆動を許可するためのタッチセンサ５１ａと、押下操作している期間中には球の発射を停止する打ち止めスイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび打ち止めスイッチ５１ｂがオフとなっている。
【００２６】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２７】
図２に示すように、遊技盤１３は、正面視略正方形状に切削加工した木製のベース板６０に、球案内用の多数の釘（図示せず）や風車の他、レール６１，６２、一般入賞口６３、第１入球口６４、第２入球口６４０、第１可変入賞装置６５、第２可変入賞装置６５０、第１スルーゲート６７、第２スルーゲート６７０、可変表示装置ユニット８０等を組み付けて構成され、その周縁部が内枠１２（図１参照）の裏面側に取り付けられる。一般入賞口６３、第１入球口６４、第２入球口６４０、第１可変入賞装置６５、第２可変入賞装置６５０、可変表示装置ユニット８０は、ルータ加工によってベース板６０に形成された貫通穴に配設され、遊技盤１３の前面側から木ネジ等により固定されている。
【００２８】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００２９】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００３０】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３１】
遊技領域の正面視右側上部（図２の右側上部）には、２つの第１図柄表示装置３７Ａ，３７Ｂが配設されている。第１図柄表示装置３７Ａには、発光手段である複数のＬＥＤ３７Ａａと７セグメント表示器３７Ａｂとが設けられている。他方の第１図柄表示装置３７Ｂもまた同様に、発光手段である複数のＬＥＤ３７Ｂａと７セグメント表示器３７Ｂｂとが設けられている。
【００３２】
第１図柄表示装置３７Ａ，３７Ｂは、主制御装置１１０で行われる各制御に応じた表示がなされるものであり、主にパチンコ機１０の遊技状態の表示が行われる。本実施形態では、これらの第１図柄表示装置３７Ａ，３７Ｂは、球が、第１入球口６４へ入賞したか、第２入球口６４０へ入賞したかに応じて使い分けられるように構成されている。具体的には、球が、第１入球口６４へ入賞した場合には、第１図柄表示装置３７Ａが作動し、一方で、球が、第２入球口６４０へ入賞した場合には、第１図柄表示装置３７Ｂが作動するように構成されている。
【００３３】
複数のＬＥＤ３７Ａａ，３７Ｂａは、いずれも、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７Ａｂ，３７Ｂｂは、いずれも、大当たり中のラウンド数やエラー表示を行うものである。なお、ＬＥＤ３７Ａａ，３７Ｂａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３４】
尚、本パチンコ機１０では、第１入球口６４及び第２入球口６４０へ入球があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。ＬＥＤ３７Ａａ，３７Ｂａには、変動終了後の停止図柄として抽選の結果が大当たりであるか否かが示されるだけでなく、大当たりである場合はその大当たり種別に応じた図柄が示される。
【００３５】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３６】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入球口６４０へ球が入球し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入球口６４０へ球が入球し易い遊技の状態のことをいう。一方、パチンコ機１０が通常中とは、確変中でも時短中でもない遊技の状態（大当たり確率も第２図柄の当たり確率もアップしていない状態）である。
【００３７】
確変中や時短中は、第２図柄の当たり確率がアップするだけではなく、第２入球口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入球口６４０へ球が入球しやすい状態となる。よって、確変中や時短中は、第２入球口６４０へ球が入球し易い状態となり、大当たり抽選が行われる回数を増やすことができる。
【００３８】
なお、確変中や時短中において、第２入球口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入球口６４０に付随する電動役物６４０ａが開放される時間および１回の当たりで電動役物６４０ａが開放する回数の少なくとも一方を変更するものとしてもよい。また、確変中や時短中において、第２入球口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３９】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入球（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６７及び第２スルーゲート６７０の球の通過をトリガとして第２図柄を変動表示するＬＥＤで構成される第２図柄表示装置８３とが設けられている。また、可変表示装置ユニット８０には、第３図柄表示装置８１の外周を囲むようにして、センターフレーム８６が配設されている。
【００４０】
第３図柄表示装置８１は８インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４１】
第２図柄表示装置８３は、球が第１スルーゲート６７及び第２スルーゲート６７０を通過する毎に表示図柄（第２図柄）としての「○」の図柄と「×」の図柄とを所定時間交互に点灯させる変動表示を行うものである。パチンコ機１０では、球が第１スルーゲート６７又は第２スルーゲート６７０を通過したことが検出されと、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第３図柄の変動表示後に「×」の図柄が停止表示される。
【００４２】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００４３】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入球口６４０の電動役物６４０ａが開放状態となる機会を遊技者に多く与えることができる。よって、確変中および時短中は、第２入球口６４０へ球が入球しやすい状態とすることができる。
【００４４】
なお、確変中または時短中において、当たり確率を高める、１回に当たりに対する電動役物６４０ａの開放時間や開放回数を増やすなど、その他の方法によっても、確変中または時短中に第２入球口６４０へ球が入球しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４５】
第１スルーゲート６７は、可変表示装置ユニット８０の左方において遊技盤に組み付けられ、遊技盤に発射された球のうち、遊技盤の左方を流下する球の一部が通過可能に構成されている。また、第２スルーゲート６７０は、可変表示装置ユニット８０の右方において遊技盤に組み付けられ、遊技盤に発射された球のうち、遊技盤の右方を流下する球の一部が通過可能に構成されている。第１スルーゲート６７又は第２スルーゲート６７０を球が通過すると、第２図柄の当たり抽選が行われる。当たり抽選の後、第２図柄表示装置８３にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４６】
球の第１スルーゲート６７及び第２スルーゲート６７０の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００４７】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、第１スルーゲート６７及び第２スルーゲート６７０の球の通過に対する最大保留球数は４回に限定されるものでなく、３回以下、又は、５回以上の回数（例えば、８回）に設定しても良い。また、第１図柄表示装置３７により保留球数が示されるので、第２図柄保留ランプ８４により点灯表示を行わないものとしてもよい。
【００４８】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７ＡのＬＥＤ３７Ａａで示される。
【００４９】
一方、可変表示装置ユニット８０の正面視右方には、球が入球し得る第２入球口６４０が配設されている。この第２入球口６４０へ球が入球すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７ＢのＬＥＤ３７Ｂａで示される。
【００５０】
また、第１入球口６４および第２入球口６４０は、それぞれ、球が入球すると５個の球が賞球として払い出される入賞口の１つにもなっている。なお、本実施形態においては、第１入球口６４へ球が入球した場合に払い出される賞球数と第２入球口６４０へ球が入球した場合に払い出される賞球数とを同じに構成したが、第１入球口６４へ球が入球した場合に払い出される賞球数と第２入球口６４０へ球が入球した場合に払い出される賞球数とを異なる数、例えば、第１入球口６４へ球が入球した場合に払い出される賞球数を３個とし、第２入球口６４０へ球が入球した場合に払い出される賞球数を５個として構成してもよい。
【００５１】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入球しにくい状態となっている。一方、第１スルーゲート６７及び第２スルーゲート６７０への球の通過を契機として行われる第２図柄の変動表示の結果、「○」の図柄が第２図柄表示装置８３に表示された場合、電動役物６４０ａが開放状態（拡大状態）となり、球が第２入球口６４０へ入球しやすい状態となる。
【００５２】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入球口６４０へ球が入球しやすい状態を作ることができる。
【００５３】
ここで、第１入球口６４に球が入球した場合と第２入球口６４０へ球が入球した場合とで、大当たりとなる確率は、低確率状態であっても高確率状態でも同一である。しかしながら、大当たりとなった場合に選定される大当たりの種別として１５Ｒ確変大当たりとなる確率は、第２入球口６４０へ球が入球した場合のほうが第１入球口６４へ球が入球した場合よりも高く設定されている。一方、第１入球口６４は、第２入球口６４０にあるような電動役物は有しておらず、球が常時入球可能な状態となっている。
【００５４】
よって、通常中においては、第２入球口６４０に付随する電動役物が閉鎖状態にある場合が多く、第２入球口６４０に入球しづらいので、電動役物のない第１入球口６４へ向けて、可変表示装置ユニット８０の左方を球が通過するように球を発射し（所謂「左打ち」）、第１入球口６４への入球によって大当たり抽選の機会を多く得て、大当たりとなることを狙った方が、遊技者にとって有利となる。
【００５５】
一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙った方が、遊技者にとって有利となる。
【００５６】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５７】
第１入球口６４の下方には第１可変入賞装置６５が配設されており、その略中央部分に横長矩形状の特定入賞口（大開放口）６５ａが設けられている。パチンコ機１０においては、第１入球口６４への入球に起因して行われた大当たり抽選が大当たりとなると、所定時間（変動時間）が経過した後に、大当たりの停止図柄となるよう第１図柄表示装置３７ＡのＬＥＤ３７Ａａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５８】
また、第２入球口６４０の下方には第２可変入賞装置６５０が配設されており、その略中央部分に横長矩形状の特定入賞口（大開放口）６５０ａが設けられている。パチンコ機１０においては、第２入球口６４０への入球に起因して行われた大当たり抽選が大当たりとなると、所定時間（変動時間）が経過した後に、大当たりの停止図柄となるよう第１図柄表示装置３７ＢのＬＥＤ３７Ｂａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５０ａが、所定時間（例えば、３０秒経過するまで、或いは、球が１０個入賞するまで）開放される。
【００５９】
この特定入賞口６５ａ，６５０ａは、いずれも所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６０】
第１可変入賞装置６５及び第２可変入賞装置６５０は、具体的には、特定入賞口６５ａ又は特定入賞口６５０ａを覆う横長矩形状の開閉板と、その開閉板の下辺を軸として前方側に開閉駆動するための大開放口ソレノイド（図示せず）とをいずれも備えている。特定入賞口６５ａ，６５０ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６１】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤ３７Ａａ，ＬＥＤ３７Ｂａが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。
【００６２】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００６３】
更に、遊技盤１３には、アウト口６６が設けられている。いずれの入賞口６３，６４，６５ａ，６４０，６５０ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００６４】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６５】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６６】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６７】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６８】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６９】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７０】
次に、図４を参照して、本パチンコ機１０の電気的構成について説明する。図４は、パチンコ機１０の電気的構成を示すブロック図である。
【００７１】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７および第３図柄表示装置８１における表示の設定、第２図柄表示装置８３における表示結果の抽選といったパチンコ機１０の主要な処理を実行する。
【００７２】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７３】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７４】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７５】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８３、第２図柄保留ランプ８４、特定入賞口６５ａ，６５０ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７６】
また、入出力ポート２０５には、図示しないスイッチ群やセンサ群などからなる各種スイッチ２０８や、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７７】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７８】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７９】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８０】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための打ち止めスイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８１】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８２】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、枠ボタン２２などがそれぞれ接続されている。
【００８３】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８４】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８５】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８６】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８７】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８８】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８９】
次いで、図５から図１７を参照して、操作ハンドル５１の詳細構成について説明する。
【００９０】
図５（ａ）は操作ハンドル５１の上面図であり、図５（ｂ）は操作ハンドル５１の正面図である。また、図６は、図５（ａ）の矢印ＶＩ方向視における操作ハンドル５１の側面図である。なお、図５（ａ）及び図６では、下皿ユニット１５の前面が二点鎖線により模式的に図示される。
【００９１】
図５及び図６に示すように、操作ハンドル５１は、ハンドル取付台５２０と、ハンドルベース５３０と、ハンドルリング５４０と、前カバー５５０とを備えて構成され、パチンコ機１０（図１参照）の前面から水平姿勢で突出される。
【００９２】
ハンドル取付台５２０は、その背面（図５（ａ）左側）が下皿ユニット１５の前面に固着され、ハンドルベース５３０は、ハンドル取付台５２０の前面（図５（ａ）右側）に配設される。これら両部材５２０，５３０は、一方が他方に軸支され、その軸支された部分を中心として、ハンドル取付台５２０に対し、ハンドルベース５３０が、上下方向に変位可能に連結される（図１６及び図１７参照）。
【００９３】
ハンドルベース５３０には、発射停止スイッチ操作部４４０が配設される。発射停止スイッチ操作部４４０は、ハンドルベース４６０の内部に設けられた打ち止めスイッチ５１ｂ（図７参照）のオン・オフを切り換えるためのレバーであり、ハンドルベース５３０の左側面（図５（ｂ）左側）から突出した状態で配設される。遊技者は、発射停止スイッチ操作部４４０を押下することにより、ハンドルリング５４０の回動操作量（回動位置）にかかわらず、遊技球の発射を停止することができる。
【００９４】
ハンドルリング５４０は、ハンドルベース５３０の前面（図５（ａ）右側）に回動可能に取り付けられる。遊技者は、ハンドルリング５４０を、操作ハンドル５１の正面視（図５（ｂ）参照）において、右回り（時計回り）方向に回動操作することにより、遊技球の発射強度を増大させることが可能である。
【００９５】
また、ハンドルリング５４０は、遊技者の回動操作が解除されると、リング付勢ばね５３７（図７参照）の付勢力により、その回動位置が初期位置へ復帰される。この場合、第１実施形態では、ハンドル取付台５２０に対してハンドルベース５３０を、軸支された部分を中心として変位させることで（図１７参照）、ハンドルリング５４０の回動位置を任意の回動位置で固定可能に構成される。即ち、球の発射強度を任意の強度で固定できる。かかるハンドルリング５４０の固定構造については、後述する。
【００９６】
なお、ハンドルリング５４０には、遊技者が指を掛けるための３つの指掛け部５４０ａ，５４０ｂ，５４０ｃが形成される。前カバー５５０は、前方（図５（ａ）左方向）へ凸となる半球状に形成され、ハンドルリング５４０の前面に取り付けらる。
【００９７】
次いで、図７を参照して、ハンドルベース５３０について説明する。
【００９８】
図７はハンドル取付台５２０及びハンドルベース５３０の正面斜視図であり、ハンドルリング５４０及び前カバー５５０が取り外された状態における操作ハンドル５１の前面斜視図に対応する。
【００９９】
図７に示すように、ハンドルベース５３０は、正面視が円形の筒状に形成される外周壁５３１と、その外周壁５３１の一方（背面）の開口を塞ぐ底壁５３２とを備え、これら両部材５３１，５３２によって、内部が背面側に窪んだ（即ち、前面側が開放された）容器形状に形成される。底壁５３２には、ガイド支柱５３３ａ〜５３３ｃと、内周壁５３４と、軸受部５３５とが背面から前面へ向けて立設される。
【０１００】
ガイド支柱５３３ａ〜５３３ｃは、前カバー５５０が締結固定される部位であり、締結ねじが挿通可能な（即ち、底壁５３２側および立設先端の両端に開口を有する貫通孔が貫通形成された）中空の筒形状に形成される。ガイド支柱５３３ａ〜５３３ｃの貫通孔に底壁５３２側から挿通された締結ねじが、前カバー５５０のねじ台座５５１ａ〜５５１ｃ（図８（ｂ）参照）にそれぞれ締結されることで、ハンドルベース５３０の前面に前カバー５５０が固着される。
【０１０１】
内周壁５３４は、正面視円形の筒状に形成され、外周壁５３１との間に一定の間隔を隔てつつ、その外周壁５３１の内周側に同心に配設される。内周壁５３４は、周方向の２ヶ所で分断されており、それら２ヶ所の分断された部位（切り欠き部５３４ａ，５３４ｂ）には、一方に発射停止スイッチ操作部４４０が、他方にリング規制部材７００が、それぞれ配設される。
【０１０２】
軸受部５３５は、ハンドルリング５４０を回動可能に保持（軸支）するための部位であり、ハンドルリング５４０の回動軸５４３（図８（ａ）参照）が回動可能に挿入される。軸受部５３５の内周面には、底壁５３２から前面へ向かって軸方向に延びる断面コ字状の溝５３５ａが形成される。溝５３５ａには、ハンドルリング５４０の回動軸５４３に突設される突起部５４３ａが内嵌され、ハンドルリング５４０の挿入時の位相（回動位置）が位置決めされる。
【０１０３】
軸受部５３５の側方には、従動ギヤ５３６が配設される。従動ギヤ５３６は、ハンドルリング５４０の主動ギヤ５４４（図８（ａ）参照）が歯合されるギヤであり、可変抵抗器（図示せず）の抵抗軸ＶＲａに固着される。よって、従動ギヤ５３６が回動されると、その回動量（回動位置）に応じて、可変抵抗器ＶＲの抵抗値が変化される。
【０１０４】
従動ギヤ５３６には、ねじりばねとして形成されるリング付勢ばね５３７から、正面視右回り（時計回り）方向へ付勢力が付与され、その付勢力により初期位置（ストッパ部５３６ａが軸受部５３５の外周突起５３５ｂに当接され回動が規制される位置）に復帰される。なお、可変抵抗器は底壁５３２に固着される。
【０１０５】
軸受部５３５の側方であって、従動ギヤ５３６の反対側には、打ち止めスイッチ５１ｂが固着される。打ち止めスイッチ５１ｂの側方には、揺動可能な揺動片５１ｂ１が突出され、その揺動片５１ｂ１が、発射停止スイッチ操作部４４０により押下されることで、打ち止めスイッチ５１ｂがオン・オフされる。
【０１０６】
次いで、図８（ａ）及び図８（ｂ）を参照して、ハンドルリング５４０及び前カバー５５０について説明する。
【０１０７】
図８（ａ）はハンドルリング５４０の背面斜視図であり、図８（ｂ）は前カバー５５０の背面斜視図である。
【０１０８】
図８（ａ）に示すように、ハンドルリング５４０は、ハンドルベース５３０の前面を覆う正面視円形の円板状に形成される円板部５３１と、その円板部５３１の外周縁部から背面側へ向けて立設され正面視が円形の筒状に形成される外周壁５４２と、円板部５３１の中央に位置し背面へ向けて突設される回動軸５４３と、その回動軸５４３の基部に固着される主動ギヤ５４４と、円板部５３１を板厚方向に貫通して形成されるガイド孔５４５ａ，５４５ｂとを備える。
【０１０９】
ハンドルリング５４０は、回動軸５４３がハンドルベース５３０の軸受部５３５（図７参照）に挿入されることで、ハンドルベース５３０に対して回動可能に保持（軸支）され、この場合、主動ギヤ５４４が、ハンドルベース５３０の従動ギヤ５３６に歯合される。よって、ハンドルリング５４０が回動操作されると、主動ギヤ５４４を介して従動ギヤ５３６が回動され、その従動ギヤ５３６の回動による抵抗軸ＶＲａの回動が可変抵抗器の抵抗を変化させるので、可変抵抗器の抵抗値（即ち、ハンドルリング５４０の回動操作量）に応じて、球の発射強度を調整できる。
【０１１０】
なお、本実施形態では、軸受部５３５と抵抗軸ＶＲａとの軸方向が互いに平行とされると共にその軸方向に対し従動ギヤ５３６の歯（歯溝）が平行に延設される（図７参照）。また、ハンドルリング５４０の回動軸５４３の軸方向に対し主動ギヤ５４４の歯（歯溝）が平行に延設される。
【０１１１】
ガイド孔５４５ａ，５４５ｂは、ガイド支柱５３３ａ〜５３３ｃを挿通させるための孔であり、それぞれハンドルリング５４０の外縁に沿った円弧状（即ち、回動軸５４３を中心とする円環形状を位相が１８０°異なる２ヶ所で分断した形状）に形成される。ガイド孔５４５ａにはガイド支柱５３３ａが挿通され、ガイド孔５４５ｂにはガイド支柱５３３ｂ，５３３ｃが挿通される。
【０１１２】
よって、ガイド支柱５３３ａ及びガイド支柱５３３ｂ，５３３ｃは、ハンドルリング５４０の回動に伴って、ガイド孔５４５ａ及びガイド孔５４５ｂの中をそれぞれ案内される。そのため、ハンドルリング５４０の回動可能な範囲は、ガイド孔５４５ａ，５４５ｂの中をガイド支柱５３３ａ〜５３３ｃが相対的に移動可能な範囲に制限される。図８の例では、ガイド孔５４５ａ，５４５ｂがそれぞれ略半周に渡る円弧状となっているので、ハンドルリング５４０の回動範囲は、略半周となる。
【０１１３】
図８（ｂ）に示すように、前カバー５５０は、内部が前面側に窪んだ（即ち、背面側が開放された）半球の容器形状に形成され、その内壁面には、軸受部５５１と、ねじ台座５５２ａ〜５５２ｃとが前面から背面へ向けて立設される。軸受部５５１は、中空の筒形状に形成され、ハンドルリング５４０の前面側に突出する回動軸５４３の先端部分が回動可能に挿入される。ねじ台座５５２ａ〜５５２ｃは、ガイド支柱５３３ａ〜５３３ｃにそれぞれ締結固定される。
【０１１４】
なお、前カバー５５０とハンドルリング５４０との間には、ねじりばねとして形成されるリング付勢ばね（図示せず）が配設される。このリング付勢ばねは、ハンドルリング５４０を正面視において左回り（反時計回り）へ付勢する。この付勢方向は、上述した従動ギヤ５３６を付勢するリング付勢ばね５３７が（図７参照）、従動ギヤ５３６及び主動ギヤ５４４を介して、ハンドルリング５４０を付勢する付勢方向と一致する。よって、遊技者がハンドルリング５４０から手を離すと、ハンドルリング５４０は、前カバー５５０とハンドルリング５４０との間に配設される図示しないリング付勢ばねと、従動ギヤ５３６を付勢するリング付勢ばね５３６との二つのばねの付勢力によって、初期位置へ復帰される。
【０１１５】
次いで、図９を参照して、ボス部材５６０について説明する。図９は、ハンドルベース５３０の背面斜視図である。なお、図９では、可変抵抗器や発射停止スイッチ操作部４４０などが取り外された状態が図示されると共に、軸５６３と軸受５２３との位置関係が二点鎖線を用いて模式的に図示される。
【０１１６】
図９に示すように、ボス部材５６０は、ハンドル取付台５２０に対してハンドルベース５３０を、軸支された部分を中心として、変位可能に連結するための部材であり、ハンドルベース５３０の背面から突設される。即ち、後述するように、ハンドル取付台５２０には軸受５２３が形成されると共に、ボス部材５６０には軸５６３が形成され、軸受５２３に軸５６３が回動可能に軸支されることで、その軸支された部分を中心（支点）として、ハンドル取付台５２０に対してハンドルベース５３０が変位可能とされる。なお、軸支された部分を中心（支点）とするハンドルベース５３０のハンドル取付台５２０に対する変位を「揺動」または「回動」と表現しても良い。
【０１１７】
ボス部材５６０は、ハンドルベース５３０の背面（底壁５３２）に締結固定される平板状の基部５６１と、その基部５６１から背面へ向けて突出され断面円形の棒状に形成される突出部５６２と、その突出部５６２の外側面から左右へ向けて一対が張り出される軸状の軸５６３と、突出部５６２の突出先端における下面に配設されるハーネスガイド５６４とを主に備えて構成される。
【０１１８】
突出部５６２の上面には、基部５６１（軸５６３）から離間する（即ち、ハーネスガイド５６４側へ向かう）に従って下降傾斜される傾斜面５６２ａが形成される。ここで、ボス部材５６０の突出部５６２は、ハンドル取付台５２０に対するハンドルベース５３０の軸支部分（軸５６３及び軸受５２３）を中心とする変位に伴い、軸５６３よりも突出先端側（ハーネスガイド５６４側）の部位が上方へ向けて変位される部位であるため（図１６及び図１７参照）、上方に位置する他の部材（即ち、ハンドル取付台５２０内に配設されるスイッチ、ＩＣ装置、ハーネス、或いは、ハンドル取付台５２０に一体に形成される補強リブ５２６など）との干渉を避ける必要がある。
【０１１９】
この場合、他の部材の配設位置を上方へ移動させるのでは、その分、ハンドル取付台５２０の大型化を招くところ、突出部５６２の上面に傾斜面５６２ａを形成することで、ハンドル取付台５２０の小型化を図りつつ、他の部材と突出部５６２との干渉を回避できる。特に、傾斜面５６２ａが上述のように軸５６３から離間するに従って下降傾斜する傾斜面として形成されることで、変位量が大きい突出先端側ほど逃げ量を大きくして、他の部材との干渉を効果的に回避しつつ、変位量が小さい軸５６３側では突出部５６２の切除量を最小として、突出部５６２の剛性を確保することができる。
【０１２０】
突出部５６２の突出先端には、ベース付勢ばねＳＰ（図１２参照）を保持するための一対のガイド壁５６２ｂが立設される。このように、一対のガイド壁５６２ａの間でベース付勢ばねＳＰを保持する構造とすることで、構造を簡素化して、部品コストの削減を図ることができると共に、ベース付勢ばねＳＰを組み付ける際の組み付け性の向上を図ることができる。なお、ガイド壁５６２ｂの対向間に位置する突出部５６２の上面は、背面視において円弧状に湾曲して形成され、ベース付勢ばねＳＰをスムーズに弾性変形させることができる。
【０１２１】
ハーネスガイド５６４は、電気的な配線をガイドするための部材であり、背面視において枠状に形成される。ハンドルベース５３０内から底壁５３２の開口を介してハンドル取付台５２０内に入り込む配線（打ち止めスイッチ５１ｂの配線など）やハンドル取付台５２０内に存在する配線（可変抵抗器の配線など）を、ハーネスガイド５６４の枠内に収容する（枠内を通過させる）ことで、ハンドルベース５３０が軸支部分（軸５６３及び軸受５２３）を中心として変位される際に、突出部５６２の上面、或いは、ハーネスガイド５６４の下面と、他の部材やハンドル取付台５２０の内壁面との間に配線を挟み込んで、断線させてしまうことを回避することができる。
【０１２２】
なお、突出部５６２の上面からガイド壁５６２ｂを突出させることは、他の部材やハンドル取付台５２０との間で配線を挟み込む可能性を高める。本実施形態では、ハーネスガイド５６４を設け、このハーネスガイド５６４の枠内を通過させることで、配線の挟み込み（断線）を抑制することが可能となっている。これにより、突出部５６２の上面にガイド壁５６２ｂを突出させることが可能となり、ベース付勢ばねＳＰを保持する構造の簡素化とその組み付け性の向上とを図ることができる。
【０１２３】
ハンドルベース５３０の背面（底壁５３２）には、合わせ面部５３２ａが形成される。合わせ面部５３２ａは、ハンドル取付台５２０の上合わせ面部５２７（及び下合わせ面部５２８）が当接される部位であり、ボス部材５６０の基部５６１の周囲を取り囲む縦長の円環状の領域に、全体が面一の平坦面として形成される。
【０１２４】
次いで、図１０及び図１１を参照して、ハンドル取付台５２０について説明する。図１０はハンドル取付台５２０の分解状態における斜視図である。図１１（ａ）はハンドル取付台５２０の組み立て状態における斜視図であり、図１１（ｂ）は第1本体５２０ａの内側面図である。
【０１２５】
図１０及び図１１に示すように、ハンドル取付台５２０は、縦長の筒状体として形成され、第1本体５２０ａと第２本体５２０ｂとに縦に２分割される。これら第１本体５２０ａ及び第２本体５２０ｂの合わせ面には、位置決め突起５２１ａが一方から突設されると共に、その位置決め突起５２１ａを受け入れて位置決めを行うための位置決め孔５２１ｂが他方の対応する位置に凹設される。同様に、締結ねじを挿通させるための挿通孔５２２ａが一方に貫通形成されると共に、その挿通孔５２２ａを挿通された締結ねじが締結されることで第１本体５２０ａ及び第２本体５２０ｂを締結固定するための締結孔５２２ｂが他方の対応する位置に凹設される。
【０１２６】
第１本体５２０ａ及び第２本体５２０ｂの内壁面には、軸受５２３と、係止爪部５２４と、収容凹部５２５と、補強リブ５２６とがそれぞれ形成される。軸受５２３は、ボス部材５６０の軸５６３を回動可能に軸支するための軸受部（凹部）であり、一対が対向して配設される。係止爪部５２４は、ベース付勢ばねＳＰの端部を係止するための部位であり（図１２参照）、背面へ向けて張り出しつつ下方に折れ曲がるフック状に形成される。
【０１２７】
収納凹部５２５及び補強リブ５２６は、第1本体５２０ａ及び第２本体５２０ｂの一方および他方の対向する位置に配設される部位である。即ち、収納凹部５２５は、ＩＣ装置などの部品を収容して保持するための凹部であり、その収容する部品の外形に対応する形状に形成され、補強リブ５２６は、内壁面から収納凹部５２５へ向けて突設され、その突設先端により、収納凹部５２５に収納された部品を押圧することで、ハンドル取付台５２０全体としての剛性を高める。
【０１２８】
第1本体５２０ａ及び第２本体５２０ｂの前面（図１１（ｂ）右側面）には、ハンドルベース５３０の合わせ面部５３２ａ（図９参照）に当接される上合わせ面部５２７及び下合わせ面部５２８が形成される。これら上合わせ面部５２７及び下合わせ面部５２８は、ハンドル取付台５２０の前面側の端面（正面視において縦長の円環状の面）に形成されると共に、それぞれが面一の平坦面として形成される。なお、下合わせ面部５２８は、上合わせ面部５２７から離間するに従って背面へ向けて傾斜される。これにより、ハンドル取付台５２０に対しハンドルベース５３０が軸支部分（軸５６３及び軸受５２３）を中心として変位可能となる（図１６及び図１７参照）。
【０１２９】
第1本体５２０ａの下合わせ面部５２８は、その一部が拡大されて（即ち、第１本体５２０ａの内壁面から径方向内方へ板状体が張り出され）、その拡大部分（張り出し部分）が、リング規制部材７００の被押圧面部７０２ａを押圧するための押圧面部５２８ａとされる。押圧面部５２８ａの背面側には補強部５２８ｂが連設される。補強部５２８ｂは、板状に形成され、押圧面部５２８ａの上端側のみが、第１本体５２０ａの内壁面および段差面５２０ａ１に連結される。これにより、第１本体５２０ａの内壁面と補強部５２８ｂとの間に空間を形成できる分、樹脂材料を抑制して、部品コストの削減を図りつつ、押圧面部５２８ａの剛性を効果的に高めて、耐久性の向上を図ることができる。
【０１３０】
次いで、図１２を参照して、ベース付勢ばねＳＰについて説明する。図１２は、ハンドル取付台５２０及びハンドルベース５３０の背面斜視図である。なお、図１２では、可変抵抗器などが取り外された状態が図示されると共に、その他の部品の配線の図示が省略される。
【０１３１】
図１２に示すように、ベース付勢ばねＳＰは、コイルスプリングとして形成され、弾性的に引張変形（伸張）された状態で、両端の円環状の部分が係止爪部５２４に係止されると共に、コイルスプリングの略中間部分がボス部材５６０の突出部５６２における突出先端（一対のガイド壁５６２ｂの対向間）に架け渡される。
【０１３２】
これにより、ボス部材５６０は、ベース付勢部材ＳＰの弾性回復力により、軸５６３を中心として、突出部５６２における突出先端が係止爪部５２４へ近接する方向（下方）へ付勢される。その結果、ハンドル取付台５２０に対し、ハンドルベース５３０が上方へ変位される（図１６参照）。
【０１３３】
ハンドル取付台５２０は、背面が開放して形成されるので、かかる背面の開放部分からハンドル取付台５２０の内部空間を露出させることができる。これにより、ベース付勢ばねＳＰの両端を係止爪部５２４に係止させると共に、その中間部分を一対のガイド壁５６２ｂの対向間に架設する作業を、ハンドル取付台５２０の背面の開放部分から行うことができるので、その取付作業の作業性の向上を図ることができる。
【０１３４】
なお、ハンドルベース５３０が上方へ変位された（跳ね上げられた）状態では、ハンドルベース５３０の合わせ面部５３２ａに、ハンドル取付台５２０の上合わせ面部５２７が当接された状態となる。即ち、ハンドル取付台５２０及びハンドルベース５３０の対向面（合わせ面）には、平坦面状に形成された合わせ面部（上合わせ面部５２７及び合わせ面部５３２ａ）が形成され、これら合わせ面部が、ハンドルベース５３０の変位位置が初期位置（第１位置）に配設された状態で、ベース付勢ばねＳＰの付勢力により密着される。この密着により、初期位置において、ハンドル取付台５２０に対しハンドルベース５３０をがたつかせることなく、安定した状態に維持することができる。その結果、例えば、ハンドルリング５４０を回動操作する際の操作性の向上を図ることができる。
【０１３５】
また、ハンドルベース５３０の変位位置が初期位置に配設された状態では、互いに密着される合わせ面（上合わせ面部５２７及び合わせ面部５３２ａ）がハンドル取付台５２０及びハンドルベース５３０の上方（上面）に位置するので、合わせ面が開放された場合に（図１７参照）、遊技者が不用意に落下させた異物や埃、ゴミなどの異物がハンドル取付台５２０の内部に入り込むことを抑制できる。特に、ハンドルベース５３０は、ベース付勢ばねＳＰの付勢力によって初期位置（第１位置）に復帰され、その初期位置にある期間が長いため、合わせ面（上合わせ面部５２７及び合わせ面部５３２ａ）を上方に配設する構成が有効となる。
【０１３６】
次いで、図１３から図１５を参照して、リング規制部材７００について説明する。図１３はリング規制部材７００が装着された状態におけるハンドルベース５３０の正面斜視図であり、図１４は、リング規制部材７００が取り外された状態におけるハンドルベース５３０の正面斜視図である。なお、図１３及び図１４では、可変抵抗器や発射停止スイッチ操作部４４０などが取り外された状態が図示される。
【０１３７】
図１３及び図１４に示すように、ハンドルベース５３０には、内周壁５３４に形成された切り欠き部５３４ｂにリング規制部材７００が装着される。なお、ハンドルベース５３０の底壁５３２には、前面から背面（詳細には合わせ面部５３２ａ）に貫通する正面視円形の貫通孔５３２ｂが形成される。なお、貫通孔５３２ｂ及び切り欠き部５３４ｂは、ハンドルリング５４０の回動軸と平行とされる。
【０１３８】
リング規制部材７００は、ハンドルリング５４０が初期位置へ復帰することを規制する（即ち、ハンドルリング５４０の回動操作量（回動位置）を固定する）ための樹脂材料製の部材であり、ハンドル取付台５２０に対しハンドルベース５３０が軸支部分（軸５６３及び軸受５２３）を中心として変位された場合に、ハンドル取付台５２０（押圧面部５２８ａ）により前面へ向けて押し出され、ハンドルリング５４０の円板部５４１を押圧することで、ハンドルリングの回動を規制するように構成される（図１７参照）。ここで、図１５を参照して、リング規制部材７００について説明する。
【０１３９】
図１５（ａ）及び図１５（ｂ）は、リング規制部材７００の斜視図である。リング規制部材７００は、本体部７０１と、その本体部７０１の背面から突出されるロッド部７０２と、本体部７０１の両側から突出される一対の腕部７０３とを主に備えて構成される。
【０１４０】
本体部７０１は、板状に形成される部位であり、少なくとも上面（図１５（ｂ）上側面）が凹状に湾曲して形成される。これにより、ハンドルベース５３０に装着された場合には、ハンドルベース５３０の内部空間を確保して、他の部品の取り付けの自由度を高めることができると共に、取り付け作業時の作業性の向上を図ることができる。
【０１４１】
本体部７０１の左右両側の側面には、スライド案内溝７０１ａが凹設される。スライド案内溝７０１ａは、断面コ字状の直線状の凹溝であり、ロッド部７０２の突設方向に平行に延設される。このスライド案内溝７０１ａには、リング規制部材７００がハンドルベース５３０に装着された状態において、ハンドルベース５３０の内周壁５３４（切り欠き部５３４ｂの両側部分）が内嵌される。即ち、本体部７０１の底面側から突出する部分と腕部７０３の基部との対向間に、ハンドルベース５３０の内周壁５３４が挟み込まれる。これにより、本体部７０１（リング規制部材７００）は、ロッド部７０２の延設方向への移動（スライド）のみが許容され、ハンドルベース５３０における周方向への移動が規制される。
【０１４２】
本体部７０１の前面には、平坦面状の当接面部７０１ｂが形成される。当接面部７０１ｂは、ハンドルリング５４０の円板部５４１の背面に当接される部位であり（図１７参照）、ハンドルリング５４０の回動軸に垂直（即ち、本体部７０１の移動（スライド）方向に平行）に形成される。
【０１４３】
ロッド部７０２は、本体部７０１の背面から突設される断面円形の棒状体であり、ハンドルベース５３０の底壁５３２における貫通孔５３２ｂに挿通可能に形成される。ロッド部７０２の突設先端には、半球状の被押圧面部７０２ａが形成される。なお、ロッド部７０２の本体部７０１の背面からの突設長さは、底壁５３２の厚みよりも大きくされ、リング規制部材７００がハンドルベース５３０に装着された状態では、ロッド部７０２の被押圧面部７０２ａが、底壁５３２の背面（合わせ面部５３２ａ）から突出される（図１６参照）。
【０１４４】
なお、ロッド部７０２の被押圧面部７０２ａが半球状に形成されるので、ハンドル取付台５２０に対してハンドルベース５３０が軸支部分（軸５６３及び軸受５２３）を中心として変位され、ハンドル取付台５２０の押圧面部５２８ａにより被押圧面部７０２ａが押圧される場合には（図１６及び図１７参照）、リング規制部材７００を、安定して移動（スライド）させることができる。即ち、本実施形態では、ハンドル取付台５２０の押圧面部５２８ａが軸５６３を中心として移動する一方、リング規制部材７００がスライド（直線移動）する構造であり、両者の相対的な位置関係が不定であるところ、ハンドル取付台５２０の押圧面部５２８ａが平面として形成され、リング規制部材７００の被押圧面部７０２ａが押圧面部５２８ａへ向けて膨出する球面として形成されることで、両者の接触位置を、軸支部分（軸５６３及び軸受５２３）を中心とする変位に伴い移動させ、リング規制部材７００をハンドルリング５４０へ向かう方向へスライドさせるための力成分を連続的に発生させることができる。これにより、リング規制部材７００を詰まらせる（即ち、スライド案内溝７０１ａにハンドルベース５３０の内周壁５３４が噛み込む、或いは、ロッド部７０２が貫通孔５３２ｂに噛み込む)ことを抑制して、安定してスライドさせることができる。
【０１４５】
腕部７０３は、本体部７０１の両側の側面から突設される断面略矩形の棒状体であり、その腕部７０３の底面は、ハンドルベース５３０の内周壁５３４の内周面に対応する曲率で湾曲して形成される。これにより、リング規制部材７００がハンドルベース５３０に装着された（本体部７０１のスライド案内溝７０１ａに内周壁５３４が内嵌された）状態では、かかる腕部７０３の底面を内周壁５３４の内周面に沿って湾曲させた状態とでき、腕部７０３が受止突起５３８から脱落することを抑制できる。また、腕部７０３が、ハンドルベース５３０の周方向に沿って延設されることで、他の部品の配設スペースに影響を与えることを抑制しつつ、腕部７０３をより長くすることができると共に腕部７０３の弾性変形に必要なスペースを確保することができる。
【０１４６】
図１３及び図１４に戻って説明する。ハンドルベース５３０の内周壁５３４には、その内周面から径方向内方へ向けて一対の受止突起５３８が突設される。受止突起５３８は、リング規制部材７００の腕部７０２を拘束して、その移動を規制することで、弾性変形させるための部位であり、リング規制部材７００の腕部７０３の先端部分に対応する位置に配設される。
【０１４７】
ハンドルベース５３０の切り欠き部５３４ｂ（リング規制部材７００をハンドルリング５４０へ向けてスライド移動可能に保持するスライド保持部）は、前面（ハンドルリング５４０に対面する側）が開放されて形成される。よって、その開放部分を利用して、リング規制部材７００を切り欠き部５３４ｂに容易に装着することができるので、そのリング規制部材７００を装着する作業に関する組み立てコストの削減を図ることができる。
【０１４８】
なお、切り欠き部５３４ｂの開放部分は、ハンドルリング５４０に対面する側であるから（図１６参照）、ハンドルベース５３０にハンドルリング５４０が配設されることで、リング規制部材７００が切り欠き部５３４ｂの開放部分から脱落することはない。
【０１４９】
また、ハンドルベース５３０の内周壁５３４には、リング規制部材７００の腕部７０３を受け止める受止突起５３８が突設されるので、ハンドルベース５３０の切り欠き部５３４ｂにその開放部分からリング規制部材７００を装着した後、ハンドルベース５３０にハンドルリング５４０が装着されるまでの間に（即ち、図１３に示す状態にある時に）、リング規制部材７００が切り欠き部５３４ｂの開放部分から脱落することを防止することができるる。よって、組み立て工程での作業性の向上を図ることができる。
【０１５０】
一方、リング規制部材７００の腕部７０３は、樹脂材料からなり、弾性変形可能に形成されるので、ハンドル取付台５２０に対してハンドルベース５３０が軸支部分（軸５６３及び軸受５２３）を中心として変位され、リング規制部材７００が前面（ハンドルリング５４０）へ向けて押圧される場合には、先端部分が受止突起５３８に拘束される腕部７０２を弾性変形させることで、リング規制部材７００を移動（スライド）させることができる。これにより、リング規制部材７００の当接面部７０１ｂをハンドルリング５４０の背面（被当接面部）に当接させることができる（図１７参照）。
【０１５１】
また、ハンドル取付台５２０に対するハンドルベース５３０の軸支部分（軸５６３及び軸受５２３）を中心とする変位が解除された場合には、弾性変形された腕部７０２の弾性回復力により、リング規制部材７００を、ハンドルリング５４０から離間する方向へ移動させ、初期位置へ復帰させることができる（図１６参照）。これにより、リング規制部材７００の当接面部７０１ｂとハンドルリング５４０の背面（被当接面部）との間に隙間を形成できる。その結果、両者の当接による抵抗に起因してハンドルリング５４０の回動操作が阻害されることを回避できる。
【０１５２】
ここで、受止突起５３８は、ハンドルベース５３０の内周壁５３４の内周面から径方向内方へ向けて突設されるので、組み立て時における視認性を確保できる。その結果、腕部７０３と受止突起７３８との位置関係（即ち、腕部７０３が受止突起７３８に適正に係合されているか否か）の確認作業を容易として、作業性の向上を図ることができる。
【０１５３】
また、受止突起７３８には、その突設上面に、前面から背面へ向かうに従って（即ち、リング規制部材７００の装着方向に沿って）ハンドルベース５３０の内周壁５３４の内周面から上昇傾斜する傾斜面が形成されるので、切り欠き部５３４ｂにその開放部分からリング規制部材７００を装着する際には、受止突起５３８の突設上面に形成される傾斜面に沿ってリング規制部材７００の腕部７０３が移動することで、かかる受止突起５３８を腕部７０３に容易に乗り越えさせることができる。即ち、切り欠き部７３８の開放部分からリング規制部材７００を押し込むだけでよく、腕部７０３を持ち上げて受止突起７３８を乗り越えさせる作業を別途行う必要がないので、その組み立て作業の作業性の向上を図ることができる。
【０１５４】
次いで、図１６及び図１７を参照して、操作ハンドル５１の動作について説明する。
【０１５５】
図１６は、変位操作される前の状態における操作ハンドル５１の部分断面側面図であり、図１７は、変位操作された後の状態における操作ハンドル５１の部分断面側面図である。なお、図１６及び図１７では、下皿ユニット１５の前面が二点鎖線により模式的に図示されると共に、ハンドル取付台５２０の第２本体５２０ｂが取り外された状態が図示され、また、各部品の配線の図示が省略される。
【０１５６】
図１６に示すように、ハンドル取付台５２０に対しハンドルベース５３０が軸支部分（軸５６３及び軸受５２３）を中心として変位される前の状態（即ち、遊技者によりハンドルベース５３０が下方へ向けて変位操作されていない状態）では、ハンドルベース５３０が水平位置（第１位置）にあり、ハンドル取付台５２０及びハンドルベース５３０の合わせ面は、上合わせ面部５２７が合わせ面部５３２ａに当接される一方、下合わせ面部５２８が合わせ面部５３２ａから離間される。
【０１５７】
図１６に示す状態から、ハンドル取付台５２０に対してハンドルベース５３０が軸支部分（軸５６３及び軸受５２３）を中心として下方へ変位されると、リング規制部材７００のロッド部７０２における被押圧面部７０２ａが、ハンドル取付台５２０の押圧面部５２８ａに押圧され、リング規制部材７００が前面（ハンドルリング５４０）へ向けてスライド移動される。ハンドルベース５３０が軸支部分（軸５６３及び軸受５２３）を中心として下方へ更に変位されると、下合わせ面部５２８が合わせ面部５３２ａに当接され、図１７に示すように、リング規制部材７００の本体部７０１における当接面部７０１ｂがハンドルリング５４０の円板部５４１における背面に当接される。
【０１５８】
その結果、ハンドルリング５４０は、その回動操作量（回動位置）にかかわらず、初期位置への復帰が規制され、回動操作量が固定される。よって、球の発射強度を、現在のハンドルリング５４０の回動操作量に応じた球の発射強度に固定することができる。
【０１５９】
この場合、ハンドルリング５４０の回動操作量を固定する従来技術として、次のものがある。例えば、特開２０１２−５７５９号には、本実施の形態における前カバー５５０に相当する前カバーベースの頂部（遊技者から見て手前側）に、前方（遊技者側）へ向けて凸な半球状となるボタンを設け、このボタンを遊技者が手の平で奥側へ押し込むことで、ハンドルリングの回動操作量を固定する技術が開示される。
【０１６０】
しかし、かかる従来技術では、ハンドルリングの回動操作を行いながら、かつ、ボタンの押し込み操作を行う必要がある。詳細には、手指で握ったハンドルリングを周方向へ動作させる操作（回動操作）と、手の平をボタン表面に回りこませつつ奥側へ向けて押し込む操作とを並行して行う必要がある。そのため、ハンドルリングの回動操作量（回動位置）を維持しつつ、ボタンを押し込むには、遊技者に高度な技術が要求される。また、この状態（ハンドルリングの回動操作量を維持しつつ、ボタンを押し込んだ状態）は、遊技者にとって無理な姿勢となるため、かかる状態を継続する（即ち、球の発射強度を所望の発射強度に固定する）ことが遊技者の負担になる。その結果、ボタンを押し込む際だけでなく、押し込みを維持する際にも、ハンドルリングの回動操作量（回動位置）がずれ易く、所望の回動操作量に維持することが困難となる。
【０１６１】
なお、このような無理な姿勢であるが故に、ハンドルリングの回動操作量（回動位置）を維持しつつ、ボタンの押し込みを解除する操作にも高度な技術が要求される。
【０１６２】
これに対し、本実施形態によれば、ハンドルベース５３０の軸支部分（軸５６３及び軸受５２３）を中心とする変位操作は、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドルリング５４０の回動操作量が所望の回動操作量に固定された状態）を維持することも容易となる。よって、ハンドルベース５３０の操作時およびその操作状態を維持する際に、ハンドルリング５４０の回動位置に位置ずれが生じることを抑制し、球の発射強度を所望の発射強度に精度良く固定することができる。
【０１６３】
また、このように、軸支部分（軸５６３及び軸受５２３）を中心としてハンドルベース５３０を変位させる構造であれば、遊技者は、ハンドルベース５３０（前カバー５５０）に手のひらを添えると共に、そのまま手の重みを作用させる動作のみで、ハンドルベース５３０を軸支部分（軸５６３及び軸受５２３）を中心として下方へ変位させることができる。即ち、遊技者は、手の重みを作用させるという簡易な動作を行うのみで、球の発射強度を所望の発射強度に固定することができる。
【０１６４】
また、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドルリング５４０の回動操作量が所望の回動操作量に固定された状態）を維持することも容易となる。よって、ハンドルベース５３０の操作時およびその操作状態を維持する際に、ハンドルリング５４０の回動位置に位置ずれが生じることを抑制し、球の発射強度を所望の発射強度に精度良く固定することができる。
【０１６５】
また、リング規制部材７００の本体部７０１における当接面部７０１ｂと、ハンドルリング５４０の円板部５４１における背面（被当接面部）とが互いに平滑面として形成されるので、ハンドルリング５４０の回動位置を、任意の回動位置で固定可能とすることができる。
【０１６６】
例えば、リング規制部材７００の本体部７０１における当接面部７０１ｂと、ハンドルリング５４０の円板部５４１における背面（被当接面部）とにそれぞれ鋸歯状の凹凸を設け、それら鋸歯状の凹凸同士を係合させることで、ハンドルリング５４０の回動位置を固定する構造では、ハンドルリング５４０の回動位置の固定を強固に行うことができる一方で、鋸歯状の凹凸のピッチ（間隔）が調整幅の最小値となる。そのため、固定可能な回動位置が断続的となり、所望の回動位置に固定できないおそれがある。
【０１６７】
これに対し、本実施形態のように、リング規制部材７００の本体部７０１における当接面部７０１ｂとハンドルリング５４０の円板部５４１における背面（被当接面部）とが平滑面とされることで、固定可能な回動位置が連続的となるので、任意の回動位置で固定可能として、その調整幅を確保することができる。
【０１６８】
また、当接面部７０１ｂが円板部５４１の背面（被当接面部）に当接された状態とされ、ハンドルリング５４０の回動操作量が固定されたとしても、これら当接面部７０１ｂ及び被当接面部が平滑面とされていることで、互いの当接面を相対的に滑動させることができるので、ハンドルリング５４０の回動操作量の固定後であっても、かかるハンドルリング５４０の回動操作量を微調整することができる。
【０１６９】
ここで、前カバー５５０は、ハンドルリング５４０の前面側（図１６右側）に配設されるので、遊技者は、ハンドルリング５４０を手指で把持する際に、前カバー５５０の外面に手の平を添えることができ、かかる前カバー５５０を、ハンドル取付台５２０に対してハンドルベース５３０を軸支部分（軸５６３及び軸受５２３）を中心として変位させる際に力を加える部分（力点）として利用することができる。
【０１７０】
この場合、図１７に示すように、本実施形態では、ハンドル取付台５２０に対しハンドルベース５３０を変位可能に軸支するボス部材５６０の軸５６３（支点）から押圧面部５２８ａ（被押圧面部７０２ａの突出先端（作用点））までの距離Ａが、少なくとも、ボス部材５６０の軸５６３からハンドルリング５４０の背面までの距離Ｂよりも小さくされる。よって、ボス部材５６０の軸５６３（支点）から前カバー５５０の外面（力点）までの距離は、距離Ａよりも大きくされる。
【０１７１】
即ち、力点から支点までの距離を、支点から作用点までの距離よりも大きくすることができるので、力点となる前カバー５５０の外面に加えられる力が小さくても、その力を増幅させて、作用点となる押圧面部５２８ａによってリング規制部材７００（被押圧面部７０２ａ）をより大きな力で押圧することができる。これにより、リング規制部材７００をハンドルリング５４０に強固に当接させ、ハンドルリング５４０の回動操作量（回動位置）を確実に固定することができる。
【０１７２】
次いで、図１８を参照して、第２実施形態について説明する。図１８（ａ）及び図１８（ｂ）は、第２実施形態における操作ハンドル２０５１の部分断面側面図である。なお、図１８（ａ）では変位操作される前の状態が、図１８（ｂ）では変位操作された後の状態が、それぞれ図示される。また、第１実施形態と同一の部分については同一の符号を付して、その説明を省略する。
【０１７３】
図１８に示すように、第２実施形態におけるリング規制部材２７００は、本体部７０１の前面に平坦面状に形成される当接面部２７０１ｂを備え、この当接面部２７０１ｂが、ハンドルリング２５４０の径方向（リング規制部材２７００のスライド方向に直交する方向、図１８（ａ）上下方向）に対して傾斜される。即ち、当接面部２７０１ｂは、ハンドルリング２５４０の回動軸に対して非垂直に形成され、その傾斜方向は、ハンドルリング５４０の回動軸に近接する側（図１８（ａ）上側）ほど前面側（図１８（ａ）右側）に位置する方向である。一方、ハンドルリング２５４０の円板部２５４１は、その背面（被当接面部）が、平坦面として形成されると共に、リング規制部材２７００の当接面部２７０１ｂと平行に傾斜される。
【０１７４】
ここで、上記第１実施形態の操作ハンドル５１（図１５参照）では、当接面部７０１ｂ及び円板部５４１の背面（被当接面部）とが、ハンドルリング５４０の回動軸に対して垂直に形成されるため、操作ハンドル５１（ハンドルベース５３０）が軸支部分（軸５６３及び軸受５２３）を中心として変位された際（図１６参照）、ハンドルリング５４０の円板部５４１における背面（被当接面部）には、当接面部７０１ｂからハンドルリング５４０の回動軸方向の力成分のみが作用する。この力成分の方向（回動軸方向）には、ハンドルリング５４０（円板部５４１）は拘束されていないため、ハンドルリング５４０（円板部５４１）は、当接面部７０１ｂに押圧される部分が、回動軸方向（図１６右方向）へ反って（逃げて）しまう。そのため、当接面部７０１ｂをハンドルリング５４０の背面（被当接面部）に密着させることができず、ハンドルリング５４０の回動位置を強固に固定することが困難となる。
【０１７５】
これに対し、第２実施形態の操作ハンドル２０５１によれば、ハンドルリング２５４０の円板部２５４１における背面（被当接面部）に対し、リング規制部材２７００の当接面部２７０１ｂから、回動軸方向の力成分だけでなく、径方向外方（図１８（ｂ）下方向）への力成分も発生させることができる。ハンドルリング２５４０は、径方向外方への力成分に対しては拘束されるため、リング規制部材２７００の当接面部２７０１ｂをハンドルリング２５４０の背面（被当接面部）に密着させることでき、その分、ハンドルリング２５４０の回動位置を強固に固定することができる。
【０１７６】
特に、リング規制部材２７００の当接面部２７０１ｂ及びハンドルリング２５４０の円板部２５４１における背面（被当接面部）が平坦面として形成される場合には、ハンドルリング２５４０が任意の回動位置で固定可能となり、その調整幅を確保することができる一方で、それら両面部の間での滑動（スリップ）が発生し易く、これらを互いに密着させることが必要となる。そのため、第２実施形態における構成が有効となる。
【０１７７】
ここで、上記のように径方向外方への力成分も発生させるためには、リング規制部材の移動（スライド）の方向自体をハンドルリング５４０の回動軸の方向に対して傾斜させることも考えられるが、その傾斜の分、リング規制部材の配設に必要なスペースが径方向に嵩むこととなり、ハンドルベース５３０の大型化を招くと共に、ハンドルベース５３０を樹脂材料から金型を用いて射出成形する場合には、ハンドルベース５３０の金型からの脱型性が悪化する。これに対し、リング規制部材２７００のスライド移動の方向をハンドルリング２５４０の回動軸の方向と平行とすることで、リング規制部材２７００の配設に必要なスペースを抑制することができ、その分、ハンドルベース２５３０の小型化を図ることができる。また、リング規制部材２７００がスライド移動可能に配設される部分（切り欠き部５３４ｂ）の形状を、ハンドルベース５３０を射出成形する金型の脱型方向（即ち、回動軸の方向）に沿わせることができ、その分、成形性と金型構造の簡素化とを図ることができる。
【０１７８】
次いで、図１９を参照して、第３実施形態について説明する。図１９（ａ）及び図１９（ｂ）は、第３実施形態における操作ハンドル３０５１の部分断面側面図である。なお、図１９（ａ）では変位操作される前の状態が、図１９（ｂ）では変位操作された後の状態が、それぞれ図示される。また、第１実施形態と同一の部分については同一の符号を付して、その説明を省略する。
【０１７９】
図１９に示すように、第３実施形態におけるリング規制部材３７００は、本体部７０１の底面に当接面部３７０１ｃを備える。当接面部３７０１ｃは、リング規制部材３７００の背面から前面へ向かうに従って上昇傾斜（ハンドルリング３５４０の回動軸に近接）する傾斜面として形成される。即ち、当接面部３７０１ｃは、ハンドルリング３５４０の回動軸方向（図１９（ａ）左右方向）に対して傾斜される。一方、ハンドルリング３５４０は、外周壁３５４２の内周面が、リング規制部材３７００の当接面部３７０１ｂが当接される被当接面部とされ、当接面部３７０１ｂと平行に傾斜される。
【０１８０】
なお、円板部３５４１の背面は、第１実施形態における円板部５４１の背面よりも前面側に位置し、操作ハンドル３０５１（ハンドルベース５３０）が軸支部分（軸５６３及び軸受５２３）を中心として変位された場合に、図１９（ｂ）に示すように、リング規制部材３７００の前面（当接面部７０１ｂ）との間に隙間を有する。
【０１８１】
第３実施形態の操作ハンドル３０５１によれば、ハンドルリング３５４０の外周壁３５４２の内周面（被当接面部）に、リング規制部材３７００の当接面部３７０１ｃが当接されることで、回動軸方向の力成分だけでなく、径方向外方（図１９（ｂ）下方向）への力成分も発生させることができる。ハンドルリング３５４０は、径方向外方への力成分に対しては拘束されるため、リング規制部材３７００の当接面部３７０１ｃをハンドルリング３５４０の外周壁３５４１の内周面（被当接面部）に密着させることでき、その分、ハンドルリング３５４０の回動位置を強固に固定することができる。
【０１８２】
特に、リング規制部材３７００の当接面部３７０１ｃ及びハンドルリング３５４０の外周壁３５４１の内周面（被当接面部）が平坦面として形成される場合には、ハンドルリング３５４０が任意の回動位置で固定可能となり、その調整幅を確保することができる一方で、それら両面部の間での滑動（スリップ）が発生し易く、これらを互いに密着させることが必要となる。そのため、第３実施形態における構成が有効となる。
【０１８３】
次いで、図２０を参照して、第４実施形態について説明する。図２０（ａ）及び図２０（ｂ）は、第４実施形態における操作ハンドル４０５１の部分断面側面図である。なお、図２０（ａ）では変位操作される前の状態が、図２０（ｂ）では変位操作された後の状態が、それぞれ図示される。
【０１８４】
第１実施形態では、操作ハンドル５１のハンドルリング５４０が回動操作されると、その回動操作量に対応して可変抵抗器の抵抗値が変化され、その可変抵抗値に対応した発射強度で球が発射される場合を説明した。第4実施形態では、発射強度変更スイッチ４６４０がオンされた場合には、ハンドルリング５４０の回動操作量（可変抵抗器の抵抗値）の大きさに関わらず、調整可能範囲内における最大の発射強度で球が発射される。なお、第１実施形態と同一の部分については同一の符号を付して、その説明を省略する。
【０１８５】
図２０に示すように、第４実施形態における操作ハンドル４０５１は、発射強度変更スイッチ４６４０を備える。発射強度変更スイッチ４６４０は、ハンドルベース５３０の内周壁５３４を周方向に分断して形成される切り欠き部５３４ｂ（図１４参照）に配設される。即ち、第４実施形態では、第１実施形態に対し、リング規制部材７００に代えて、発射強度変更スイッチ４６４０が配設される。
【０１８６】
発射強度変更スイッチ４６４０は、オンされた場合に球の発射強度を最大とするスイッチであり、スイッチ操作部４６４０ａを備える。スイッチ操作部４６４０ａは、発射強度変更スイッチ４６４０のオン・オフを切り替えるための操作部であり、発射強度変更スイッチ４６４０内に配設される付勢ばね（図示せず）により突出方向へ付勢されている。このスイッチ操作部４６４０ａが、付勢ばねの付勢力に抗して押し込まれることで、発射強度変更スイッチ４６４０をオンさせる一方、押し込み力が解除されると、付勢ばねの付勢力により初期位置へ復帰し、発射強度変更スイッチ４６４０をオフさせる。
【０１８７】
なお、スイッチ操作部４６４０ａは、その先端が半球状に形成されると共に断面円形の棒状に形成され、図２０（ａ）に示すように、半球状の先端部を底壁５３２の背面（合わせ面部５３２ａ）から突出させた状態（即ち、発射強度変更スイッチ４６４０をオフさせた状態）で、ハンドルベース５３０の貫通孔５３２ｂに挿通される。
【０１８８】
図２０（ｂ）に示すように、ハンドル取付台５２０に対し、ハンドルベース５３０が軸支部分（軸５６３及び軸受５２３）を中心として下方へ向けて変位されると、スイッチ操作部４６４０ａの半球状の先端部が、ハンドル取付台５２０の押圧面部５２８ａに押圧され、前面へ向けてスライド移動される（付勢ばねの付勢力に抗して押し込まれる）。これにより、発射強度変更スイッチ４６４０がオンされる。
【０１８９】
発射強度変更スイッチ４６４０がオンされると、主制御装置１１０は、球の発射強度を制御する発射制御処理において、発射制御装置１１２に対して、最大の発射強度での球の発射を指示する（図４参照）。これにより、第２入球口６４０へ向けて、可変表示装置８０の右方を球が通過するように球を発射（所謂「右打ち」）することができる（図２参照）。
【０１９０】
ここで、遊技者は、通常中は、第２入球口６４０に付随する電動役物が閉鎖状態にある場合が多く、第２入球口６４０に入球しづらいので、第１入球口６４への入球によって大当たり抽選の機会を多く得て、大当たりとなることを狙うべく、電動役物のない第１入球口６４へ向けて、可変表示装置ユニット８０の左方を球が通過するように球を発射する（所謂「左打ち」）。一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙う（図２参照）。
【０１９１】
この場合、ハンドルリング５４０の回動操作量を最大として、「右打ち」を行っている時間は、比較的短く、「右打ち」が終了するたびに、ハンドルリング５４０の回動操作量を戻しつつ、球の発射強度を元の発射強度に再調整する必要があり、その再調整が遊技者にとっては煩わしかった。
【０１９２】
これに対し、第４実施形態では、操作ハンドル４０５１（ハンドル取付台５２０に対してハンドルベース５３０）を軸支部分（軸５６３及び軸受５２３）を中心として変位させることで、ハンドルリング５４０の回動操作量を変更しなくても、球の発射強度を最大として、「右打ち」を行うことができる。よって、「右打ち」が終了した際には、操作ハンドル５１の軸支部分（軸５６３及び軸受５２３）を中心とする変位を解除するのみで、元の発射強度での「左打ち」に復帰することができる。
【０１９３】
即ち、操作ハンドル４０５１は、ハンドルベース５３０自体の軸支部分（軸５６３及び軸受５２３）を中心とする変位を起点として、球の発射強度を最大の発射強度に設定する構造であり、かかるハンドルベース５３０自体の軸支部分（軸５６３及び軸受５２３）を中心とする変位は、ハンドルベース５３０とハンドルリング５４０とを一体的に変位させる動作であるから、かかる軸支部分（軸５６３及び軸受５２３）を中心とする変位を、ハンドルリング５４０の回動操作量（回動位置）を維持しつつ、行うことができる。また、ハンドルベース５３０自体の軸支部分（軸５６３及び軸受５２３）を中心とする変位を戻せば、球の発射強度を元の発射強度（ハンドルリング５４０の回動操作量に応じた発射強度）に復帰させることができる。これにより、遊技状態が変化するたびに、ハンドルリング５４０を回動操作して、球の発射強度を再調整する手間を不要とすることができ、遊技者の負担を軽減することができる。
【０１９４】
図２０（ａ）に示すように、操作ハンドル４０５１は、ハンドル取付台５２０に対するハンドルベース５３０の軸支部分（軸５６３及び軸受５２３）を中心とする変位位置がベース付勢ばねＳＰの付勢力（図１５参照）によって初期位置（第１位置）にある状態では、スイッチ操作部４６４０ａの半球状の先端部が、ハンドル取付台５２０の押圧面部５２８ａ、から所定距離だけ離間される（隙間が形成される）。これにより、発射強度変更スイッチ４６４０のオン（球の発射強度の変更）は、ハンドル取付台５２０に対してハンドルベース５３０が軸支部分（軸５６３及び軸受５２３）を中心として初期位置から所定量以上だけ変位されなければ、行われないこととなる。これにより、遊技者の意図しない操作（ハンドルベース５３０の軸支部分（軸５６３及び軸受５２３）を中心とする変位操作）によって、球の発射強度が不用意に変更される（即ち、不用意に「右打ち」となる）ことを抑制することができる。
【０１９５】
図２０（ｂ）に示すように、操作ハンドル４０５１は、ハンドル取付台５２０に対してハンドルベース５３０が軸支部分（軸５６３及び軸受５２３）を中心として下方へ向けて最大に変位された変位位置（第２位置）においても、発射強度変更スイッチ４６４０がオンされた状態に維持される。よって、遊技者は、球の発射強度を最大に維持する場合には、ハンドルベース５３０の軸支部分（軸５６３及び軸受５２３）を中心とする変位をその可動範囲の終端まで操作すれば良く、可動範囲の途中で停めて維持する必要がない。即ち、「右打ち」の状態を遊技者にとって楽な姿勢（ハンドルベース５３０を可動範囲の終端まで操作した姿勢）で形成することができるので、その操作性の向上を図ることができる。
【０１９６】
また、このように、楽な姿勢であるので、「右打ち」を行っている間も、ハンドルリング５４０の回動操作量（回動位置）がずれ難く、所望の回動操作量に維持しやすくすることができる。その結果、「右打ち」を終了し、「左打ち」を再開する際には、元の発射強度（即ち、「右打ち」を行う前の発射強度）での球の発射をより高精度に再現することができる。
【０１９７】
次いで、図２１を参照して、第５実施形態について説明する。図２１（ａ）及び図２１（ｂ）は、第５実施形態における操作ハンドル５０５１の部分断面側面図である。なお、図２１（ａ）では変位操作される前の状態が、図２１（ｂ）では変位操作された後の状態が、それぞれ図示される。
【０１９８】
第５実施形態における操作ハンドル５０５１は、第１実施形態における操作ハンドル５１に対し、発射強度変更スイッチ５６４０が追加された点のみが異なり、他の構成は同一である。かかる第１実施形態と同一の部分については、同一の符号を付して、その説明を省略する。
【０１９９】
発射強度変更スイッチ５６４０は、オンされた場合に球の発射強度を最大とするスイッチであり、揺動片５６４０ａを備える。揺動片５６４０ａは、発射強度変更スイッチ５６４０のオン・オフを切り替えるための操作部であり、付勢ばね（図示せず）により開放方向へ付勢されており、付勢ばねの付勢力に抗して押し込まれた状態では、発射強度変更スイッチ５６４０をオフさせる一方、押し込み力が解除されると、付勢ばねの付勢力により初期位置へ復帰し、発射強度変更スイッチ５６４０をオンさせる。
【０２００】
発射強度変更スイッチ５６４０がオンされると、主制御装置１１０は、球の発射強度を制御する発射制御処理において、発射制御装置１１２に対して、最大の発射強度での球の発射を指示する（図４参照）。これにより、第２入球口６４０へ向けて、可変表示装置８０の右方を球が通過するように球を発射（所謂「右打ち」）することができる（図２参照）。
【０２０１】
図２１（ａ）に示すように、ハンドル取付台５２０に対してハンドルベース５３０が軸支部分（軸５６３及び軸受５２３）を中心として変位される前の状態では、揺動片５６４０ａがハーネスガイド５６４の前面によって押し込まれ、発射強度変更スイッチ５６４０がオフされている。この図２１（ａ）の状態から、ハンドル取付台５２０に対し、ハンドルベース５３０が軸支部分（軸５６３及び軸受５２３）を中心として下方へ向けて変位されると、ハーネスガイド５６４が徐々に後退され、揺動片５６４０ａが初期位置へ向けて開放され、ハーネスガイド５６４の後退量（即ち、ハンドルベース５３０の軸支部分（軸５６３及び軸受５２３）を中心とする下方への変位量）が所定量に達すると、揺動片５６４０ａが初期位置へ復帰され、発射強度変更スイッチ５６４０がオンされる。
【０２０２】
このように、発射強度変更スイッチ５６４０のオン（球の発射強度の変更）は、ハンドル取付台５２０に対するハンドルベース５３０の軸支部分（軸５６３及び軸受５２３）を中心とする変位量が所定量以上となった場合に行われるので、遊技者の意図しない操作（ハンドルベース５３０の軸支部分（軸５６３及び軸受５２３）を中心とする変位操作）によって、球の発射強度が不用意に変更される（即ち、不用意に「右打ち」となる）ことを抑制することができる。
【０２０３】
また、図２１（ｂ）に示すように、ハンドル取付台５２０に対してハンドルベース５３０が軸支部分（軸５６３及び軸受５２３）を中心として下方へ向けて最大に変位された変位位置（第２位置）では、発射強度変更スイッチ５６４０がオンされた状態に維持されるので、「右打ち」の状態を遊技者にとって楽な姿勢（ハンドルベース５３０を可動範囲の終端まで操作した姿勢）で形成することができ、その操作性の向上を図ることができる。
【０２０４】
ここで、上記した第４実施形態の操作ハンドル４０５１においても、ハンドル取付台５２０に対してハンドルベース５３０を軸支部分（軸５６３及び軸受５２３）を中心として変位させる（発射強度変更スイッチ４６４０がオンさせる）ことで、「右打ち」を実行し、ハンドル取付台５２０に対するハンドル部エース５３０の軸支部分（軸５６３及び軸受５２３）を中心とする変位を解除することで、「左打ち」に復帰することができる。しかし、ハンドルベース５３０を軸支部分（軸５６３及び軸受５２３）を中心として変位させて、「右打ち」を実行している最中に、ハンドルリング５４０の回動操作量（回動位置）にずれが発生した場合には、「左打ち」に復帰した際に、元の発射強度での球の発射を再現できないという問題がある。
【０２０５】
これに対し、第５実施形態の操作ハンドル５０５１によれば、ハンドルリング５４０が初期位置へ復帰されることを規制するリング規制部材７００を備えるので、図２１（ｂ）に示すように、ハンドル取付台５２０に対してハンドルベース５３０が軸支部分（軸５６３及び軸受５２３）を中心として変位されると、ハンドルリング５４０が初期位置へ復帰されることをリング規制部材７００によって規制して、ハンドルリング５４０の回動操作量（回動位置）を固定することができる。これにより、「右打ち」を実行している際に、ハンドルリング５４０の回動操作量（回動位置）がずれることを抑制して、所望の回動操作量（即ち、「右打ち」を実行する前の元の発射強度）に維持することができる。その結果、「右打ち」を終了して、「左打ち」に復帰する際には、元の発射強度での球の発射を高精度に再現することができる。
【０２０６】
次いで、図２２から図２４を参照して、第６実施形態について説明する。図２２は、第６実施形態におけるハンドルベース６５３０の背面斜視図である。図２３は、変位操作される前の状態における操作ハンドル６０５１の部分断面側面図であり、図２４は、変位操作された後の状態における操作ハンドル６０５１の部分断面側面図である。
【０２０７】
なお、図２２では、可変抵抗器や発射停止スイッチ操作部４４０などが取り外された状態が図示されると共に、軸５６３と軸受５２３との位置関係が二点鎖線を用いて模式的に図示される。また、図２３及び図２４では、下皿ユニット１５の前面が二点鎖線により模式的に図示されると共に、ハンドル取付台５２０の第２本体５２０ｂが取り外された状態が図示され、また、各部品の配線の図示が省略される。
【０２０８】
第６実施形態における操作ハンドル６０５１は、第１実施形態における操作ハンドル５１に対し、ハンドルベース６５３０に遮蔽壁６５３９が追加された点と、ハンドル取付台６５２０の挿通孔６５２２ａ（及び締結孔５２２ｂ、図１０参照）の配設位置が変更された点のみが異なり、他の構成は同一である。かかる第１実施形態と同一の部分については、同一の符号を付して、その説明を省略する。
【０２０９】
遮蔽壁６５３９は、ハンドルベース６５３０の底壁５３２から背面へ向けて立設される部位であり、合わせ面部５３２ａの内周縁に沿って形成される。但し、合わせ面部５３２ａの内の上半分（具体的には、軸５６３の中心よりも上方、図２３上側）に相当する領域の内周縁のみに立設される。よって、遮蔽壁６５３９は、背面視において、縦長の円環の下半分を切除した形状に形成される。
【０２１０】
図２３に示すように、ハンドル取付台６５２０に対するハンドルベース６５３０の軸支部分（軸５６３及び軸受５２３）を中心とする変位位置が初期位置（第１位置）にある状態では、遮蔽壁６５３９は、ハンドル取付台５２０の前面の開口からそのハンドル取付台５２０の内部に挿入された状態となる。この状態から、ハンドル取付台６５２０に対してハンドルベース６５３０が軸支部分（軸５６３及び軸受５２３）を中心として下方へ向けて変位されると、ハンドル取付台６５２０の第１合わせ面部５２７とハンドルベース６５３０の合わせ面部６５３２ａとの間に開口が形成されるところ、本実施形態における操作ハンドル６０５１によれば、かかる開口を遮蔽壁６５３９によって遮蔽することができる。
【０２１１】
図２４に示すように、ハンドル取付台６５２０に対してハンドルベース６５３０が軸支部分（軸５６３及び軸受５２３）を中心として下方へ向けて最大に変位された変位位置（第２位置）においても、ハンドル取付台６５２０の第１合わせ面部５２７とハンドルベース６５３０の合わせ面部６５３２ａとの間の開口を遮蔽可能な立設高さで、遮蔽壁６５３９が形成される。これにより、開口から異物を差し込む不正行為を抑制できる。また、遊技者が不用意に落下させた異物や埃、ゴミなどの異物がハンドル取付台６５２０の内部に入り込むことを抑制できる。よって、例えば、内部に入り込んだ異物が、ボス部材５６０とハンドル取付台６５２０の内壁面との間に挟まり、ハンドルベース６５３０の軸支部分（軸５６３及び軸受５２３）を中心とする変位が阻害されることで、ハンドルベース６５３０が初期位置（第１位置）へ復帰できなくなる不具合を抑制できる。
【０２１２】
次いで、図２５から図２７を参照して、第７実施形態について説明する。
【０２１３】
第1実施形態では、ハンドル取付台５２０に対してハンドルベース５３０が軸支部分（軸５６３及び軸受５２３）を中心として変位可能に配設される場合を説明したが、第７実施形態のハンドルベース７５３０は、ハンドル取付台７５２０に対して、スライド移動（変位）可能に配設される。なお、第１実施形態と同一の部分については、同一の符号を付して、その説明を省略する。
【０２１４】
図２５（ａ）は第７実施形態におけるハンドル取付台７５２０の組み立て状態における斜視図であり、図２５（ｂ）は第1本体７５２０ａの内側面図である。図２５に示すように、ハンドル取付台７５２０は、縦長の筒状体として形成され、第1本体７５２０ａと第２本体７５２０ｂとに縦に２分割される。第１本体７５２０ａ及び第２本体７５２０ｂの内壁面には、スライド軸受７５２４が形成される。スライド軸受７５２４は、ボス部材５６０の軸５６３を一方向（図２５（ｂ）上下方向）に案内するための凹部であり、一対が対向して配設される。即ち、スライド軸受７５２４は、その溝幅（図２５（ｂ）左右方向寸法）が、軸５６３の直径と同等または若干大きくされ、挿入された軸５６３を延設方向（上下方向）に案内する。
【０２１５】
なお、スライド軸受７５２４内には、そのスライド軸受７５２４に挿入させた軸５６３を上方へ向けて付勢するベース付勢ばねＳＰ７が配設される。ベース付勢ばねＳＰ７は、コイルスプリングであり、弾性的に圧縮変形された状態で、軸５６３とスライド軸受７５２４の下側内壁面との間に配設され、その弾性回復力により軸５６３を上方へ向けて付勢する。
【０２１６】
第1本体７５２０ａ及び第２本体７５２０ｂの前面（図２５（ｂ）右側面）には、ハンドルベース５３０の合わせ面部５３２ａに当接される合わせ面部７５２７が形成される。合わせ面部７５２７は、ハンドル取付台７５２０の前面側の端面（正面視において縦長の円環状の面）であり、スライド軸受７５２４の延設方向（図２５（ｂ）上下方向）に平行な全体が面一の平坦面として形成される。
【０２１７】
第1本体７５２０ａの合わせ面７５２７は、その一部が拡大されて（即ち、第１本体７５２０ａの内壁面から径方向内方へ平行に張り出されて）形成される押圧面部７５２７ａを備える。また、押圧面部７５２７ａの上端には、傾斜面部７５２８ａが連設される。傾斜面部７５２８ａは、押圧面部７５２７ａの上端から背面（図２５（ｂ）左側）へ向けて傾斜される。
【０２１８】
なお、押圧面部７５２７ａ及び傾斜面部７５２８ａの背面側には補強部７５２８ｂが連設される。補強部７５２８ｂは、第１実施形態における補強部５２８ｂと同様の構成であるので、その説明は省略する。
【０２１９】
図２６は、スライド操作される前の状態における操作ハンドル７０５１の部分断面側面図であり、図２７は、スライド操作された後の状態における操作ハンドル７０５１の部分断面側面図である。
【０２２０】
なお、図２６及び図２７では、下皿ユニット１５の前面が二点鎖線により模式的に図示されると共に、ハンドル取付台７５２０の第２本体７５２０ｂが取り外された状態が図示され、また、各部品の配線の図示が省略される。
【０２２１】
図２６に示すように、第7実施形態における操作ハンドル７０５１は、ハンドル取付台７５２０に対しハンドルベース７５３０がスライド移動される前の状態（即ち、遊技者によりハンドルベース７５３０が下方へ向けてスライド移動されていない状態、第１位置）では、ハンドル取付台７５２０の合わせ面部７５２７及びハンドルベース７５３０の合わせ面５３２ａが、全面にわたって当接される。
【０２２２】
図２６に示す状態から、ハンドル取付台７５２０に対してハンドルベース７５３０が下方へ（即ち、スライド軸受７５２４の延設方向に沿って）スライド移動されると、リング規制部材７００のロッド部７０２における被押圧面部７０２ａが、ハンドル取付台５２０の傾斜面部７５２８ａに当接された後、その傾斜面部７５２８ａに沿って被押圧面部７０２ａが移動されることで、リング規制部材７００が前面（ハンドルリング５４０）へ向けてスライド移動される。
【０２２３】
図２７に示すように、ハンドルベース７５３０が下方へ更にスライド移動され、リング規制部材７００のロッド部７０２における被押圧面部７０２ａが、ハンドル取付台５２０の押圧面部７５２７ａに到達されると、リング規制部材７００の本体部７０１における当接面部７０１ｂが、ハンドルリング５４０の円板部５４１における背面に当接される（背面を押圧する）。
【０２２４】
その結果、ハンドルリング５４０の回動操作量（回動位置）にかかわらず、その初期位置への復帰が規制され、ハンドルリング５４０の回動操作量を固定することができるので、ハンドルリング５４０の回動操作量に応じて調整される球の発射強度の固定を行うことができる。
【０２２５】
第７実施形態における操作ハンドル７０５１によれば、ハンドルベース５３０を下方へスライド移動させる操作は、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０をスライド移動させることができる。よって、第１実施形態における軸支部分（軸５６３及び軸受５２３）を中心とする変位操作の場合と同様に、操作性の向上を図ることができると共に、ハンドルリング５４０の回動位置に位置ずれが生じることを抑制し、球の発射強度を所望の発射強度に精度良く固定することができる。
【０２２６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２２７】
上記各実施形態のうちの一の実施形態における一部または全部の構成を、他の実施形態における一部または全部の構成と組み合わせて、或いは、置き換えて、パチンコ機１０を構成しても良い。例えば、第４実施形態における発射強度変更スイッチ４６４０を、第７実施形態におけるリング規制部材７００と置き換えて、パチンコ機１０を構成することが例示される。
【０２２８】
上記各実施形態では、リング規制部材７００〜３７００が５３２ｂ及び切り欠き部５３４ｂに保持（案内）されてスライド移動される場合を説明したが、必ずしもこれに限られるものではなく、リング規制部材をハンドルベースに回動可能に軸支する構成であっても良い。即ち、ハンドル取付台に対するハンドルベースの変位（軸支部分（軸５６３及び軸受５２３）を中心とする変位またはスライド移動）に伴い、リング規制部材を回動させ、回動されたリング規制部材の一部をハンドルリングに当接させる構成であっても良い。
【０２２９】
上記各実施形態では、ハンドル取付台５２０，６５２０，７５２０に対してハンドルベース５３０，６５３０が変位（軸支部分（軸５６３及び軸受５２３）を中心とする変位またはスライド移動）可能に配設される場合を説明したが、必ずしもこれに限られるものではなく、ハンドル取付台５２０，６５２０，７５２０を、ハンドルベース５３０，６５３０に代えて、遊技機本体（下皿本体１５）に変位（軸支部分を中心とする変位またはスライド移動）可能に配設しても良い。
【０２３０】
上記各実施形態では、ハンドル取付台５２０，６５２０，７５２０に対してハンドルベース５３０，６５３０を、下方へ向けて変位（軸支部分（軸５６３及び軸受５２３）を中心とする変位またはスライド移動）させる場合を説明したが、必ずしもこれに限られるものではなく、ハンドル取付台５２０，６５２０，７５２０に対してハンドルベース５３０，６５３０を、上方へ向けて変位（軸支部分を中心とする変位またはスライド移動）させる構成としても良い。即ち、ハンドル取付台５２０，６５２０，７５２０に対してハンドルベース５３０，６５３０を変位（軸支部分を中心とする変位またはスライド移動）させる前の初期位置（第１位置）を、変位（軸支部分を中心とする変位またスライド移動）させた後の位置（第２位置、即ち、ハンドルリング５４０の初期位置への復帰を規制可能な位置、又は、発射強度変更スイッチ４６４０，５６４０をオンさせる位置）よりも下方としても良い。
【０２３１】
上記各実施形態では、ハンドル取付台５２０，６５２０，７５２０に対してハンドルベース５３０，６５３０を軸支部分（軸５６３及び軸受５２３）を中心とする変位またはスライド移動の初期位置へ復帰させるベース付勢ばねＳＰ，ＳＰ７がコイルスプリングとして形成される場合を説明したが、必ずしもこれに限られるものではなく、他の形態の付勢手段を採用することは当然可能である。他の付勢手段としては、例えば、金属性の板材からなる板ばね、金属性の線材を巻回してなるねじりばね、或いは、ウレタン状弾性体やゴム状弾性体からなる弾性体などが例示される。
【０２３２】
上記各実施形態では、ハンドル取付台５２０，６５２０，７５２０に対してハンドルベース５３０，６５３０が軸支部分（軸５６３及び軸受５２３）を中心として変位またはスライド移動する方向が上下方向である場合を説明したが、必ずしもこれに限られるものではなく、パチンコ機１０の正面視において、上下方向と左右方向とを合成した斜め方向であっても良い。
【０２３３】
上記各実施形態では、リング規制部材７００に一対の腕部７０３を設ける場合を説明したが、必ずしもこれに限られるものではなく、かかる一対の腕部７０３を省略しても良い。材料コストを削減することができる。
【０２３４】
上記各実施形態では、リング規制部材７００，２７００の当接面部７０１ｂ，２７０１ｂとハンドルリング５４０，２５４０の円板部５４１，２５４１の背面（被当接面部）とが平滑面として形成される場合を説明したが、必ずしもこれに限られるものではなく、例えば、これら当接面部７０１ｂ，２７０１ｂと円板部５４１，２５４１の背面とに鋸歯状の凹凸を設けても良い。これら鋸歯状の凹凸同士を係合させることで、ハンドルリング５４０，２５４０の回動位置を固定する構造であれば、ハンドルリング５４０，２５４０の回動位置の固定を滑ることなく強固に行うことができる。
【０２３５】
上記第４実施形態または第５実施形態では、発射強度変更スイッチ４６４０，５６４０がオンされた場合、球の発射強度が最大の発射強度に変更（調整）される場合を説明したが、必ずしもこれに限られるものではなく、調整可能な発射強度の範囲内で任意に設定することができる。
【０２３６】
上記第４実施形態または第５実施形態では、発射強度変更スイッチ４６４０，５６４０がオンされている間、球の発射強度が所定の発射強度（上記実施形態では最大の発射強度）に変更（調整）される場合を説明したが、必ずしもこれに限られるものではない。例えば、発射強度変更スイッチ４６４０，５６４０がオンされた場合には、そのオンが検出されてから一定期間の間は、発射強度変更スイッチ４６４０，５６４０がオフされたとしても、球の発射強度を所定の発射強度（例えば、最大の発射強度）に維持する構成としても良い。これにより、遊技者は、「右打ち」の間、ハンドル取付台５２０に対するハンドルベース５３０の変位（軸支部分（軸５６３及び軸受５２３）を中心とする変位）を維持し続ける必要がないので、その負担を軽減することができる。
【０２３７】
上記第４実施形態または第５実施形態では、発射強度変更スイッチ４６４０，５６４０がオンされている間、ハンドルリング５４０の回動操作量（回動位置）に関わらず、球の発射強度が所定の発射強度（上記実施形態では最大の発射強度）に維持される場合を説明したが、必ずしもこれに限られるものではない。例えば、発射強度変更スイッチ４６４０，５６４０がオンされている状態で、ハンドルリング５４０が回動操作された場合には、そのハンドルリング５４０の回動操作の状態に応じて、球の発射強度を変更（調整）しても良い。これにより、遊技者は、「右打ち」の実行中に、球の発射強度を微調整することができる。
【０２３８】
上記第４実施形態では、ハンドルベース５３０の軸支部分（軸５６３及び軸受５２３）を中心とする変位操作に伴いオン・オフされるスイッチを、発射強度変更スイッチ４６４０として構成する場合を説明したが、必ずしもこれに限られるものではなく、ハンドルベース５３０の軸支部分（軸５６３及び軸受５２３）を中心とする変位操作に伴いオン・オフされるスイッチを、打ち止めスイッチとして構成しても良い。即ち、ハンドルベース５３０の軸支部分（軸５６３及び軸受５２３）を中心とする下方（第２位置）への変位に伴い、スイッチ操作部４６４０ａが付勢ばねの付勢力に抗して押し込まれることで（図２０（ｂ）参照）、打ち止めスイッチがオンされ、ハンドルリング５４０の回動操作量（回動位置）にかかわらず、球の発射が停止される一方、ハンドルベース５３０の初期位置（第１位置）への復帰に伴い、付勢ばねの付勢力によりスイッチ操作部４６４０ａが初期位置へ復帰されることで（図２０（ａ）参照）、打ち止めスイッチがオフされ、球の発射が許可されるように構成しても良い。第５実施形態においても同様である。
【０２３９】
ここで、上記実施形態では、発射停止スイッチ操作部４４０の操作により、打ち止めスイッチ５１ｂをオン・オフすることが可能であるが、かかる発射停止スイッチ操作部４４０は、ハンドルリング５４０とは別にハンドルベース５３０に設けられた別部材であるため、かかる発射停止スイッチ４４０の操作と、ハンドルリング５４０の回動操作とをそれぞれ別々に行う必要がある。そのため、ハンドルリング５４０の回動操作量（回動位置）によっては、発射停止スイッチ操作部４４０が遊技者にとって必ずしも操作し易い位置にあるとは限らず、ハンドルリング５４０を把持している手指の一部を離して、或いは、無理な姿勢で、発射停止スイッチ操作部４４０を操作する必要が生じ、その結果、操作性が悪いという問題があった。
【０２４０】
これに対し、上述したように、ハンドルベース５３０の軸支部分（軸５６３及び軸受５２３）を中心とする変位操作に伴いオン・オフされるスイッチを、打ち止めスイッチとして構成する場合のように、ハンドルベース５３０自体の変位（第４実施形態及び第５実施形態における軸支部分（軸５６３及び軸受５２３）を中心とする変位に限らず、例えば、第７実施形態におけるスライド移動を含む）を起点として、打ち止めスイッチをオンさせ、球の発射を停止する構造であれば、かかるハンドルベース５３０自体の変位は、ハンドルベース５３０とハンドルリング５４０とを一体的に変位させる動作であるから、ハンドルリング５４０がどのような回動位置にあったとしても、ハンドルリング５３０を把持する手指の一部を離すことなく、そのハンドルベース５３０を変位させることができる。これにより、操作性の向上を図ることができる。
【０２４１】
なお、ハンドルベース５３０の軸支部分（軸５６３及び軸受５２３）を中心とする変位操作に伴いオン・オフされるスイッチを、打ち止めスイッチとして構成する場合には、上記各実施形態で説明した打ち止めスイッチ５１ｂ及び発射停止スイッチ操作部４４０は省略しても良い。
【０２４２】
上記第５実施形態では、発射強度変更スイッチ５６４０の揺動片５６４０ａが、ハーネスガイド５６４により押下される場合を説明したが、必ずしもこれに限られるものではなく、任意の部位を利用することができる。即ち、ハンドル取付台５２０に対するハンドルベース５３０の相対移動を検出できる部位であれば良く、例えば、揺動片５４６０ａを押下する部位は、ボス部材５６０の基部５６１や突出部５６２、ハンドルベース５３０の底壁５３２であっても良い。或いは、発射強度変更スイッチ５６４０をボス部材５６０に固着し、その揺動片５６４０ａをハンドル取付台５２０の内壁面により押下する構成であっても良い。発射強度変更スイッチ５６４０を、打ち止めスイッチとして構成する場合も同様である。
【０２４３】
上記第６実施形態では、遮蔽壁６５３９がハンドル取付台６５２０の内部に挿入（内壁面側に配設）される場合を説明したが、必ずしもこれに限られるものではなく、遮蔽壁６５３９を、ハンドルベース６５３０の合わせ面部５３２ａの外周縁に沿って立設させ、かかる遮蔽壁６５３９の内壁面をハンド取付台６５２０の外壁面に対向させても良い。即ち、遮蔽壁６５３９の内壁面側にハンドル取付台６５２０の前面側を挿入しても良い。
【０２４４】
これにより、ハンドル取付台６５２０に対するハンドルベース５３０の軸支部分（軸５６３及び軸受５２３）を中心とする変位に伴い、ハンドル取付台６５２０の上合わせ面部５２７とハンドルベース６５３０の合わせ面部５３２ａとの間に形成される開口を、遮蔽壁６５３９により塞ぐ（遮蔽する）ことができる。よって、開口にコイン等が差し込まれ、ハンドル取付台６５２０に対するハンドルベース６５３０の軸支部分（軸５６３及び軸受５２３）を中心とする変位状態が固定されることを抑制できる。例えば、開口にコイン等が差し込まれ、ハンドルベース６５３０の軸支部分（軸５６３及び軸受５２３）を中心とする変位状態が固定された状態（即ち、ハンドルリング５４０の回動操作量に応じた球の発射強度が固定された状態）のままで、次の遊技者に引き継がれると、次の遊技者が同様の遊技を実現することが可能となるところ、開口へのコイン等の差し込みを抑制できれば、次の遊技者が同様の遊技を実現することを困難とできる。
【０２４５】
上記第７実施形態では、ハンドル取付台７５２０に対するハンドルベース５３０のスライド移動により、リング規制部材７００を動作させる場合を説明したが、必ずしもこれに限れられるものではなく、これに代えて、或いは、これに加えて、発射強度変更スイッチ４６４０，５６４０を配設しても良い。発射強度変更スイッチ４６４０の場合は、第４実施形態の場合と同様に、リング規制部材７００に代えて配設すれば良く、発射強度変更スイッチ５６４０の場合は、第５実施形態の場合のように、ボス部材７５６０によって揺動片５６４０ａが押下されるように配設すれば良い。また、これら発射強度変更スイッチ４６４０，５６４０を、打ち止めスイッチとして構成しても良い。
【０２４６】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０２４７】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０２４８】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０２４９】
以下に、本発明の遊技機に加えて上述した実施形態に含まれる各種発明の概念を示す。
【０２５０】
遊技者によって回動操作されるハンドルリングを備え、そのハンドルリングの回動操作量に応じて遊技球の発射強度が調整される遊技機において、前記ハンドルリングが回動可能に配設されると共に遊技機本体に対して変位可能とされるハンドルベースを備え、前記遊技機本体に対してハンドルベースが変位されることで、所定の動作が行われることを特徴とする遊技機Ａ１。
【０２５１】
遊技機Ａ１によれば、ハンドルベースにはハンドルリングが回動可能に配設され、そのハンドルリングが回動可能に配設されたハンドルベースが、遊技機本体に対して変位されることで、所定の動作が行われる。よって、かかる所定の動作を行うための操作（遊技機本体に対するハンドルベースの変位）を、ハンドルリングの回動操作量を維持しつつ、容易に行うことができる。
【０２５２】
なお、所定の動作としては、例えば、遊技球の発射の停止、遊技球の発射強度の変更（増加または減少）、ハンドルリングの初期位置への復帰の規制（ハンドルリングの回動の禁止または回動の抑制）などが例示される。
【０２５３】
遊技機Ａ１において、前記ハンドルベースが変位可能に配設されると共に遊技機本体に固設されるハンドル取付台を備え、前記ハンドル取付台に対してハンドルベースが変位されることで、前記所定の動作が行われることを特徴とする遊技機Ａ２。
【０２５４】
遊技機Ａ２によれば、遊技機Ａ１の奏する効果に加え、ハンドルベースが変位可能に配設されると共に遊技機本体に固設されるハンドル取付台を備えるので、ハンドルリング、ハンドルベース及びハンドル取付台を少なくとも備え、ハンドル取付台に対してハンドルベースが変位可能に構成された操作ハンドルをユニットとして組み立てることができる。よって、かかる操作ハンドルをユニットとして組み立てた上で、そのユニットを遊技機本体に組み付けることができるので、遊技機の製造の効率化を図ることができる。
【０２５５】
遊技機Ａ２において、前記ハンドルベースが前記ハンドル取付台に軸支され、その軸支された部分を中心として前記ハンドル取付台に対してハンドルベースが変位されることで、前記所定の動作が行われることを特徴とする遊技機Ａ３。
【０２５６】
遊技機Ａ３によれば、遊技機Ａ２の奏する効果に加え、ハンドルベースがハンドル取付台に軸支され、その軸支された部分を中心としてハンドル取付台（即ち、遊技機本体）に対してハンドルベースが変位されることで、所定の動作が行われるので、かかる所定の動作を行うための操作を、ハンドルリングの回動操作量を維持しつつ、より容易に行うことができる。
【０２５７】
例えば、所定の動作を行うための操作として、ハンドルベースをハンドル取付台に対して直線方向へスライド移動させる必要がある場合、操作者は、ハンドルリングを把持する手指および腕の全体を直線方向へスライド移動させなければならず、ハンドルリングの回動操作量を維持しつつ、かかるスライド移動を行うことが困難となる。これに対し、軸支された部分を中心としてハンドル取付台に対してハンドルベースを変位させる操作であれば、操作者は、手首を変位（軸支部分（軸５６３及び軸受５２３）を中心とする変位）方向へ曲げる動作のみで行うことができるので、ハンドルリングの回動操作量を維持しつつ、ハンドル取付台に対するハンドルベースの軸支部分（軸５６３及び軸受５２３）を中心とする変位を容易に行うことができる。
【０２５８】
なお、「軸支された部分を中心（支点）として、ハンドル取付台に対してハンドルベースが変位する」ことを「揺動」又は「回動」と表現しても良い。例えば、「揺動」を採用した場合には、遊技機Ａ３の場合には、「ハンドルベースがハンドル取付台に揺動可能（回動可能）に軸支され、前記ハンドル取付台に対してハンドルベースが揺動されることで、所定の動作が行われる」となる。なお、上記変位を揺動または回動と表現しても良いことは、以下の遊技機Ａ４〜Ａ２７，Ｂ１〜Ｂ３においても同様である。
【０２５９】
遊技機Ａ３において、前記軸支された部分を中心とする前記ハンドル取付台に対するハンドルベースの変位方向が少なくとも上下方向を含む方向であることを特徴とする遊技機Ａ４。
【０２６０】
遊技機Ａ４によれば、遊技機Ａ３の奏する効果に加え、軸支された部分を中心とするハンドル取付台に対するハンドルベースの変位方向が少なくとも上下方向を含む方向であるので、ハンドル取付台に対してハンドルベースを軸支された部分を中心として変位させる操作を、ハンドルリングの回動操作量を維持しつつ、手首を曲げる動作によって、より容易に行うことができる。
【０２６１】
なお、上下方向を含む方向とは、遊技機本体を正面視した状態において、軸支された部分を中心とするハンドル取付台に対するハンドルベースの変位方向の成分を、上下方向とその上下方向に直交する左右方向とに分解した場合に、上下方向の成分を少なくとも有することを意味する。即ち、軸支された部分を中心とするハンドル取付台に対するハンドルベースの変位方向は、上下方向に完全に平行である必要はなく、上下方向に対して傾斜する方向であっても良い。
【０２６２】
遊技機Ａ３又はＡ４において、前記ハンドル取付台に対して第１位置と第２位置との間で軸支された部分を中心として変位可能とされる前記ハンドルベースの変位位置を第１位置へ復帰させる付勢力を前記ハンドルベースに付与するベース付勢部材を備え、前記ハンドル取付台に対してハンドルベースが前記ベース付勢部材の付勢力に抗して第１位置から少なくとも第２位置へ向かう方向へ軸支された部分を中心として変位されることで、前記所定の動作が行われると共に、第１位置におけるハンドルベースが第２位置におけるハンドルベースよりも上方に配置されることを特徴とする遊技機Ａ５。
【０２６３】
遊技機Ａ５によれば、遊技機Ａ３又はＡ４の奏する効果に加え、ハンドルベースの変位位置を第１位置に復帰させる付勢力がベース付勢部材によって付与されるので、ハンドルベースを第２位置へ向かう方向へ軸支された部分を中心として変位させ、所定の動作を行った後は、ベース付勢部材の付勢力を利用して、第１位置へ復帰させることができ、その結果、遊技者の操作負担の軽減を図ることができる。
【０２６４】
ここで、第１位置におけるハンドルベースは第２位置におけるハンドルベースよりも上方に配置されるので、ハンドルベースをベース付勢部材の付勢力に抗して軸支された部分を中心として変位させる方向を下向きとすることができる。即ち、遊技者は、ハンドルベースをベース付勢部材の付勢力に抗して変位させる操作を、ハンドルリングを把持する手指や腕の自重を利用して行うことができるので、その操作性の向上を図ることができる。また、ハンドルベースは、遊技機本体の比較的低い位置に配設され、遊技者にとって、操作位置が比較的低いため、下方へ向けて変位させる操作の方が力を作用させ易い。よって、この点からも操作性の向上を図ることができる。
【０２６５】
遊技機Ａ１からＡ５のいずれかにおいて、前記ハンドルリングの回動位置を初期位置に復帰させる付勢力を前記ハンドルリングに付与するリング付勢部材と、前記ハンドルベースの変位に伴って、前記ハンドルリングが初期位置へ復帰されることを規制するリング規制部材とを備えることを特徴とする遊技機Ａ６。
【０２６６】
遊技機Ａ６によれば、遊技機Ａ１からＡ５のいずれかの奏する効果に加え、遊技本体（遊技機Ａ２からＡ５においてはハンドル取付台）に対してハンドルベースを変位（遊技機Ａ３からＡ５においては軸支された部分を中心として変位）させることで、ハンドルリングが初期位置へ復帰されることをリング規制部材によって規制して、ハンドルリングの回動操作量（回動位置）を固定することができる。これにより、ハンドルリングの回動操作量に応じて調整される遊技球の発射強度の固定を容易に行うことができ、遊技者の操作性の向上を図ることができる。
【０２６７】
ここで、例えば、ハンドルリングとは別にハンドルベースに設けられた別部材（ハンドルリングの初期位置への復帰を規制するために遊技者に操作される操作子）を操作することで、ハンドルリングの初期位置への復帰を規制する構造では、ハンドルリングの回動操作と別部材の操作とをそれぞれ別々に行う必要があるところ、ハンドルリングの回動操作量（回動位置）によっては、別部材が必ずしも操作し易い位置にあるとは限らず、ハンドルリングを把持している手指の一部を離して、或いは、無理な姿勢で、別部材を操作する必要が生じる。その結果、操作性が悪いという問題点があった。また、ハンドルリングの回動位置に位置ずれが生じ、遊技球の発射強度を所望の発射強度に精度良く固定することができないという問題があった。
【０２６８】
これに対し、ハンドルベース自体の変位（軸支された部分を中心とする変位）を起点として、ハンドルリングの初期位置への復帰をリング規制部材により規制する構造であれば、かかるハンドルベース自体の変位（軸支された部分を中心とする変位）は、ハンドルベースとハンドルリングとを一体的に変位させる動作であるから、ハンドルリングがどのような回動位置にあったとしても、ハンドルリングを把持する手指の一部を離すことなく行うことができる。これにより、操作性の向上を図ることができ、また、ハンドルリングの回動位置に位置ずれが生じることを抑制し、遊技球の発射強度を所望の発射強度に精度良く固定することができる。
【０２６９】
遊技機Ａ６において、前記ハンドルベースが軸支されると共に遊技機本体に固設されるハンドル取付台を備え、前記リング規制部材は、前記ハンドルリングへ向けてスライド移動可能に前記ハンドルベースに配設され、軸支された部分を中心として前記ハンドル取付台に対してハンドルベースが変位されることで、前記ハンドル取付台に押圧された前記リング規制部材が前記ハンドルリングへ向けてスライド移動されると共に、そのスライド移動されたリング規制部材がハンドルリングに当接され、ハンドルリングの初期位置への復帰が規制されることを特徴とする遊技機Ａ７。
【０２７０】
遊技機Ａ７によれば、遊技機Ａ６の奏する効果に加え、リング規制部材がハンドルリングへ向けてスライド移動可能にハンドルベースに軸支されるので、ハンドル取付台に対するハンドルベースの軸支された部分を中心とする変位に伴う両者の相対位置の変化を利用して、ハンドル取付台によりリング規制部材を押圧させ、リング規制部材をハンドルリングへ向けてスライド移動させることができる。その結果、リング規制部材をハンドルリングに当接させて、ハンドルリングの初期位置への復帰を規制することができる。
【０２７１】
この場合、ハンドルベースにリング規制部材がスライド移動可能に配設されるので、ハンドルベースにリング規制部材が揺動（軸支された部分を中心として変位）可能に配設される構造と比較して、構造の簡素化を図ることができる。また、リング規制部材を揺動させる構造では、力点、支点（揺動中心）及び作用点を形成する必要があり、力点および作用点が支点を中心としてそれぞれ異なる方向へ移動するため、リング規制部材の動作（配設）に必要なスペースが嵩む。
【０２７２】
これに対し、リング規制部材をスライド移動させる構造では、力点と作用点とが一直線上で同方向へ移動するため、リング規制部材の動作（配設）に必要なスペースを抑制することができる。ハンドルベースには、他の部品を複数配設する必要があるところ、リング規制部材の配設に必要なスペースを抑制できることで、他の部品が配設し易くなり、設計の自由度を高めることができる。
【０２７３】
遊技機Ａ７において、前記リング規制部材は、前記ハンドルリングに対面する当接面部を備えると共に、前記ハンドルリングは、前記リング規制部材の当接面部が当接される被当接面部を備え、それらリング規制部材の当接面部およびハンドルリングの被当接面部が平滑面として形成されることを特徴とする遊技機８。
【０２７４】
遊技機８によれば、遊技機Ａ７の奏する効果に加え、リング規制部材の当接面部およびハンドルリングの被当接面部が平滑面として形成されるので、リング規制部材の当接面部をハンドルリングの被当接面部に当接させて、ハンドルリングの回動操作量（回動位置）を固定する（ハンドルリングの初期位置への復帰を規制する）際には、任意の回動位置で固定可能として、その調整幅を確保することができる。
【０２７５】
例えば、リング規制部材の当接面部およびハンドルリングの被当接面部にそれぞれ鋸歯状の凹凸を設け、それら鋸歯状の凹凸同士を係合させることで、ハンドルリングの回動操作量（回動位置）を固定する構造では、ハンドルリングの回動位置の固定を強固に行うことができる一方で、鋸歯状の凹凸のピッチ（間隔）が調整幅の最小値となるため、固定可能な回動位置が断続的となり、所望の回動位置に固定できないおそれがある。これに対し、リング規制部材の当接面部およびハンドルリングの被当接面部が平滑面とされることで、固定可能な回動位置が連続的となるので、任意の回動位置で固定可能として、その調整幅を確保することができる。
【０２７６】
また、当接面部が被当接面部に当接された状態とされ、ハンドルリングの回動操作量が固定されたとしても、これら当接面部および被当接面部が平滑面とされていることで、互いの当接面を相対的に滑動させることができるので、ハンドルリングの回動操作量の固定後であっても、かかるハンドルリングの回動操作量を微調整することができる。
【０２７７】
なお、平滑面とはその面に凹凸が完全に存在しないことを要求するものではなく、互いに係合させるための形状（凹凸）が形成されていなければ足りる趣旨である。よって、通常の製造工程において発生する凹凸（表面粗さ）は許容され、製造工程において平滑処理を施すことが要求されるものではない。また、平滑面は、平面である必要はなく、湾曲面であっても良く、球面であっても良い。
【０２７８】
遊技機Ａ７又はＡ８において、前記リング規制部材は、前記ハンドルリングに対面する当接面部を備え、前記ハンドルリングは、前記リング規制部材の当接面部が当接される被当接面部を備えると共に中心側が軸支された円板状に形成され、前記リング規制部材の当接面部が前記ハンドルリングの被当接面部に当接されると、前記ハンドルリングの被当接面部に、前記ハンドルリングの回動軸方向の力成分と、前記ハンドルリングの回動軸に直交する径方向の力成分とが作用されることを特徴とする遊技機Ａ９。
【０２７９】
遊技機Ａ９によれば、遊技機Ａ７又はＡ８の奏する効果に加え、ハンドルリングの回動操作量（回動位置）の固定を強固として、ハンドルリングの初期位置への復帰を確実に規制することができる。例えば、ハンドルリングの被当接面部に、ハンドルリングの回動軸方向の力成分のみが作用する構造では、その力成分の方向（回動軸方向）にはハンドルリングが拘束されていないため、ハンドルリングが回動軸方向へ反ってしまい、リング規制部材の当接面部をハンドルリングの被当接面部に密着させられないことから、ハンドルリングの回動位置を強固に固定することが困難となる。
【０２８０】
これに対し、ハンドルリングは、中心側が軸支されるので、その軸支により径方向への力成分に対して拘束される。よって、径方向への力成分に対しては、リング規制部材の当接面部をハンドルリングの被当接面部に密着させることできるので、その分、ハンドルリングの回動位置を強固に固定することができる。特に、リング規制部材の当接面部およびハンドルリングの被当接面部が平坦面として形成される場合には、これら当接面部および被当接面部を互いに密着させることが必要となるため、遊技機Ａ９の構成が有効となる。
【０２８１】
遊技機Ａ９において、前記リング規制部材のスライド移動の方向が前記ハンドルリングの回動軸の方向と平行とされ、前記リング規制部材の当接面部およびハンドルリングの被当接面部が前記ハンドルリングの回動軸に直交する径方向に対し傾斜されることを特徴とする遊技機１０。
【０２８２】
遊技機Ａ１０によれば、遊技機Ａ９の奏する効果に加え、ハンドルリングの初期位置への復帰を確実に規制しつつ、ハンドルベースの小型化を図ることができる。
【０２８３】
即ち、リング規制部材の当接面部およびハンドルリングの被当接面部がハンドルリングの回動軸に直交する径方向に対し傾斜されるので、ハンドルリングの被当接面部に、ハンドルリングの回動軸方向の力成分に加え、ハンドルリングの回動軸に直交する径方向の力成分を作用させ、リング規制部材の当接面部をハンドルリングの被当接面部に密着させることができる。よって、ハンドルリングの回動操作量（回動位置）を強固に固定して、ハンドルリングの初期位置への復帰を確実に規制できる。
【０２８４】
この場合、リング規制部材のスライド移動の方向自体をハンドルリングの回動軸の方向に対して傾斜させることも考えられるが、その傾斜の分、リング規制部材の配設に必要なスペースが径方向に嵩むこととなり、ハンドルベースの大型化を招くと共に、ハンドルベースを樹脂材料から金型を用いて射出成形する場合には、ハンドルベースの金型からの脱型性が悪化する。これに対し、リング規制部材のスライド移動の方向がハンドルリングの回動軸の方向と平行とされることで、リング規制部材の配設に必要なスペースを抑制することができ、その分、ハンドルベースの小型化を図ることができる。また、リング規制部材がスライド移動可能に配設されるハンドルベースの部分の形状を、ハンドルベースを射出成形する金型の脱型方向に沿わせることができ、その分、成形性と金型構造の簡素化とを図ることができる。
【０２８５】
遊技機Ａ７からＡ１０のいずれかにおいて、前記ハンドルベースに配設され前記ハンドルリングの前面側に位置する前カバーを備え、前記ハンドル取付台は、そのハンドル取付台に対して前記ハンドルベースが軸支された部分を中心として変位されることで、前記リング規制部材を押圧する押圧面部を備え、前記ハンドル取付台に前記ハンドルベースが変位可能に軸支される軸から前記前カバーまでの距離が、前記軸から前記ハンドル取付台の押圧面部までの距離よりも大きくされることを特徴とする遊技機１１。
【０２８６】
遊技機１１によれば、遊技機Ａ７からＡ１０のいずれかの奏する効果に加え、ハンドルリングの前面側に前カバーが配設されるので、遊技者は、ハンドルリングを手指で把持する際に、前カバーに手の平を添えることができ、かかる前カバーを、ハンドル取付台に対してハンドルベースを軸支された部分を中心として変位させる際に力を加える部分（力点）として利用することができる。
【０２８７】
この場合、ハンドル取付台にハンドルベースを変位可能に軸支する軸（支点）から前カバー（力点）までの距離が、軸（支点）からハンドル取付台の押圧面部（作用点）までの距離よりも大きくされる、即ち、力点から支点までの距離が、支点から作用点までの距離よりも大きくされるので、力点となる前カバーに加えられる力が小さくても、その力を増幅させて、作用点となる押圧面部によりリング規制部材を大きな力で押圧することができる。これにより、リング規制部材をハンドルリングに強固に当接させ、ハンドルリングの回動操作量（回動位置）を確実に固定することができ、ハンドルリングの初期位置への復帰を規制できる。
【０２８８】
なお、前カバーは前面側へ向けて膨出する半球状であることが好ましい。この場合、軸から前カバーまでの距離とは、前カバーの外面（前面）の内で軸までの直線距離（軸に直交する方向での距離）が最大となる位置での距離を意味する。同様に、軸から押圧面部までの距離とは、リング規制部材を押圧する押圧面部の領域の内で軸までの直線距離（軸に直交する方向での距離）が最大となる位置での距離を意味する。
【０２８９】
遊技機Ａ７からＡ１１のいずれかにおいて、前記ハンドル取付台は、そのハンドル取付台に対して前記ハンドルベースが軸支された部分を中心として変位されることで、前記リング規制部材を押圧する押圧面部を備えると共に、前記リング規制部材は、前記ハンドル取付台の押圧面部により押圧される被押圧面部を備え、前記ハンドル取付台の押圧面部が平面として形成され、前記リング規制部材の被押圧面部が前記ハンドル取付台の押圧面部へ向けて膨出する球面として形成されることを特徴とする遊技機Ａ１２。
【０２９０】
遊技機Ａ１２によれば、遊技機Ａ７からＡ１１のいずれかの奏する効果に加え、ハンドル取付台に対してハンドルベースが軸支された部分を中心として変位された場合に、ハンドル取付台の押圧面部に被押圧面部が押圧されたリング規制部材を、安定してスライド移動させることができる。即ち、ハンドル取付台の押圧面部が軸支された部分を中心として移動する一方、リング規制部材がスライド移動（直線移動）する構造であり、両者の相対的な位置関係が不定であるところ、ハンドル取付台の押圧面部が平面として形成され、リング規制部材の被押圧面部がハンドル取付台の押圧面部へ向けて膨出する球面として形成されることで、両者の接触位置を軸支された部分を中心とする変位に伴い移動させ、リング規制部材をハンドルリングへ向かう方向へスライド移動させるための力成分を連続的に発生させることができる。これにより、リング規制部材を詰まらせることなく、安定してスライド移動させることができる。
【０２９１】
遊技機Ａ７からＡ１２のいずれかにおいて、前記ハンドルベースは、前記リング規制部材を前記ハンドルリングへ向けてスライド移動可能に保持するスライド保持部を備え、そのスライド保持部は、前記ハンドルリングに対面する側が開放されて形成される共に、その開放部分からリング規制部材を受け入れ可能に形成されることを特徴とする遊技機Ａ１３。
【０２９２】
遊技機Ａ１３によれば、遊技機Ａ７からＡ１２のいずれかの奏する効果に加え、リング規制部材をスライド可能に保持するハンドルベースのスライド保持部は、ハンドルリングに対面する側が開放されて形成されると共に、その開放部分からリング規制部材を受け入れ可能に形成されるので、かかる開放部分を利用して、リング規制部材をハンドルベースのスライド保持部に容易に装着することができ、組み立てコストの削減を図ることができる。なお、スライド保持部の開放部分は、ハンドルリングに対面する側であるから、ハンドルベースにハンドルリングが配設（装着）されることで、リング規制部材がスライド保持部の開放部分から脱落することがなく、また、リング規制部材の一部（当接面部）をハンドルリングの一部（被当接面部）に対面して配置させることができる。
【０２９３】
遊技機Ａ１３において、前記リング規制部材は、弾性変形可能な腕部を備えると共に、前記ハンドルベースのスライド保持部は、前記リング規制部材が前記ハンドルリングへ向けてスライド移動する際に前記リング規制部材の腕部を受け止める受止突起を備えることを特徴とする遊技機Ａ１４。
【０２９４】
遊技機Ａ１４によれば、遊技機Ａ１３の奏する効果に加え、ハンドルベースのスライド保持部は、リング規制部材がハンドルリングへ向けてスライド移動する際にリング規制部材の腕部を受け止める受止突起を備えるので、ハンドルベースのスライド保持部にその開放部分からリング規制部材を装着した後、ハンドルベースにハンドルリングが装着されるまでの間に、リング規制部材がスライド保持部の開放部分から脱落することを防止することができ、組み立て作業性の向上を図ることができる。
【０２９５】
一方、リング規制部材の腕部は、弾性変形可能に形成されるので、ハンドル取付台に対してハンドルベースが軸支された部分を中心として変位され、リング規制部材がハンドル取付台により押圧された場合には、受止突起に受け止められた腕部が弾性変形することで、リング規制部材をハンドルリングへ向けてスライド移動させることができる。これにより、リング規制部材をハンドルリングに当接させ、ハンドルリングの初期位置への復帰を規制できる。ハンドル取付台に対するハンドルベースの軸支された部分を中心とする変位が解除された場合には、腕部の弾性回復力によって、リング規制部材をハンドルリングから離間する方向へスライド移動させることができる。これにより、リング規制部材を初期位置へ復帰させ、ハンドル取付台（押圧面部）がリング規制部材（被押圧面部）を押圧可能な状態を形成できると共に、リング規制部材（当接面部）とハンドルリング（被当接面部）との間に隙間を形成できる。隙間を形成することで、両者の当接による抵抗に起因してハンドルリングの回動操作が阻害されることを回避できる。
【０２９６】
遊技機Ａ１４において、前記リング規制部材の腕部は、ハンドルベースの周方向に沿って延設されると共に、前記スライド保持部の受止突起は、ハンドルベースの内周面から径方向内方へ向けて突設されることを特徴とする遊技機Ａ１５。
【０２９７】
遊技機Ａ１５によれば、遊技機Ａ１４の奏する効果に加え、リング規制部材の腕部が、ハンドルベースの周方向に沿って延設されるので、他の部品の配設スペースに影響を与えることを抑制しつつ、腕部を長くすることができると共に腕部の弾性変形に必要なスペースを確保することができる。また、スライド保持部の受止突起が、ハンドルベースの内周面から径方向内方へ向けて突設されるので、組み立て時における視認性を確保できる。その結果、腕部と受止突起との位置関係の確認作業を容易として、作業性の向上を図ることができる。
【０２９８】
遊技機Ａ１５において、前記スライド保持部の受止突起には、その突設上面に、ハンドルリングから離間するに従って前記ハンドルベースの内周面から上昇傾斜する傾斜面が形成されることを特徴とする遊技機Ａ１６。
【０２９９】
遊技機Ａ１６によれば、スライド保持部の受止突起には、その突設上面に、ハンドルリングから離間するに従ってハンドルベースの内周面から上昇傾斜する傾斜面が形成されるので、ハンドルベースのスライド保持部にその開放部分からリング規制部材を装着する際には、受止突起の突設上面に形成される傾斜面に沿ってリング規制部材の腕部が移動することで、かかる受止突起を腕部に乗り越えさせることができる。即ち、スライド保持部の開放部分からリング規制部材を押し込むだけでよく、腕部を持ち上げて受止突起を乗り越えさせる作業を行う必要がないので、その組み立て作業の作業性の向上を図ることができる。
【０３００】
遊技機Ａ１からＡ５のいずれかにおいて、前記ハンドルリングの回動操作量を検出する回動操作量検出手段と、その回動操作量検出手段により検出されるハンドルリングの回動操作量に応じた発射強度により遊技球を発射する遊技球発射手段と、前記ハンドルベースの変位に伴って、前記遊技球発射手段による遊技球の発射を停止させる発射停止手段とを備えることを特徴とする遊技機Ａ１７。
【０３０１】
遊技機Ａ１７によれば、遊技機Ａ１からＡ５のいずれかの奏する効果に加え、遊技本体（遊技機Ａ２からＡ５においてはハンドル取付台）に対してハンドルベースを変位（遊技機Ａ３からＡ５においては軸支された部分を中心として変位）させることで、遊技球発射手段による遊技球の発射を発射停止手段により停止することができる。これにより、ハンドルリングの回動操作量（回動位置）を維持しつつ、遊技球の発射の停止を容易に行うことができ、遊技者の操作性の向上を図ることができる。
【０３０２】
ここで、例えば、ハンドルリングとは別にハンドルベースに設けられた別部材（遊技球の発射を停止するために遊技者に操作される操作子）を操作することで、遊技球の発射を停止する構造では、ハンドルリングの回動操作と別部材の操作とをそれぞれ別々に行う必要があるところ、ハンドルリングの回動操作量（回動位置）によっては、別部材が必ずしも操作し易い位置にあるとは限らず、ハンドルリングを把持している手指の一部を離して、或いは、無理な姿勢で、別部材を操作する必要が生じる。その結果、操作性が悪いという問題があった。
【０３０３】
これに対し、ハンドルベース自体の変位（軸支された部分を中心とする変位）を起点として、遊技球の発射を発射停止手段により停止する構造であれば、かかるハンドルベース自体の変位（軸支された部分を中心とする変位）は、ハンドルベースとハンドルリングとを一体的に変位させる動作であるから、ハンドルリングがどのような回動位置にあったとしても、ハンドルリングを把持する手指の一部を離すことなく行うことができる。これにより、操作性の向上を図ることができる。
【０３０４】
遊技機Ａ１からＡ５のいずれかにおいて、前記ハンドルリングの回動操作量を検出する回動操作量検出手段と、その回動操作量検出手段により検出されるハンドルリングの回動操作量に応じた発射強度により遊技球を発射する遊技球発射手段と、前記ハンドルベースの変位に伴って、前記遊技球発射手段により発射される遊技球の発射強度を所定の発射強度に設定する発射強度設定手段とを備えることを特徴とする遊技機Ａ１８。
【０３０５】
遊技機Ａ１８によれば、遊技機Ａ１からＡ５のいずれかの奏する効果に加え、遊技本体（遊技機Ａ２からＡ５においてはハンドル取付台）に対してハンドルベースを変位（遊技機Ａ３からＡ５においては軸支された部分を中心として変位）させることで、遊技球発射手段により発射される遊技球の発射強度を所定の発射強度に設定することができる。これにより、ハンドルリングの回動操作量（回動位置）を維持しつつ、遊技球の発射強度の変更（所定の発射強度の設定）を容易に行うことができ、遊技者の負担の軽減を図ることができる。
【０３０６】
なお、発射強度設定手段により設定される所定の発射強度としては、例えば、設定可能な範囲での最大の発射強度、予め定められている発射強度（よって、回動操作量検出手段により検出されるハンドルリングの回動操作量に応じた発射強度（即ち、現在のハンドルリングの回動操作量に応じた発射強度）よりも弱い発射強度および強い発射強度の両者を含む）、回動操作量検出手段により検出されるハンドルリングの回動操作量に応じた発射強度（即ち、現在のハンドルリングの回動操作量に応じた発射強度）よりも少なくとも強い発射強度などが例示される。
【０３０７】
ここで、遊技者は、遊技状態に応じて、遊技球の発射強度を変更（例えば、発射強度を最大とする所謂「右打ち」）することがある。しかしながら、このような遊技球の発射強度を最大とすることが要求される時間は比較的短く、通常の遊技状態に戻るたびに、遊技球の発射強度を元の発射強度を戻す必要があり、その再調整に遊技者が煩わされるという問題があった。
【０３０８】
これに対し、ハンドルベース自体の変位（軸支された部分を中心とする変位）を起点として、遊技球の発射強度を所定の発射強度に設定する構造であれば、かかるハンドルベース自体の変位（軸支された部分を中心とする変位）は、ハンドルベースとハンドルリングとを一体的に変位させる動作であるから、ハンドルリングを把持する手指の一部を離したり無理な姿勢を取ることなく、即ち、ハンドルリングの回動操作量（回動位置）を維持しつつ、行うことができる。よって、ハンドルベース自体の変位（軸支された部分を中心とする変位）を戻せば、遊技球の発射強度も元の発射強度（ハンドルリングの回動操作量に応じた発射強度）に復帰させることができる。これにより、遊技状態が変化するたびに、遊技球の発射強度を再調整する手間を不要とすることができ、遊技者の負担を軽減することができる。
【０３０９】
遊技機Ａ１７又はＡ１８において、前記発射停止手段による遊技球の発射の停止、又は、前記発射強度設定手段による所定の発射強度の設定は、ハンドルベースの変位が所定量以上となった場合に行われることを特徴とする遊技機Ａ１９。
【０３１０】
遊技機Ａ１９によれば、遊技機Ａ１７又はＡ１８の奏する効果に加え、発射停止手段による遊技球の発射の停止、又は、発射強度設定手段による所定の発射強度の設定は、遊技本体（遊技機Ａ２からＡ５においてはハンドル取付台）に対するハンドルベースの変位（遊技機Ａ３からＡ５においては軸支された部分を中心とする変位）が所定量以上となった場合に行われ、ハンドルベースの変位が所定量に達するまでの間は行われないので、遊技者の意図しない操作（ハンドルベースの変位）によって、遊技球の発射が不用意に停止される、又は、所定の発射強度に不用意に設定されることを抑制することができる。
【０３１１】
遊技機Ａ１７からＡ１９のいずれかにおいて、前記発射停止手段による遊技球の発射の停止、又は、前記発射強度設定手段による所定の発射強度の設定は、ハンドルベースの変位が最大量に達した状態で維持されることを特徴とする遊技機Ａ２０。
【０３１２】
遊技機Ａ２０によれば、遊技機Ａ１７からＡ１９のいずれかの奏する効果に加え、発射停止手段による遊技球の発射の停止、又は、発射強度設定手段による所定の発射強度の設定は、遊技本体（遊技機Ａ２からＡ５においてはハンドル取付台）に対するハンドルベースの変位（遊技機Ａ３からＡ５においては軸支された部分を中心とする変位）が最大量に達した状態で維持されるので、遊技者は、遊技球の発射の停止、又は、所定の発射強度への設定を行う場合には、ハンドルベースの変位（軸支された部分を中心とする変位）を可動範囲の終端まで操作すれば良く、可動範囲の途中で停めて維持する必要がない。即ち、遊技球の発射を停止する状態、又は、所定の発射強度に設定する状態を遊技者にとって楽な姿勢（ハンドルベースを可動範囲の終端まで操作した姿勢）で形成することができるので、その操作性の向上を図ることができる。
【０３１３】
また、楽な姿勢であるので、遊技球の発射を停止している間、又は、所定の発射強度に設定している間も、ハンドルリングの回動操作量（回動位置）がずれ難く、所望の回動操作量に維持しやすくすることができる。その結果、遊技球の発射の停止、又は、所定の発射強度の設定を解除して、ハンドルリングの回動操作量に応じた発射強度での遊技球の発射を再開する場合には、元の発射強度での球の発射をより高精度に再現することができる。
【０３１４】
遊技機Ａ１７からＡ２０のいずれかにおいて、前記ハンドルリングの回動位置を初期位置に復帰させる付勢力を前記ハンドルリングに付与するリング付勢部材と、前記ハンドルベースの変位に伴って、前記ハンドルリングが初期位置へ復帰されることを規制するリング規制部材とを備えることを特徴とする遊技機Ａ２１。
【０３１５】
遊技機Ａ２１によれば、遊技機Ａ１７からＡ２０のいずれかの奏する効果に加え、遊技本体（遊技機Ａ２からＡ５においてはハンドル取付台）に対してハンドルベースが変位（遊技機Ａ３からＡ５においては軸支された部分を中心として変位）されると、ハンドルリングが初期位置へ復帰されることをリング規制部材によって規制して、ハンドルリングの回動操作量（回動位置）を固定することができる。これにより、遊技球の発射を停止する際に、又は、所定の発射強度に設定する際に、ハンドルリングの回動操作量（回動位置）がずれることを抑制して、所望の回動操作量に維持することができる。その結果、遊技球の発射の停止、又は、所定の発射強度の設定を解除して、ハンドルリングの回動操作量に応じた発射強度での遊技球の発射を再開する場合には、遊技球を所望の発射強度で発射することができる。
【０３１６】
遊技機Ａ１からＡ２１において、前記ハンドルベースが変位可能に軸支されると共に遊技機本体に固設されるハンドル取付台と、そのハンドル取付台に対して第１位置と第２位置との間で軸支された部分を中心として変位可能とされる前記ハンドルベースの変位位置を第１位置へ復帰させる付勢力を前記ハンドルベースに付与するベース付勢部材とを備え、前記ハンドルベース及びハンドル取付台の対向面には、平坦面状に形成され前記第１位置において互いに当接される合わせ面部が形成されることを特徴とする遊技機Ａ２２。
【０３１７】
遊技機Ａ２２によれば、遊技機Ａ１からＡ２１の奏する効果に加え、ハンドルベース及びハンドル取付台の対向面には、平坦面状に形成され第１位置において互いに当接される合わせ面部が形成されるので、ハンドルベースの変位位置が第１位置に配設された状態では、平坦面状に形成された互いの合わせ面部をベース付勢部材の付勢力により密着させることができる。これにより、第１位置において、ハンドル取付台に対しハンドルベースをがたつかせることなく、安定した状態に維持することができる。その結果、例えば、ハンドルリングを操作する際の操作性の向上を図ることができる。
【０３１８】
遊技機Ａ２２において、前記合わせ面部が前記ハンドルベース及びハンドル取付台の上方に位置することを特徴とする遊技機Ａ２３。
【０３１９】
遊技機Ａ２３によれば、遊技機Ａ２２の奏する効果に加え、ハンドルベースの変位位置が第１位置に配設された状態では、ハンドルベース及びハンドル取付台の対向面において、互いの合わせ面部が密着されるところ、かかる合わせ面部がハンドルベース及びハンドル取付台の上方に位置するので、第１位置において、遊技者が不用意に落下させた異物や埃、ゴミなどの異物が内部に入り込むことを抑制できる。特に、ハンドルベースは、ベース付勢部材の付勢力によって第１位置に復帰され、第１位置に配設される期間が長いため、合わせ面部を上方に配設する構成が有効となる。
【０３２０】
遊技機Ａ２２又はＡ２３において、前記ハンドル取付台に対してハンドルベースが第１位置から第２位置へ向かう方向へ軸支された部分を中心として変位された場合に前記ハンドル取付台の合わせ面部とハンドルベースの合わせ面部との間に形成される開口を覆う覆設部材を備えることを特徴とする遊技機Ａ２４。
【０３２１】
遊技機Ａ２４によれば、遊技機Ａ２２又はＡ２３の奏する効果に加え、ハンドル取付台に対してハンドルベースが第１位置から第２位置へ向かう方向へ軸支された部分を中心として変位されると、ハンドル取付台の合わせ面部とハンドルベースの合わせ面部との間に開口が形成されるところ、かかる開口を覆う覆設部材を備えるので、開口にコイン等が差し込まれ、ハンドル取付台に対するハンドルベースの軸支された部分を中心とする変位状態が固定されることを抑制できる。例えば、遊技機Ａ６からＡ１６のように、ハンドルベースの軸支された部分を中心とする変位に伴い、ハンドルリングの回動操作量（回動位置）を固定できる構造では、開口にコイン等が差し込まれ、ハンドルベースの軸支された部分を中心とする変位状態が固定された状態（即ち、ハンドルリングの回動操作量に応じた遊技球の発射強度が固定された状態）のままで、次の遊技者に引き継がれると、次の遊技者が同様の遊技を実現することが可能となるところ、開口へのコインの差し込みによる変位状態の固定を抑制できることで、次の遊技者が同様の遊技を実現することを困難とできる。
【０３２２】
遊技機Ａ１からＡ２４において、遊技機本体に固設されると共に前面側が開放して形成されるハンドル取付台と、前記ハンドルベースの背面から突設されると共に前記ハンドル取付台の前面側の開放部分から内部に挿通されるボス部材とを備え、そのボス部材が前記ハンドル取付台の内壁面に軸支されることで、前記ハンドル取付台に対してハンドルベースが変位可能に軸支されることを特徴とする遊技機Ａ２５。
【０３２３】
遊技機Ａ２５によれば、遊技機Ａ１からＡ２４のいずれかの奏する効果に加え、ハンドルベースの背面から突設されるボス部材を備え、そのボス部材が、ハンドル取付台の内部に挿通され、ハンドル取付台の内壁面に軸支されるので、その軸支された部分を中心としてハンドル取付台に対してハンドルベースを変位させるための構造を、ハンドル取付台の内部に収容することができる。これにより、デッドスペースとなるハンドル取付台の内部空間を有効利用できるので、ハンドル取付台に対するハンドルベースの軸支された部分を中心とする変位を可能としつつ、その小型化を図ることができる。
【０３２４】
遊技機Ａ２５において、前記ハンドル取付台に対して第１位置と第２位置との間で軸支された部分を中心として変位可能とされる前記ハンドルベースの変位位置を第１位置へ復帰させる付勢力を前記ハンドルベースのボス部材に付与するベース付勢部材を備え、前記ベース付勢部材は、前記ハンドル取付台に軸支される部位よりも前記ボス部材の突設先端側と、前記ハンドル取付台の内壁面との間に介設されることを特徴とする遊技機Ａ２６。
【０３２５】
遊技機Ａ２６によれば、遊技機Ａ２５の奏する効果に加え、第１位置に復帰させるためにハンドルベースのボス部材に付勢力を付与するベース付勢部材は、ボス部材とハンドル取付台の内壁面との間に介設されるので、かかるベース付勢部材をハンドル取付台の内部に収容することができる。これにより、デッドスペースとなるハンドル取付台の内部空間を有効利用できるので、ハンドル取付台に対するハンドルベースの軸支された部分を中心とする変位を可能としつつ、その小型化を図ることができる。
【０３２６】
この場合、ベース付勢部材がボス部材に接続される位置は、ボス部材がハンドル取付台に軸支される部位（支点）よりもボス部材の突設先端側であるので、ボス部材の支点よりもハンドルベース側となる部位に接続される場合と比較して、支点からの距離を確保し易くすることができる。これにより、ハンドルベースを第１位置に復帰させる付勢力を確保できる。
【０３２７】
遊技機Ａ２６において、前記ハンドル取付台は、背面側が開放して形成されることを特徴とする遊技機Ａ２７。
【０３２８】
遊技機Ａ２７によれば、遊技機Ａ２６の奏する効果に加え、ハンドル取付台は、背面側が開放して形成されるので、かかる背面側の開放部分からハンドル取付台の内部空間を露出させることができる。これにより、ボス部材の突出先端側とハンドル取付台の内壁面との間にベース付勢部材を介設させるための取付作業を、ハンドル取付台の背面側の開放部分から行うことができるので、その取付作業の作業性の向上を図ることができる。
【０３２９】
遊技機Ａ１からＡ２７のいずれかにおいて、前記遊技機はスロットマシンであることを特徴とする遊技機Ｂ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３３０】
遊技機Ａ１からＡ２７のいずれかにおいて、前記遊技機はパチンコ遊技機であることを特徴とする遊技機Ｂ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３３１】
遊技機Ａ１からＡ２７のいずれかにおいて、前記遊技機はパチンコ遊技機とスロットマシンとを融合させたものであることを特徴とする遊技機Ｂ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、ハンドルベースにハンドルリングが回動可能に取り付けられ、そのハンドルリングの回動操作量に応じて、球の発射強度を調整するものがある。また、ハンドルベースに、ハンドルリングとは別の操作子が配設され、その操作子を操作することで、所定の動作（例えば、球の発射の停止）を行うことができるものがある（特開２０１２−００５７５９号公報）。
ハンドルリングは、付勢ばねによる付勢力が付与されており、遊技者が手を離すと、ハンドルリングが初期位置へ復帰される。この場合、ハンドルリングの回動操作量を維持しつつ、操作子を操作することが困難である場合があった。
本技術的思想は、上記例示した問題点を解決するためになされたものであり、ハンドルリングの回動操作量を維持しつつ、他の操作が行いやすい遊技機を提供することを目的とする。
＜手段＞
この目的を達成するために技術的思想１の遊技機は、遊技者によって回動操作されるハンドルリングを備え、そのハンドルリングの回動操作量に応じて遊技球の発射強度が調整されるものであり、前記ハンドルリングが回動可能に配設されると共に遊技機本体に対して変位可能とされるハンドルベースと、前記ハンドルリングの回動位置を初期位置に復帰させる付勢力を前記ハンドルリングに付与するリング付勢部材と、前記ハンドルベースの変位に伴って、前記ハンドルリングが初期位置へ復帰されることを規制するリング規制部材と、を備える。
技術的思想２の遊技機は、技術的思想１記載の遊技機において、前記ハンドルベースが軸支されると共に遊技機本体に固設されるハンドル取付台を備え、前記リング規制部材は、前記ハンドルリングへ向けてスライド移動可能に前記ハンドルベースに配設され、前記軸支される部分を中心として前記ハンドル取付台に対してハンドルベースが変位されることで、前記ハンドル取付台に押圧された前記リング規制部材が前記ハンドルリングへ向けてスライド移動されると共に、そのスライド移動されたリング規制部材がハンドルリングに当接され、ハンドルリングの初期位置への復帰が規制される。
＜効果＞
技術的思想１記載の遊技機によれば、ハンドルベースにはハンドルリングが回動可能に配設され、そのハンドルリングが回動可能に配設されたハンドルベースが、遊技機本体に対して変位されることで、ハンドルリングが初期位置へ復帰されることをリング規制部材によって規制して、ハンドルリングの回動操作量（回動位置）を固定することができる。これにより、ハンドルリングの回動操作量に応じて調整される遊技球の発射強度の固定を容易に行うことができ、遊技者の操作性の向上を図ることができる。
ここで、例えば、ハンドルリングとは別にハンドルベースに設けられた別部材（ハンドルリングの初期位置への復帰を規制するために遊技者に操作される操作子）を操作することで、ハンドルリングの初期位置への復帰を規制する構造では、ハンドルリングの回動操作と別部材の操作とをそれぞれ別々に行う必要があるところ、ハンドルリングの回動操作量（回動位置）によっては、別部材が必ずしも操作し易い位置にあるとは限らず、ハンドルリングを把持している手指の一部を離して、或いは、無理な姿勢で、別部材を操作する必要が生じる。その結果、操作性が悪いという問題点があった。また、ハンドルリングの回動位置に位置ずれが生じ、遊技球の発射強度を所望の発射強度に精度良く固定することができないという問題があった。
これに対し、ハンドルベース自体の変位を起点として、ハンドルリングの初期位置への復帰をリング規制部材により規制する構造であれば、かかるハンドルベース自体の変位は、ハンドルベースとハンドルリングとを一体的に変位させる動作であるから、ハンドルリングがどのような回動位置にあったとしても、ハンドルリングを把持する手指の一部を離すことなく行うことができる。これにより、操作性の向上を図ることができ、また、ハンドルリングの回動位置に位置ずれが生じることを抑制し、遊技球の発射強度を所望の発射強度に精度良く固定することができる。
技術的思想２記載の遊技機によれば、技術的思想１記載の遊技機の奏する効果に加え、リング規制部材がハンドルリングへ向けてスライド移動可能にハンドルベースに配設されるので、ハンドル取付台に対するハンドルベースの変位に伴う両者の相対位置の変化を利用して、ハンドル取付台によりリング規制部材を押圧させ、リング規制部材をハンドルリングへ向けてスライド移動させることができる。その結果、リング規制部材をハンドルリングに当接させて、ハンドルリングの初期位置への復帰を規制することができる。
この場合、ハンドルベースにリング規制部材がスライド移動可能に配設されるので、ハンドルベースにリング規制部材が揺動可能に配設される構造と比較して、構造の簡素化を図ることができる。また、リング規制部材を揺動させる構造では、力点、支点（揺動中心）及び作用点を形成する必要があり、力点および作用点が支点を中心としてそれぞれ異なる方向へ移動するため、リング規制部材の動作（配設）に必要なスペースが嵩む。
これに対し、リング規制部材をスライド移動させる構造では、力点と作用点とが一直線上で同方向へ移動するため、リング規制部材の動作（配設）に必要なスペースを抑制することができる。ハンドルベースには、他の部品を複数配設する必要があるところ、リング規制部材の配設に必要なスペースを抑制できることで、他の部品が配設し易くなり、設計の自由度を高めることができる。
１０ パチンコ機（遊技機）
１５ 下皿ユニット（遊技機本体）
５２０，６５２０，７５２０ ハンドル取付台
５２７ 上合わせ面部（合わせ面部）
５２８ａ 押圧面部
５３０，６５３０ ハンドルベース
５３２ａ 合わせ面部
５３４ｂ 切り欠き部（スライド保持部）
５３８ 受止突起
６５３９ 遮蔽壁（覆設部材）
５４０，２５４０，３５４０ ハンドルリング
５４１，２５４１ 円板部（被当接面部）
３５４２ 外周壁（被当接面部）
５５０ 前カバー
５６０ ボス部材
７００，２７００ リング規制部材
７０１b，２７０１ｂ 当接面部
３７０１ｃ 当接面部
７０２ａ 被押圧面部
７０３ 腕部
ＳＰ ベース付勢ばね（ベース付勢部材）
【符号の説明】
【０３３２】
１０                          パチンコ機（遊技機）
１５                          下皿ユニット（遊技機本体）
５２０，６５２０，７５２０    ハンドル取付台
５３０，６５３０              ハンドルベース
５４０，２５４０，３５４０    ハンドルリング
７００，２７００              リング規制部材